(57)【要約】【課題】演出ユニットを取り外すことによる不正行為を抑制することができる遊技機を提供すること。【解決手段】前面扉１ｂの背面側には、リール２Ｌ，２Ｃ，２Ｒを透視可能な透過領域５１Ｌ，５１Ｃ，５１Ｒ及び表示領域５１ａを有する液晶表示器５１を含む表示ユニット６００が取り付けられ、前面扉１ｂの前面側には、天レンズＬＥＤ４７０，４７２を含む天レンズユニット４００が配設されており、表示ユニット６００を前面扉１ｂの背面に取り付けることで、天レンズユニット４００を前面扉１ｂに取り付けるための取付手段である係止爪４１０ａ〜４１０ｄやネジ４０１ｎの背面側が被覆部６３０により被覆され、取付手段による取付状態を解除できなくなる。【選択図】図２２
2014135985.tif 000002
【特許請求の範囲】
【請求項１】
所定の遊技を行うことが可能な遊技機であって、
開口を有する本体部と、
前記本体部の開口を開閉可能とする開閉部と、
各々が識別可能な複数種類の識別情報を変動表示可能な可変表示部を有する可変表示装置と、
前記開閉部の背面側に配設され、前記可変表示部を透視可能な透視窓部及び該透視窓部の周囲に設けられる演出表示部を有する表示装置を含む表示ユニットと、
前記開閉部の前面側に配設され、所定の演出を実行可能な演出装置を含む演出ユニットと、
前記演出ユニットを前記開閉部に取り付けるための取付手段と、
を備え、
前記表示ユニットは、前記開閉部に取り付けたときに該表示ユニットを取り外さない限り前記取付手段による取付状態を解除できないように該取付手段を背面側から被覆する被覆部を有する
ことを特徴とする遊技機。
【発明の詳細な説明】
【技術分野】
【０００１】
本発明は、所定の遊技を行うことが可能な遊技機に関する。
【背景技術】
【０００２】
遊技機として、所定の賭数を設定し、スタート操作が行われたことに基づいて、複数種類の識別情報の可変表示が行われるスロットマシンや、遊技球などの遊技媒体を発射装置によって遊技領域に発射し、該遊技領域に設けられている入賞口などの始動領域に遊技媒体が入賞したときに複数種類の識別情報の可変表示が行われるパチンコ遊技機等がある。
【０００３】
この種の遊技機において、遊技に関連する演出画像等を表示するための液晶ディスプレイやランプ照明ケース等が、筐体を開閉する前扉（前面扉）の上部に前側から取り付けられたもの等があった（例えば、特許文献１参照）。
【先行技術文献】
【特許文献】
【０００４】
【特許文献１】特開２０００−１４０１９６号公報
【発明の概要】
【発明が解決しようとする課題】
【０００５】
上記特許文献１に記載の遊技機では、液晶ディスプレイやランプ照明ケースなどの演出ユニットが前扉の前側に配設され、該前扉の背面側から挿通したネジにより前扉に取り付けるようになっているとともに、前扉には液晶ディスプレイの放熱用開口やコネクタ開口などが形成されているため、演出ユニットを取り外してこれら開口から筐体内部に不正器具等を挿入して内部に設けられた制御基板などに対して不正行為が行われる虞があった。
【０００６】
本発明は、このような問題点に着目してなされたもので、演出ユニットを取り外すことによる不正行為を抑制することができる遊技機を提供することを目的とする。
【課題を解決するための手段】
【０００７】
前記課題を解決するために、本発明の請求項１に記載の遊技機は、
所定の遊技を行うことが可能な遊技機（例えば、スロットマシン１）であって、
開口を有する本体部（例えば、筐体１ａ）と、
前記本体部の開口を開閉可能とする開閉部（例えば、前面扉１ｂ、躯体１ｈ）と、
各々が識別可能な複数種類の識別情報（例えば、図柄）を変動表示可能な可変表示部を有する可変表示装置（例えば、リール２Ｌ，２Ｃ，２Ｒ）と、
前記開閉部の背面側に配設され、前記可変表示部を透視可能な透視窓部（例えば、透過領域５１Ｌ，５１Ｃ，５１Ｒ）及び該透視窓部の周囲に設けられる演出表示部（例えば、表示領域５１ａ）を有する表示装置（例えば、液晶表示器５１）を含む表示ユニット（例えば、表示ユニット６００）と、
前記開閉部の前面側に配設され、所定の演出を実行可能な演出装置（例えば、天レンズユニット４００に内蔵される天レンズＬＥＤ４７０，サイド天レンズ４７２）を含む演出ユニット（例えば、天レンズユニット４００）と、
前記演出ユニットを前記開閉部に取り付けるための取付手段（例えば、係止爪４１０ａ〜４１０ｄと係止孔５３１ａ〜５３１ｄやネジ４０１ｎと取付孔５３３ａ〜５３３ｄ、ネジ孔４１１ａ〜４１１ｄ）と、
を備え、
前記表示ユニットは、前記開閉部に取り付けたときに該表示ユニットを取り外さない限り前記取付手段による取付状態を解除できないように該取付手段を背面側から被覆する被覆部（例えば、被覆部６３０）を有する（図２６参照）
ことを特徴としている。
この特徴によれば、開閉部の前面側に配設される演出ユニットを取り外すには、開閉部を開放して背面側から取付手段による取付状態を解除しなければならないばかりか、該取付手段による取付状態を解除するには、表示装置を有する表示ユニットを開閉部から取り外して被覆部による被覆状態を解除しなければならず手間がかかるため、演出ユニットを取り外して本体部内に搭載された電気部品等に不正な改造等を施すといった不正行為を抑制することができる。
【０００８】
本発明の手段１の遊技機は、請求項１に記載の遊技機であって、
前記表示ユニット（例えば、表示ユニット６００）は、前記表示装置（例えば、液晶表示器５１）と該表示装置を取り付けるための合成樹脂材からなるベース部材（例えば、ベース部材６０１）とから構成され、
前記ベース部材は、前記表示装置の取付部（例えば、取付壁部６１６）と前記被覆部（例えば、被覆部６３０）とを有し、
前記被覆部には金属板（例えば、金属板６０４）が設けられている（図１０、図１１参照）
ことを特徴としている。
この特徴によれば、ベース部材の被覆部が金属板により破壊されにくくなるため、被覆状態の解除を困難化することができるばかりか、被覆部にのみ金属板が設けられるので、ベース部材を極力軽量にすることができる。
【０００９】
本発明の手段２の遊技機は、請求項１または手段１に記載の遊技機であって、
前記表示装置（例えば、液晶表示器５１）は前記ベース部材（例えば、ベース部材６０１）の前面側に取り付けられ、
前記ベース部材は、
前記表示装置が取り付けられる取付壁部（例えば、取付壁部６１６）と、
前記表示装置の一辺（例えば、上辺）に対し所定の隙間を隔てて配置される離間壁部（例えば、離間壁部６１７）と、を有し、
前記離間壁部には、前記表示装置の一辺の一部に当接する凸部（例えば、凸部６１８）が突設されている（図１４、図１５参照）
ことを特徴としている。
この特徴によれば、表示装置をベース部材の前面に取り付けたときに該表示装置の少なくとも一辺とベース部材との間に隙間が形成されることで、表示装置の放熱効率を維持しつつ、凸部により一辺の一部が背面側から支持されるので、表示装置に前面側から外力を加えて撓ませて不正器具を挿入可能な隙間などが形成されたり、撓みによる破損等が防止される。
【００１０】
本発明の手段３の遊技機は、手段２に記載の遊技機であって、
前記凸部（例えば、凸部６１８）は、前記離間壁部（例えば、離間壁部６１７）の一部を前面側に膨出させることにより背面が開口する中空状に形成されている（図１４、図１５参照）
ことを特徴としている。
この特徴によれば、離間壁部の背面における凸部に対応する位置には凹部が形成されているので、手指を挿入することで表示ユニットを容易に持ち運びすることが可能となる。
【００１１】
本発明の手段４の遊技機は、手段３に記載の遊技機であって、
前記凸部（例えば、凸部６１８）の内部には補強用のリブ（例えば、リブ６２８）が複数形成されている（図１４、図１５参照）
ことを特徴としている。
この特徴によれば、凸部が補強されるだけでなく、挿入した手指がリブに引っ掛かりやすくなるので持ちやすくなる。
【００１２】
本発明の手段５の遊技機は、手段３または手段４に記載の遊技機であって、
前記表示装置（例えば、液晶表示器５１）の制御を行う表示制御手段（例えば、サブＣＰＵ９１ａ）が設けられた表示制御基板（例えば、演出制御基板９０）を備え、
前記表示制御基板は、前記凸部（例えば、凸部６１８）の背面開口を閉塞するように前記離間壁部（例えば、離間壁部６１７）に取り付けられる（図２６，図２７参照）
ことを特徴としている。
この特徴によれば、凸部の背面開口を目立たないように隠蔽することができる。
【００１３】
本発明の手段６の遊技機は、請求項１、手段１〜５のいずれかに記載の遊技機であって、
前記表示装置（例えば、液晶表示器５１）は、前記ベース部材（例えば、ベース部材６０１）に対し緩衝部材（例えば、緩衝部材６０５ａ〜６０５ｄ）を介して取り付けられている（図１１、図１７参照）
ことを特徴としている。
この特徴によれば、ベース部材に生じる衝撃が緩衝部材により吸収され表示装置に伝わりにくくなくなるので、表示装置の破損を防止できる。
【００１４】
本発明の手段７の遊技機は、請求項１、手段１〜６のいずれかに記載の遊技機であって、
前記表示ユニット（例えば、表示ユニット６００）は、前記開閉部（例えば、前面扉１ｂ、躯体１ｈ）に取り付けるための所定係止部材（例えば、係止部材６４４Ｌ，６４４Ｒ）を有し、
前記所定係止部材は、前記開閉部の被係止部（例えば、左補強板金７５５の前面）に係止される係止状態（図２５（Ｂ）（Ｄ）参照）と該被係止部から離脱する非係止状態（図２５（Ａ）（Ｃ）参照）とに変化可能に構成され、前記係止状態と前記非係止状態とに切替操作するための係止操作部（例えば、操作片６４４ｂ）を有し、
前記所定係止部材が前記係止状態であるときに、前記係止操作部と前記開閉部の所定部位との間に配線（例えば、ケーブルＫ６）を挿通可能な配線挿通部（例えば、配線挿通部６４５）が形成される（図２５（Ｂ）（Ｄ）参照）
ことを特徴としている。
この特徴によれば、係止部材を係止状態にすれば配線挿通部が形成されるので、配線押さえ等の部品を極力共通化して製造コストを低減することができる。
【００１５】
本発明の手段８の遊技機は、請求項１、手段１〜７のいずれかに記載の遊技機であって、
前記表示ユニット（例えば、表示ユニット６００）は、前記開閉部（例えば、前面扉１ｂ、躯体１ｈ）に取り付けるための特定係止部材を有し、
前記特定係止部材は、
前記ベース部材に対し移動可能に設けられた移動部材（例えば、移動取付枠６１０）と、
前記移動部材に形成され、前記開閉部に形成された複数の開閉部側係止部（例えば、取付支柱６３８ａ〜６３８ｃの係止溝６３８ｍ）それぞれに係止される複数の被係止部（例えば、取付孔６３６ａ〜６３６ｃの長孔部６３７ｂ）と、を含み、
前記移動部材を移動することにより前記被係止部が対応する開閉部側係止部に対し係脱されるように設けられ、
前記複数のうち一の被係止部が対応する開閉部側係止部に係止された後に他の被係止部が対応する他の開閉部側係止部に係止されるように構成される（例えば、移動取付枠６１０を係止位置側に向けてスライド移動すると、取付孔６３６ａの長孔部６３７ｂが取付支柱６３８ａの係止溝６３８ｍに係止され、次いで、取付孔６３６ｂの長孔部６３７ｂが取付支柱６３８ｂの係止溝６３８ｍに係止され、最後に、取付孔６３６ｃの長孔部６３７ｂが取付支柱６３８ｃの係止溝６３８ｍに係止される、図２４参照）
ことを特徴としている。
この特徴によれば、移動部材を移動させることで複数の被係止部を開閉部側係止部に係止させることができるとともに、複数の被係止部は順に開閉部側係止部に係止されていくことで係止するために必要な力を分散できるので、係止操作を向上させることができる。
【図面の簡単な説明】
【００１６】
【図１】本発明を適用したスロットマシンの正面図である。
【図２】スロットマシンの内部構造図である。
【図３】前面扉を示す背面図である。
【図４】スロットマシンの構成を示すブロック図である。
【図５】スロットマシンを示す斜視図である。
【図６】前面扉の前面に組付けられた各種部材を示す分解斜視図である。
【図７】前面扉の背面に組付けられた各種部材を示す分解斜視図である。
【図８】前面扉の躯体を示す正面図である。
【図９】前面扉の躯体を示す背面図である。
【図１０】（Ａ）は表示ユニットを示す表面図、（Ｂ）は背面図である。
【図１１】表示ユニットの前面側の構成を示す分解斜視図である。
【図１２】表示ユニットの背面側の構成を示す分解斜視図である。
【図１３】（Ａ）はベース部材を示す正面図、（Ｂ）は背面図である。
【図１４】図１０（Ａ）のＡ−Ａ断面図である。
【図１５】図１０（Ｂ）のＢ−Ｂ断面図である。
【図１６】（Ａ）は移動取付枠を示す背面図、（Ｂ）は取付支柱を示す断面図である。
【図１７】（Ａ）は緩衝部材を示す斜視図、（Ｂ）は緩衝部材の装着状況を示す斜視図、（Ｃ）は緩衝部材周辺の縦断面図である。
【図１８】天レンズユニットの内部構造を斜め前から見た状態を示す分解斜視図である。
【図１９】天レンズユニットの内部構造を斜め後ろから見た状態を示す分解斜視図である。
【図２０】躯体の上部を示す正面図である。
【図２１】補強板金が取り付けられた躯体を示す背面図である。
【図２２】躯体に対する天レンズユニット及び表示ユニットの取付状況を示す斜視図である。
【図２３】表示ユニットの躯体への取付状況を示す断面図である。
【図２４】（Ａ）〜（Ｃ）は移動取付枠による係止態様を示す説明図である。
【図２５】（Ａ）（Ｂ）は左側の係止部材の係止態様の一例を示す斜視図、（Ｃ）（Ｄ）は背面図である。
【図２６】躯体に表示ユニットが取り付けられた状態を示す背面図である。
【図２７】表示ユニット周辺の配線状況を示す図である。
【図２８】表示ユニットとリールユニットとの位置関係を示す断面図である。
【図２９】メダルシュートを示す六面図である。
【図３０】（Ａ）は後上方から見たメダルシュートを示す分解斜視図であり、（Ｂ）は後下方から見たメダルシュートを示す分解斜視図である。
【図３１】メダルセレクタ及びメダルシュートを示す斜視図である。
【図３２】メダルセレクタ及びメダルシュートを示す正面図である。
【図３３】（Ａ）はメダルシュートによりメダルが誘導される状況を示す平面図、（Ｂ）はメダルシュートにおけるメダルの転動軌跡を示す平面図である。
【図３４】（Ａ）はメダル通路部材を示す正面図、（Ｂ）は（Ａ）のＣ−Ｃ端面図である。
【図３５】（Ａ）はメダル通路部材を示す背面図、（Ｂ）は（Ａ）のＤ−Ｄ断面図、（Ｃ）は（Ｂ）のＥ−Ｅ断面図である。
【図３６】（Ａ）はメダル通路部材を斜め前から見た状態を示す斜視図、（Ｂ）はメダル通路部材を斜め後ろから見た状態を示す斜視図である。
【図３７】メダル通路部材が前面扉の背面に取り付けられた状態を示す一部断面図である。
【図３８】図３７のＦ−Ｆ断面図である。
【図３９】（Ａ）は下部パネルユニットを斜め前下から見上げた状態を示す分解斜視図、（Ｂ）は斜め後ろから見た状態を示す分解斜視図である。
【図４０】下部パネルユニットが躯体に組付けられた状態を示す断面図である。
【図４１】上サイドレンズユニット及び下サイドレンズユニットを示す六面図及び斜視図である。
【図４２】（Ａ）は上サイドレンズユニット及び下サイドレンズユニットの内部構造を斜め前下から見た状態を示す分解斜視図、（Ｂ）は斜め後ろから見た状態を示す分解斜視図である。
【図４３】上サイドレンズユニットの躯体への取り付け態様を斜め前から見た状態を示す斜視図である。
【図４４】上サイドレンズユニットの躯体への取り付け態様を斜め後ろから見た状態を示す斜視図である。
【図４５】上サイドレンズユニットが躯体へ取り付けられたときの態様を示す縦断面図である。
【図４６】上サイドレンズユニットが躯体へ取り付けられたときの態様を示す横断面図である。
【図４７】下サイドレンズユニットの躯体への取り付け態様を斜め前から見た状態を示す斜視図である。
【図４８】下サイドレンズユニットの躯体への取り付け態様を斜め後ろから見た状態を示す斜視図である。
【図４９】下サイドレンズユニットが躯体へ取り付けられたときの態様を示す横断面図である。
【図５０】サイド装飾部材の躯体への取り付け態様を斜め前から見た状態を示す分解斜視図である。
【図５１】サイド装飾部材の躯体への取り付け態様を斜め後ろから見た状態を示す分解斜視図である。
【図５２】（Ａ）は上装飾レンズ基板ユニットの内部構造を斜め前から見た状態を示す分解斜視図、（Ｂ）は斜め後ろから見た状態を示す分解斜視図である。
【発明を実施するための形態】
【００１７】
本発明の実施例を以下に説明する。
【実施例】
【００１８】
本発明が適用されたスロットマシンの実施例を図面に基づいて説明する。図１は、本発明を適用したスロットマシンの正面図である。図２は、スロットマシンの内部構造図である。図３は、前面扉を示す背面図である。図４は、スロットマシンの構成を示すブロック図である。尚、以下においては、スロットマシンを正面から見たときの上下左右方向を基準として説明する。
【００１９】
図１〜図３に示すように、本発明の遊技機の一例であるスロットマシン１は、前面が開口する筐体１ａと、この筐体１ａを正面から見て左側の前端辺に回動自在に枢支され、該筐体１ａの前面開口を開閉可能な前面扉１ｂと、から構成されている。前面扉１は、所定のキーにより前面扉１ｂの施錠及びエラー状態や打止状態を解除するためのドアキー１１７を備えており、遊技店員等が所有する特定キー（図示略）を用いることで施解錠できるようになっている。
【００２０】
本実施例のスロットマシン１の筐体１ａの内部には、図２に示すように、外周に複数種の図柄が配列されたリール２Ｌ，２Ｃ，２Ｒ（以下、左リール、中リール、右リール）が水平方向に並設されており、図１に示すように、これらリール２Ｌ，２Ｃ，２Ｒに配列された図柄のうち連続する３つの図柄が前面扉１ｂに設けられた透視窓３Ｌ，３Ｃ，３Ｒから見えるように配置されている。
【００２１】
リール２Ｌ，２Ｃ，２Ｒの外周部には、それぞれ「黒７」、「白７」（図示略）、「ＢＡＲ」（図示略）、「リプレイ」、「ベル」（図示略）、「スイカ」、「黒チェリー」、「白チェリー」（図示略）、「オレンジ」といった互いに識別可能な複数種類の図柄が所定の順序で、それぞれ２１個ずつ描かれている。リール２Ｌ，２Ｃ，２Ｒの外周部に描かれた図柄は、透視窓３Ｌ，３Ｃ，３Ｒにおいて各々上中下三段に表示される。
【００２２】
各リール２Ｌ，２Ｃ，２Ｒは、各々対応して設けられリールモータ３２Ｌ，３２Ｃ，３２Ｒ（図４参照）によって回転させることで、各リール２Ｌ，２Ｃ，２Ｒの図柄が透視窓３Ｌ，３Ｃ，３Ｒに連続的に変化しつつ表示されるとともに、各リール２Ｌ，２Ｃ，２Ｒの回転を停止させることで、透視窓３Ｌ，３Ｃ，３Ｒに３つの連続する図柄が表示結果として導出表示されるようになっている。
【００２３】
リール２Ｌ，２Ｃ，２Ｒの内側には、リール２Ｌ，２Ｃ，２Ｒそれぞれに対して、基準位置を検出するリールセンサ３３Ｌ，３３Ｃ，３３Ｒと、リール２Ｌ，２Ｃ，２Ｒを背面から照射するリールＬＥＤ５５と、が設けられている。また、リールＬＥＤ５５は、リール２Ｌ，２Ｃ，２Ｒの連続する３つの図柄に対応する１２のＬＥＤからなり、各図柄をそれぞれ独立して照射可能とされている。
【００２４】
前面扉１ｂの各リール２Ｌ，２Ｃ，２Ｒの手前側（遊技者側）の位置には、液晶表示器５１の表示領域５１ａが配置されている。液晶表示器５１は、液晶素子に対して電圧が印加されていない状態で透過性を有するノーマリーホワイトタイプの液晶パネルを有しており、表示領域５１ａの透視窓３Ｌ，３Ｃ，３Ｒに対応する透過領域５１Ｌ，５１Ｃ，５１Ｒ及び透視窓３Ｌ，３Ｃ，３Ｒを介して遊技者側から各リール２Ｌ，２Ｃ，２Ｒが視認できるようになっている。また、表示領域５１ａの透過領域５１Ｌ，５１Ｃ，５１Ｒを除く領域の背面には、背後から表示領域５１ａを照射するバックライト（図示略）が設けられているとともに、さらにその背面には、内部を隠蔽する隠蔽部材（図示略）が設けられている。
【００２５】
前面扉１ｂには、メダルを投入可能なメダル投入部４、メダルが払い出されるメダル払出口９、クレジット（遊技者所有の遊技用価値として記憶されているメダル数）を用いて、その範囲内において遊技状態に応じて定められた規定数の賭数のうち最大の賭数（例えば、遊技状態がレギュラーボーナス（ビッグボーナス）の場合には１、リプレイタイム（以下、ＲＴと略称する）では３）を設定する際に操作されるＭＡＸＢＥＴスイッチ６、クレジットとして記憶されているメダル及び賭数の設定に用いたメダルを精算する（クレジット及び賭数の設定に用いた分のメダルを返却させる）際に操作される精算スイッチ１０、ゲームを開始する際に操作されるスタートスイッチ７、リール２Ｌ，２Ｃ，２Ｒの回転を各々停止する際に操作されるストップスイッチ８Ｌ，８Ｃ，８Ｒ、が遊技者により操作可能にそれぞれ設けられている。
【００２６】
また、前面扉１ｂには、クレジットとして記憶されているメダル枚数が表示されるクレジット表示器１１、入賞の発生により払い出されたメダル枚数やエラー発生時にその内容を示すエラーコード等が表示されるペイアウト表示器１３が設けられている。
【００２７】
また、前面扉１ｂには、賭数が１設定されている旨を点灯により報知する１ＢＥＴＬＥＤ１４、賭数が２設定されている旨を点灯により報知する２ＢＥＴＬＥＤ１５、賭数が３設定されている旨を点灯により報知する３ＢＥＴＬＥＤ１６、メダルの投入が可能な状態を点灯により報知する投入要求ＬＥＤ１７、スタートスイッチ７の操作によるゲームのスタート操作が有効である旨を点灯により報知するスタート有効ＬＥＤ１８、ウェイト（前回のゲーム開始から一定期間経過していないためにリールの回転開始を待機している状態）中である旨を点灯により報知するウェイト中ＬＥＤ１９、後述するリプレイゲーム中である旨を点灯により報知するリプレイ中ＬＥＤ２０が設けられている。
【００２８】
ＭＡＸＢＥＴスイッチ６の内部には、ＭＡＸＢＥＴスイッチ６の操作による賭数の設定操作が有効である旨を点灯により報知するＢＥＴスイッチ有効ＬＥＤ２１（図４参照）が設けられており、ストップスイッチ８Ｌ，８Ｃ，８Ｒの内部には、該当するストップスイッチ８Ｌ，８Ｃ，８Ｒによるリールの停止操作が有効である旨を点灯により報知する左、中、右停止有効ＬＥＤ２２Ｌ，２２Ｃ，２２Ｒ（図４参照）がそれぞれ設けられている。
【００２９】
前面扉１ｂの内側には、所定のキー操作により後述するエラー状態及び後述する打止状態を解除するためのリセット操作を検出するリセットスイッチ２３、後述する設定値の変更中や設定値の確認中にその時点の設定値が表示される設定値表示器２４、メダル投入部４から投入されたメダルの流路を、筐体１ａ内部に設けられた後述のホッパータンク３４ａ（図２参照）側またはメダル払出口９側のいずれか一方に選択的に切り替えるための流路切替ソレノイド３０（図４参照）、メダル投入部４から投入され、ホッパータンク３４ａ側に流下したメダルを検出する投入メダルセンサ３１（図４参照）を有する投入メダルセレクタ１３１、前面扉１ｂの開放状態を検出するドア開放検出スイッチ２５（図４参照）が設けられている。
【００３０】
尚、本実施例では、前面扉１ｂの内側に、ビッグボーナス終了時に打止状態（リセット操作がなされるまでゲームの進行が規制される状態）に制御する打止機能の有効／無効を選択するための打止スイッチ、後述のビッグボーナス終了時に自動精算処理（クレジットとして記憶されているメダルを遊技者の操作によらず精算（返却）する処理）に制御する自動精算機能の有効／無効を選択するための自動精算スイッチは設けられていないが、これら打止スイッチや自動精算スイッチを設けてもよい。
【００３１】
筐体１ａ内部には、図２に示すように、前述したリール２Ｌ，２Ｃ，２Ｒ、リールモータ３２Ｌ，３２Ｃ，３２Ｒ、各リール２Ｌ，２Ｃ，２Ｒのリール基準位置をそれぞれ検出可能なリールセンサ３３Ｌ，３３Ｃ，３３Ｒ（図４参照）からなるリールユニット２、外部出力信号を出力するための外部出力基板１０００、メダル投入部４から投入されたメダルを貯留するホッパータンク３４ａ、ホッパータンク３４ａに貯留されたメダルをメダル払出口９より払い出すためのホッパーモータ３４ｂ（図４参照）、ホッパーモータ３４ｂの駆動により払い出されたメダルを検出する払出センサ３４ｃ（図４参照）からなるホッパーユニット３４、電源ボックス１００が設けられている。
【００３２】
また、筐体１ａを構成する背板１ｃの内面上部には、後述する遊技制御基板４０が収容された基板ケース２００が、遊技制御基板４０の電子部品の実装面の背面側が視認不可となる第１の回動規制位置（背面が筐体の背板に対向する位置）と、遊技制御基板４０の背面側が視認可能となる第２の回動規制位置（実装面が筐体の左側板に対向する位置）と、の間で回動可能に設けられている。
【００３３】
電源ボックス１００の内部には電源基板１０１が設けられている。電源基板１０１には、設定変更状態または設定確認状態に切り替えるための設定キースイッチ３７と、通常時においてはエラー状態や打止状態を解除するためのリセットスイッチとして機能し、設定変更状態においては後述する内部抽選の当選確率（出玉率）の設定値を変更するための設定スイッチとして機能するリセット／設定スイッチ３８と、電源をＯＮ／ＯＦＦする際に操作される電源スイッチ３９が搭載されており、これら設定キースイッチ３７、リセット／設定スイッチ３８、電源スイッチ３９は、電源ボックス１００の前面に設けられている。
【００３４】
ホッパーユニット３４の側部には、ホッパータンク３４ａから溢れたメダルが貯留されるオーバーフロータンク３５が設けられている。オーバーフロータンク３５の内部には、貯留された所定量のメダルを検出可能な高さに設けられた左右に離間する一対の導電部材からなる満タンセンサ３５ａが設けられており、導電部材がオーバーフロータンク３５内に貯留されたメダルを介して接触することにより導電したときに内部に貯留されたメダル貯留量が所定量以上となったこと、すなわちオーバーフロータンクが満タン状態となったことを検出できるようになっている。
【００３５】
本実施例のスロットマシン１においてゲームを行う場合には、まず、メダルをメダル投入部４から投入するか、あるいはクレジットを使用して賭数を設定する。クレジットを使用するにはＭＡＸＢＥＴスイッチ６を操作すれば良い。遊技状態に応じて定められた規定数の賭数が設定されると、入賞ラインＬ１〜Ｌ５（図１参照）が有効となり、スタートスイッチ７の操作が有効な状態、すなわち、ゲームが開始可能な状態となる。本実施例では、例えば規定数の賭数として遊技状態がレギュラーボーナス（ビッグボーナス）では１枚、通常遊技状態では３枚が定められている。尚、遊技状態に対応する規定数のうち最大数を超えてメダルが投入された場合には、その分はクレジットに加算される。
【００３６】
入賞ラインとは、各リール２Ｌ，２Ｃ，２Ｒの透視窓３Ｌ，３Ｃ，３Ｒに表示された図柄の組合せが入賞図柄の組合せであるかを判定するために設定されるラインである。本実施例では、図１に示すように、各リール２Ｌ，２Ｃ，２Ｒの中段に並んだ図柄に跨って設定された入賞ラインＬ１、各リール２Ｌ，２Ｃ，２Ｒの上段に並んだ図柄に跨って設定された入賞ラインＬ２、各リール２Ｌ，２Ｃ，２Ｒの下段に並んだ図柄に跨って設定された入賞ラインＬ３、リール２Ｌの上段、リール２Ｃの中段、リール２Ｒの下段、すなわち右下がりに並んだ図柄に跨って設定された入賞ラインＬ４、リール２Ｌの下段、リール２Ｃの中段、リール２Ｒの上段、すなわち右上がりに並んだ図柄に跨って設定された入賞ラインＬ５の５種類が入賞ラインとして定められている。
【００３７】
ゲームが開始可能な状態でスタートスイッチ７を操作すると、各リール２Ｌ，２Ｃ，２Ｒが回転し、各リール２Ｌ，２Ｃ，２Ｒの図柄が連続的に変動する。この状態でいずれかのストップスイッチ８Ｌ，８Ｃ，８Ｒを操作すると、対応するリール２Ｌ，２Ｃ，２Ｒの回転が停止し、透視窓３Ｌ，３Ｃ，３Ｒに表示結果が導出表示される。
【００３８】
そして全てのリール２Ｌ，２Ｃ，２Ｒが停止されることで１ゲームが終了し、有効化されたいずれかの入賞ラインＬ１〜Ｌ５上に予め定められた図柄の組合せ（以下、役とも呼ぶ）が各リール２Ｌ，２Ｃ，２Ｒの表示結果として停止した場合には入賞が発生し、その入賞に応じて定められた枚数のメダルが遊技者に対して付与され、クレジットに加算される。また、クレジットが上限数（本実施例では５０）に達した場合には、メダルが直接メダル払出口９（図１参照）から払い出されるようになっている。尚、有効化された複数の入賞ライン上にメダルの払出を伴う図柄の組合せが揃った場合には、有効化された入賞ラインに揃った図柄の組合せそれぞれに対して定められた払出枚数を合計し、合計した枚数のメダルが遊技者に対して付与されることとなる。ただし、１ゲームで付与されるメダルの払出枚数には、上限（本実施例では１５枚）が定められており、合計した払出枚数が上限を超える場合には、上限枚数のメダルが付与されることとなる。また、有効化されたいずれかの入賞ラインＬ１〜Ｌ５上に、遊技状態の移行を伴う図柄の組合せが各リール２Ｌ，２Ｃ，２Ｒの表示結果として停止した場合には図柄の組合せに応じた遊技状態に移行するようになっている。
【００３９】
図４は、スロットマシン１の構成を示すブロック図である。スロットマシン１には、図４に示すように、遊技制御基板４０、演出制御基板９０、電源基板１０１が設けられており、遊技制御基板４０によって遊技状態が制御され、演出制御基板９０によって遊技状態に応じた演出が制御され、電源基板１０１によってスロットマシン１を構成する電気部品の駆動電源が生成され、各部に供給される。
【００４０】
電源基板１０１には、外部からＡＣ１００Ｖの電源が供給されるとともに、このＡＣ１００Ｖの電源からスロットマシン１を構成する電気部品の駆動に必要な直流電圧が生成され、遊技制御基板４０及び遊技制御基板４０を介して接続された演出制御基板９０に供給されるようになっている。
【００４１】
電源基板１０１には、前述したホッパーモータ３４ｂ、払出センサ３４ｃ、満タンセンサ３５ａ、設定キースイッチ３７、リセット／設定スイッチ３８、電源スイッチ３９が接続されている。
【００４２】
遊技制御基板４０には、ＭＡＸＢＥＴスイッチ６、スタートスイッチ７、ストップスイッチ８Ｌ，８Ｃ，８Ｒ、精算スイッチ１０、リセットスイッチ２３、投入メダルセンサ３１、ドア開放検出スイッチ２５、リールセンサ３３Ｌ，３３Ｃ，３３Ｒが接続されているとともに、電源基板１０１を介してホッパーモータ３４ｂ、払出センサ３４ｃ、満タンセンサ３５ａ、設定キースイッチ３７、リセット／設定スイッチ３８が接続されており、これら接続されたスイッチ類の検出信号が入力されるようになっている。
【００４３】
また、遊技制御基板４０には、前述したクレジット表示器１１、ペイアウト表示器１３、１〜３ＢＥＴＬＥＤ１４〜１６、投入要求ＬＥＤ１７、スタート有効ＬＥＤ１８、ウェイト中ＬＥＤ１９、リプレイ中ＬＥＤ２０、ＢＥＴスイッチ有効ＬＥＤ２１、左、中、右停止有効ＬＥＤ２２Ｌ，２２Ｃ，２２Ｒ、設定値表示器２４、流路切替ソレノイド３０、リールモータ３２Ｌ，３２Ｃ，３２Ｒが接続されているとともに、電源基板１０１を介して前述したホッパーモータ３４ｂが接続されており、これら電気部品は、遊技制御基板４０に搭載された後述のメイン制御部４１の制御に基づいて駆動されるようになっている。
【００４４】
遊技制御基板４０には、メインＣＰＵ４１ａ、ＲＯＭ４１ｂ、ＲＡＭ４１ｃ、Ｉ／Ｏポート４１ｄを備えたマイクロコンピュータからなり、遊技の制御を行うメイン制御部４１、所定範囲（本実施例では０〜６５５３５）の乱数を生成する乱数回路４２、一定周波数のクロック信号を乱数回路４２に供給するパルス発振器４３、遊技制御基板４０に直接または電源基板１０１を介して接続されたスイッチ類から入力された検出信号を検出するスイッチ検出回路４４、リールモータ３２Ｌ，３２Ｃ，３２Ｒの駆動制御を行うモータ駆動回路４５、流路切替ソレノイド３０の駆動制御を行うソレノイド駆動回路４６、遊技制御基板４０に接続された各種表示器やＬＥＤの駆動制御を行うＬＥＤ駆動回路４７、スロットマシン１に供給される電源電圧を監視し、電圧低下を検出したときに、その旨を示す電圧低下信号をメイン制御部４１に対して出力する電断検出回路４８、電源投入時またはメインＣＰＵ４１ａからの初期化命令が入力されないときにメインＣＰＵ４１ａにリセット信号を与えるリセット回路４９、その他各種デバイス、回路等の電子部品が搭載されている。
【００４５】
メインＣＰＵ４１ａは、計時機能、タイマ割込などの割込機能（割込禁止機能を含む）を備え、ＲＯＭ４１ｂに記憶されたプログラム（後述）を実行して、遊技の進行に関する処理を行うととともに、遊技制御基板４０に搭載された制御回路の各部を直接的または間接的に制御する。ＲＯＭ４１ｂは、メインＣＰＵ４１ａが実行するプログラムや各種テーブル等の固定的なデータを記憶する。ＲＡＭ４１ｃは、メインＣＰＵ４１ａがプログラムを実行する際のワーク領域等として使用される。Ｉ／Ｏポート４１ｄは、メイン制御部４１が備える信号入出力端子を介して接続された各回路との間で制御信号を入出力する。
【００４６】
また、メイン制御部４１には、停電時においてもバックアップ電源が供給されており、バックアップ電源が供給されている間は、ＲＡＭ４１ｃに記憶されているデータが保持されるようになっている。
【００４７】
メインＣＰＵ４１ａは、基本処理として遊技制御基板４０に接続された各種スイッチ類の検出状態が変化するまでは制御状態に応じた処理を繰り返しループし、各種スイッチ類の検出状態の変化に応じて段階的に移行する処理を実行する。また、メインＣＰＵ４１ａは、前述のように割込機能を備えており、割込の発生により基本処理に割り込んで割込処理を実行できるようになっており、電断検出回路４８から出力された電圧低下信号の入力に応じて電断割込処理（メイン）を実行し、一定時間間隔（本実施例では、約０．５６ｍｓ）毎にタイマ割込処理（メイン）を実行する。尚、タイマ割込処理（メイン）の実行間隔は、基本処理において制御状態に応じて繰り返す処理が一巡する時間とタイマ割込処理（メイン）の実行時間とを合わせた時間よりも長い時間に設定されており、今回と次回のタイマ割込処理（メイン）との間で必ず制御状態に応じて繰り返す処理が最低でも一巡することとなる。
【００４８】
メインＣＰＵ４１ａは、Ｉ／Ｏポート４１ｄを介して演出制御基板９０に、各種のコマンドを送信する。遊技制御基板４０から演出制御基板９０へ送信されるコマンドは一方向のみで送られ、演出制御基板９０から遊技制御基板４０へ向けてコマンドが送られることはない。遊技制御基板４０から演出制御基板９０へ送信されるコマンドの伝送ラインは、ストローブ（ＩＮＴ）信号ライン、データ伝送ライン、グラウンドラインから構成され、遊技制御基板４０と演出制御基板９０とは直接接続されている。
【００４９】
演出制御基板９０には、スロットマシン１の前面扉１ｂに配置された液晶表示器５１（図１参照）、スピーカ５３Ｌ，５３Ｒ、５４Ｌ，５４Ｒ、前述したリールＬＥＤ５５、演出スイッチ５６、各種ＬＥＤ４７０，４７２，８３０ａ，８３０ｂ，８７０，８８２，８９８等の演出装置が接続されており、これら演出装置は、演出制御基板９０に搭載された後述のサブ制御部９１による制御に基づいて駆動されるようになっている。
【００５０】
尚、本実施例では、演出制御基板９０に搭載されたサブ制御部９１により、液晶表示器５１、スピーカ５３Ｌ，５３Ｒ、５４Ｌ，５４Ｒ、リールＬＥＤ５５、演出スイッチ５６、各種ＬＥＤ４７０，４７２，８３０ａ，８３０ｂ，８７０，８８２，８９８等の演出装置の出力制御が行われる構成であるが、サブ制御部９１とは別に演出装置の出力制御を直接的に行う出力制御部を演出制御基板９０または他の基板に搭載し、サブ制御部９１がメイン制御部４１からのコマンドに基づいて演出装置の出力パターンを決定し、サブ制御部９１が決定した出力パターンに基づいて出力制御部が演出装置の出力制御を行う構成としても良く、このような構成では、サブ制御部９１及び出力制御部の双方によって演出装置の出力制御が行われることとなる。
【００５１】
また、本実施例では、演出装置として液晶表示器５１、スピーカ５３Ｌ，５３Ｒ、５４Ｌ，５４Ｒ、リールＬＥＤ５５、演出スイッチ５６、各種ＬＥＤ４７０，４７２，８３０ａ，８３０ｂ，８７０，８８２，８９８を例示しているが、演出装置は、これらに限られず、例えば、機械的に駆動する表示装置や機械的に駆動する役モノなどを演出装置として適用しても良い。
【００５２】
演出制御基板９０には、メイン制御部４１と同様にサブＣＰＵ９１ａ、ＲＯＭ９１ｂ、ＲＡＭ９１ｃ、Ｉ／Ｏポート９１ｄを備えたマイクロコンピュータにて構成され、演出の制御を行うサブ制御部９１、演出制御基板９０に接続された液晶表示器５１の表示制御を行う表示制御回路９２、リールＬＥＤ５５、各種ＬＥＤ４７０，４７２，８３０ａ，８３０ｂ，８７０，８８２，８９８の駆動制御を行うＬＥＤ駆動回路９３、スピーカ５３Ｌ，５３Ｒ、５４Ｌ，５４Ｒからの音声出力制御を行う音声出力回路９４、電源投入時またはサブＣＰＵ９１ａからの初期化命令が一定時間入力されないときにサブＣＰＵ９１ａにリセット信号を与えるリセット回路９５、演出制御基板９０に直接または中継基板等を介して接続された演出スイッチ５６等のスイッチ類から入力された検出信号を検出するスイッチ検出回路９６、日付情報及び時刻情報を含む時間情報を出力する時計装置９７、スロットマシン１に供給される電源電圧を監視し、電圧低下を検出したときに、その旨を示す電圧低下信号をサブＣＰＵ９１ａに対して出力する電断検出回路９８、その他の回路等、が搭載されており、サブＣＰＵ９１ａは、遊技制御基板４０から送信されるコマンドを受けて、演出を行うための各種の制御を行うとともに、演出制御基板９０に搭載された制御回路の各部を直接的または間接的に制御する。
【００５３】
サブＣＰＵ９１ａは、メインＣＰＵ４１ａと同様に、割込機能（割込禁止機能を含む）を備える。サブ制御部９１の割込端子の１つは、コマンド伝送ラインのうち、メイン制御部４１がコマンドを送信する際に出力するストローブ（ＩＮＴ）信号線に接続されており、サブＣＰＵ９１ａは、ストローブ信号の入力に基づいて割込を発生させて、メイン制御部４１からのコマンドを取得し、バッファに格納するコマンド受信割込処理を実行する。また、サブＣＰＵ９１ａは、クロック入力数が一定数に到達する毎、すなわち一定間隔毎に割込を発生させて後述するタイマ割込処理（サブ）を実行する。また、サブ制御部９１の割込端子の１つは、電断検出回路９８と接続されており、サブＣＰＵ９１ａは、電断検出回路９８から出力された電圧低下信号の入力に応じて電断割込処理（サブ）を実行する。また、サブＣＰＵ９１ａにおいても未使用の割込が発生した場合には、もとの処理に即時復帰させる未使用割込処理を実行するようになっている。
【００５４】
また、サブ制御部９１にも、停電時においてバックアップ電源が供給されており、バックアップ電源が供給されている間は、ＲＡＭ９１ｃに記憶されているデータが保持されるようになっている。
【００５５】
本実施例のスロットマシン１では、前述のように遊技の制御を行うメイン制御部４１が設けられた遊技制御基板４０などの各種基板が搭載されており、これらの基板には、遊技者による遊技の進行操作が可能なスイッチ類等からなる電気部品がケーブルを介して接続されている。
【００５６】
遊技制御基板４０には、ＭＡＸＢＥＴスイッチ６、スタートスイッチ７、ストップスイッチ８Ｌ，８Ｃ，８Ｒ、投入メダルセンサ３１、リールモータ３２Ｌ，３２Ｃ，３２Ｒ、リールセンサ３３Ｌ，３３Ｃ，３３Ｒ、ホッパーモータ３４ｂ、払出センサ３４ｃ、演出制御基板９０が接続されている。
【００５７】
具体的には、スタートスイッチ７は遊技制御基板４０と配線接続され、ＭＡＸＢＥＴスイッチ６、ストップスイッチ８Ｌ，８Ｃ，８Ｒ、投入メダルセンサ３１、ドア開放検出スイッチ２５は、操作部中継基板（図示略）を経由して遊技制御基板４０と配線接続され、リールモータ３２Ｌ，３２Ｃ，３２Ｒ及びリールセンサ３３Ｌ，３３Ｃ，３３Ｒは、リール中継基板（図示略）を経由して遊技制御基板４０と配線接続され、ホッパーモータ３４ｂ及び払出センサ３４ｃは、電源基板１０１を経由して遊技制御基板４０と配線接続され、演出制御基板９０は遊技制御基板４０と配線接続されている。
【００５８】
操作部中継基板（図示略）、リール中継基板（図示略）、電源基板１０１、演出制御基板９０には、遊技制御基板４０と各電気部品とを接続するための配線パターン（図示略）が設けられており、各電気部品から遊技制御基板４０に対して出力される検出信号または遊技制御基板４０から供給（入力）される電力や信号等を中継可能とされている。
【００５９】
このようにスタートスイッチ７を除く各種電気部品と遊技制御基板４０とを、スロットマシン１の本体（本実施例では、筐体１ａ）所定箇所に取り付けた各中継基板（図示略）を経由して配線接続することで、遊技制御基板４０からスロットマシン１の本体所定箇所に個々に配設される複数の電気部品との配線の取りまとめが容易になるとともに、コネクタ接続部が常に中継基板または遊技制御基板４０に設けられることになり、これにより各電気部品それぞれのコネクタ接続部が固定されるため、配線接続作業時においてコネクタ接続部を探したり、接続する配線の種類を間違うこと等が防止される。
【００６０】
ＭＡＸＢＥＴスイッチ６、スタートスイッチ７、ストップスイッチ８Ｌ，８Ｃ，８Ｒ、投入メダルセンサ３１、リールモータ３２Ｌ，３２Ｃ，３２Ｒ、リールセンサ３３Ｌ，３３Ｃ，３３Ｒ、ホッパーモータ３４ｂ、払出センサ３４ｃは、ゲームの進行に関わる信号を遊技制御基板４０に入出力する電気部品である。ゲームの進行に関わる信号とは、例えば、ゲームを開始可能な状態とするための賭数の設定操作、ゲームを開始させるための操作、リール２Ｌ，２Ｃ，２Ｒの表示結果を導出させるための操作等、ゲームの進行操作に応じて遊技制御基板４０に出力される信号や、投入メダルの検出、リールの基準位置の検出、払出メダルの検出等、ゲームの進行に応じて遊技用電気部品から出力されて遊技制御基板４０に入力される信号と、スタート操作の検出に応じてリール２Ｌ，２Ｃ，２Ｒを駆動させるための駆動信号や、入賞の発生に伴いメダルを払い出すホッパーを駆動するための駆動信号等、ゲームの進行に応じて遊技制御基板４０から出力されて遊技用電気部品に入力される信号と、を含む。
【００６１】
本実施例のスロットマシン１は、遊技状態やエラーの発生状況などを示す外部出力信号を出力する。これら外部出力信号は、メインＣＰＵ４１ａの制御により遊技制御基板４０より出力され、外部出力基板１０００、スロットマシン１が設置される遊技店（ホール）の情報提供端子板（図示略）を介してホールコンピュータ（図示略）などのホール機器に出力されるようになっている。
【００６２】
遊技制御基板４０から外部出力基板１０００に対しては、賭数の設定に用いられたメダル数を示すメダルＩＮ信号、入賞の発生により遊技者に付与されたメダル数を示すメダルＯＵＴ信号、遊技状態が後述するＲＢ中の旨を示すＲＢ中信号、遊技状態が後述するＢＢ中の旨を示すＢＢ中信号、前面扉１ｂが開放中の旨を示すドア開放信号、後述する設定変更モードに移行している旨を示す設定変更信号、メダルセレクタの異常を示す投入エラー信号、ホッパーユニット３４の異常を示す払出エラー信号がそれぞれ出力される。
【００６３】
本実施例のスロットマシン１は、設定値に応じてメダルの払出率が変わるものである。詳しくは、後述する内部抽選において設定値に応じた当選確率を用いることにより、メダルの払出率が変わるようになっている。設定値は１〜６の６段階からなり、６が最も払出率が高く、５、４、３、２、１の順に値が小さくなるほど払出率が低くなる。すなわち設定値として６が設定されている場合には、遊技者にとって最も有利度が高く、５、４、３、２、１の順に値が小さくなるほど有利度が段階的に低くなる。
【００６４】
設定値を変更するためには、設定キースイッチ３７をＯＮ状態としてからスロットマシン１の電源をＯＮする必要がある。設定キースイッチ３７をＯＮ状態として電源をＯＮすると、設定値表示器２４にＲＡＭ４１ｃから読み出された設定値が表示値として表示され、リセット／設定スイッチ３８の操作による設定値の変更操作が可能な設定変更状態に移行する。設定変更状態において、リセット／設定スイッチ３８が操作されると、設定値表示器２４に表示された表示値が１ずつ更新されていく（設定６からさらに操作されたときは、設定１に戻る）。そして、スタートスイッチ７が操作されると表示値を設定値として確定する。そして、設定キースイッチ３７がＯＦＦされると、確定した表示値（設定値）がメイン制御部４１のＲＡＭ４１ｃに格納され、遊技の進行が可能な状態に移行する。
【００６５】
すなわち、設定キースイッチ３７をＯＮ状態として電源をＯＮすることにより、リセット／設定スイッチ３８の操作による設定値の変更操作が可能な設定変更状態に移行させるメイン制御部４１は、遊技者にとっての有利度である設定値を複数の有利度のうち（設定値１〜６）から設定する本発明の有利度設定手段を構成している。また、設定キースイッチ３７やリセット／設定スイッチ３８は、有利度である設定値を設定（変更）する際に用いられる設定操作部を構成している。
【００６６】
また、設定値を確認するためには、ゲーム終了後、賭数が設定されていない状態で設定キースイッチ３７をＯＮ状態とすれば良い。このような状況で設定キースイッチ３７をＯＮ状態とすると、設定値表示器２４にＲＡＭ４１ｃから読み出された設定値が表示されることで設定値を確認可能な設定確認状態に移行する。設定確認状態においては、ゲームの進行が不能であり、設定キースイッチ３７をＯＦＦ状態とすることで、設定確認状態が終了し、ゲームの進行が可能な状態に復帰することとなる。
【００６７】
本実施例のスロットマシン１においては、メインＣＰＵ４１ａが電断検出回路４８からの電圧低下信号を検出した際に、電断割込処理（メイン）を実行する。電断割込処理（メイン）では、レジスタを後述するＲＡＭ４１ｃのスタックに退避し、ＲＡＭ４１ｃにいずれかのビットが１となる破壊診断用データ（本実施例では、５ＡＨ）、すなわち０以外の特定のデータを格納するとともに、ＲＡＭ４１ｃの全ての領域に格納されたデータに基づくＲＡＭパリティが０となるようにＲＡＭパリティ調整用データを計算し、ＲＡＭ４１ｃに格納する処理を行うようになっている。尚、ＲＡＭパリティとはＲＡＭ４１ｃの該当する領域（本実施例では、全ての領域）の各ビットに格納されている値の排他的論理和として算出される値である。このため、ＲＡＭ４１ｃの全ての領域に格納されたデータに基づくＲＡＭパリティが０であれば、ＲＡＭパリティ調整用データは０となり、ＲＡＭ４１ｃの全ての領域に格納されたデータに基づくＲＡＭパリティが１であれば、ＲＡＭパリティ調整用データは１となる。
【００６８】
そして、メインＣＰＵ４１ａは、その起動時においてＲＡＭ４１ｃの全ての領域に格納されたデータに基づいてＲＡＭパリティを計算するとともに、破壊診断用データの値を確認し、ＲＡＭパリティが０であり、かつ破壊診断用データの値も正しいことを条件に、ＲＡＭ４１ｃに記憶されているデータに基づいてメインＣＰＵ４１ａの処理状態を電断前の状態に復帰させるが、ＲＡＭパリティが０でない場合（１の場合）や破壊診断用データの値が正しくない場合には、ＲＡＭ異常と判定し、ＲＡＭ異常エラーコードをレジスタにセットしてＲＡＭ異常エラー状態に制御し、遊技の進行を不能化させるようになっている。尚、ＲＡＭ異常エラー状態は、他のエラー状態と異なり、リセットスイッチ２３やリセット／設定スイッチ３８を操作しても解除されないようになっており、前述した設定変更状態において新たな設定値が設定されるまで解除されることがない。
【００６９】
尚、本実施例では、ＲＡＭ４１ｃに格納されている全てのデータが停電時においてもバックアップ電源により保持されるとともに、メインＣＰＵ４１ａは、電源投入時においてＲＡＭ４１ｃのデータが正常であると判定した場合に、ＲＡＭ４１ｃの格納データに基づいて電断前の制御状態に復帰する構成であるが、ＲＡＭ４１ｃに格納されているデータのうち停電時において制御状態の復帰に必要なデータのみをバックアップし、電源投入時においてバックアップされているデータに基づいて電断前の制御状態に復帰する構成としても良い。
【００７０】
また、電源投入時において電断前の制御状態に復帰させる際に、全ての制御状態を電断前の制御状態に復帰させる必要はなく、遊技者に対して不利益とならない最低限の制御状態を復帰させる構成であれば良く、例えば、入力ポートの状態などを全て電断前の状態に復帰させる必要はない。
【００７１】
また、サブＣＰＵ９１ａも電断検出回路９８からの電圧低下信号を検出した際に、電断割込処理（サブ）を実行する。電断割込処理（サブ）では、レジスタを後述するＲＡＭ９１ｃのスタックに退避し、ＲＡＭ９１ｃにいずれかのビットが１となる破壊診断用データを格納するとともに、ＲＡＭ９１ｃの全ての領域に格納されたデータに基づくＲＡＭパリティが０となるようにＲＡＭパリティ調整用データを計算し、ＲＡＭ９１ｃに格納する処理を行うようになっている。
【００７２】
そして、サブＣＰＵ９１ａは、その起動時においてＲＡＭ９１ｃの全ての領域に格納されたデータに基づいてＲＡＭパリティを計算し、ＲＡＭパリティが０であることを条件に、ＲＡＭ９１ｃに記憶されているデータに基づいてサブＣＰＵ９１ａの処理状態を電断前の状態に復帰させるが、ＲＡＭパリティが０でない場合（１の場合）には、ＲＡＭ異常と判定し、ＲＡＭ９１ｃを初期化するようになっている。この場合、メインサブＣＰＵ９１ａと異なり、ＲＡＭ９１ｃが初期化されるのみで演出の実行が不能化されることはない。
【００７３】
尚、本実施例では、ＲＡＭ９１ｃに格納されている全てのデータが停電時においてもバックアップ電源により保持されるとともに、サブＣＰＵ９１ａは、電源投入時においてＲＡＭ９１ｃのデータが正常であると判定した場合に、ＲＡＭ９１ｃの格納データに基づいて電断前の制御状態に復帰する構成であるが、ＲＡＭ９１ｃに格納されているデータのうち停電時において制御状態の復帰に必要なデータのみをバックアップし、電源投入時においてバックアップされているデータに基づいて電断前の制御状態に復帰する構成としても良い。
【００７４】
また、電源投入時において電断前の制御状態に復帰させる際に、全ての制御状態を電断前の制御状態に復帰させる必要はなく、遊技者に対して不利益とならない最低限の制御状態を復帰させる構成であれば良く、入力ポートの状態や、演出が途中で中断された場合の途中経過などを全て電断前の状態に復帰させる必要はない。例えば、ビッグボーナス中か、通常遊技状態か、などの遊技状態を示すデータのみをバックアップするとともに、遊技状態に対応する演出（ビッグボーナス中であればビッグボーナス中演出、通常遊技状態であれば通常演出）以外の特定の演出（小役告知など）の実行中に電断が発生した場合に、次回電源投入時において電断時に実行されていた特定の演出を再開するのではなく、電源投入時においてバックアップされている遊技状態に対応する演出を最初から実行するようにしても良い。
【００７５】
次に、メイン制御部４１のＲＡＭ４１ｃの初期化について説明する。メイン制御部４１のＲＡＭ４１ｃの格納領域は、重要ワーク、一般ワーク、特別ワーク、設定値ワーク、非保存ワーク、未使用領域、スタック領域に区分されている。
【００７６】
重要ワークは、各種表示器やＬＥＤの表示用データ、Ｉ／Ｏポート４１ｄの入出力データ、遊技時間の計時カウンタ等、ビッグボーナス終了時に初期化すると不都合があるデータが格納されるワークである。一般ワークは、停止制御テーブル、停止図柄、メダルの払出枚数、ビッグボーナス中のメダル払出総数等、ビッグボーナス終了時に初期化可能なデータが格納されるワークである。特別ワークは、演出制御基板９０へコマンドを送信するためのデータ、各種ソフトウェア乱数（後述する判定値加算用乱数、初期値変更用乱数）等、設定変更前にも初期化されないデータが格納されるワークである。設定値ワークは、内部抽選処理で抽選を行う際に用いる設定値が格納されるワークである。非保存ワークは、各種スイッチ類の状態を保持するワークであり、起動時にＲＡＭ４１ｃのデータが破壊されているか否かに関わらず必ず値が設定されることとなる。未使用領域は、ＲＡＭ４１ｃの格納領域のうち使用していない領域であり、後述する複数の初期化条件のいずれか１つでも成立すれば初期化されることとなる。スタック領域は、メインＣＰＵ４１ａのレジスタから退避したデータが格納される領域であり、このうちの未使用スタック領域は、未使用領域と同様に、後述する複数の初期化条件のいずれか１つでも成立すれば初期化されることとなるが、使用中スタック領域は、プログラムの続行のため、初期化されることはない。
【００７７】
本実施例においてメインＣＰＵ４１ａは、ＲＡＭ異常エラー発生時、設定キースイッチ３７がＯＮの状態での起動時、ビッグボーナス終了時、設定キースイッチ３７がＯＦＦの状態での起動時においてＲＡＭ４１ｃのデータが破壊されていないとき、１ゲーム終了時の５つからなる初期化条件が成立した際に、各初期化条件に応じて初期化される領域の異なる５種類の初期化を行う。
【００７８】
初期化０は、ＲＡＭ異常エラー発生時に行う初期化であり、初期化０では、ＲＡＭ４１ｃの格納領域のうち、使用中スタック領域を除く全ての領域（未使用領域及び未使用スタック領域を含む）が初期化される。初期化１は、起動時において設定キースイッチ３７がＯＮの状態であり、設定変更状態へ移行する場合において、その前に行う初期化であり、初期化１では、ＲＡＭ４１ｃの格納領域のうち、特別ワーク、非保存ワーク及び使用中スタック領域以外の領域（未使用領域及び未使用スタック領域を含む）が初期化される。初期化２は、ビッグボーナス終了時に行う初期化であり、初期化２では、ＲＡＭ４１ｃの格納領域のうち、一般ワーク、未使用領域及び未使用スタック領域が初期化される。初期化３は、起動時において設定キースイッチ３７がＯＦＦの状態であり、かつＲＡＭ４１ｃのデータが破壊されていない場合において行う初期化であり、初期化３では、非保存ワーク、未使用領域及び未使用スタック領域が初期化される。初期化４は、１ゲーム終了時に行う初期化であり、初期化４では、ＲＡＭ４１ｃの格納領域のうち、未使用領域及び未使用スタック領域が初期化される。
【００７９】
尚、本実施例では、初期化１を設定変更状態の移行前に行っているが、設定変更状態の終了時に行ったり、設定変更状態移行前、設定変更状態終了時の双方で行うようにしても良い。この場合、設定値ワークを初期化してしまうと確定した設定値が失われてしまうこととなるので、設定変更状態終了時の初期化では、設定値ワークの初期化は行われない。
【００８０】
本実施例のスロットマシン１は、前述のように遊技状態に応じて設定可能な賭数の規定数が定められており、遊技状態に応じて定められた規定数の賭数が設定されたことを条件にゲームを開始させることが可能となる。本実施例では、遊技状態として、例えば、レギュラーボーナス（以下ではＲＢと称す）（ビッグボーナス（以下ではＢＢと称す））、ＲＴ（０）〜（６）があり、このうちＲＢ（ＢＢ）では賭数の規定数として１が定められており、ＲＴ（０）〜（６）では賭数の規定数として３が定められている。このため、遊技状態がＲＢ（ＢＢ）であれば、賭数として１が設定されるとゲームを開始させることが可能となり、ＲＴ（０）〜（６）であれば、賭数として３が設定されるとゲームを開始させることが可能となる。尚、本実施例では、遊技状態に応じた規定数の賭数が設定された時点で、入賞ラインＬが有効化されるようになっており、ＲＢ（ＢＢ）では賭数として１が設定された時点で全ての入賞ラインＬ１〜Ｌ５が有効化されることなり、ＲＴ（０）〜（４）では賭数として３が設定された時点で全ての入賞ラインＬ１〜Ｌ５が有効化されることとなる。
【００８１】
本実施例のスロットマシン１は、全てのリール２Ｌ，２Ｃ，２Ｒが停止した際に、有効化された入賞ライン（以下では、有効化された入賞ラインを単に入賞ラインと呼ぶ）上に役と呼ばれる図柄の組合せが揃うと入賞となる。役は、同一図柄の組合せであっても良いし、異なる図柄を含む組合せであっても良い。入賞となる役の種類は、遊技状態に応じて定められているが、大きく分けて、メダルの払い出しを伴う小役と、賭数の設定を必要とせずに次のゲームを開始可能となる再遊技役と、遊技状態の移行を伴う特別役と、がある。以下では、小役と再遊技役をまとめて一般役とも呼ぶ。遊技状態に応じて定められた各役の入賞が発生するためには、後述する内部抽選に当選して、当該役の当選フラグがＲＡＭ４１ｃに設定されている必要がある。
【００８２】
尚、これら各役の当選フラグのうち、小役及び再遊技役の当選フラグは、当該フラグが設定されたゲームにおいてのみ有効とされ、次のゲームでは無効となるが、特別役の当選フラグは、当該フラグにより許容された役の組合せが揃うまで有効とされ、許容された役の組合せが揃ったゲームにおいて無効となる。すなわち特別役の当選フラグが一度当選すると、例え、当該フラグにより許容された役の組合せを揃えることができなかった場合にも、その当選フラグは無効とされずに、次のゲームへ持ち越されることとなる。
【００８３】
内部抽選は、上記した各役への入賞を許容するか否かを、全てのリール２Ｌ，２Ｃ，２Ｒの表示結果が導出表示される以前に（実際には、スタートスイッチ７の検出時）決定するものである。内部抽選では、まず、内部抽選用の乱数（０〜６５５３５の整数）が取得される。そして、遊技状態及び特別役の持ち越しの有無に応じて定められた各役について、取得した内部抽選用の乱数と、遊技状態、賭数及び設定値に応じて定められた各役の判定値数に応じて行われる。
【００８４】
本実施例では、遊技状態が、ＲＴ（０）（１）（特別役の非持越中）であるか、ＲＴ（２）（４）（５）（特別役の非持越中）であるか、ＲＴ（３）（特別役の非持越中）であるか、ＲＴ（６）（特別役の持越中）であるか、ＲＢ（ＢＢ）であるか、によって内部抽選の対象となる役が異なる。
【００８５】
内部抽選では、内部抽選の対象となる役、現在の遊技状態及び設定値に対応して定められた判定値数を、内部抽選用の乱数に順次加算し、加算の結果がオーバーフローしたときに、当該役に当選したものと判定される。このため、判定値数の大小に応じた確率（判定値数／６５５３６）で役が当選することとなる。
【００８６】
そして、いずれかの役の当選が判定された場合には、当選が判定された役に対応する当選フラグをＲＡＭ４１ｃに割り当てられた内部当選フラグ格納ワークに設定する。内部当選フラグ格納ワークは、２バイトの格納領域にて構成されており、そのうちの上位バイトが、特別役の当選フラグが設定される特別役格納ワークとして割り当てられ、下位バイトが、一般役の当選フラグが設定される一般役格納ワークとして割り当てられている。詳しくは、特別役が当選した場合には、当該特別役が当選した旨を示す特別役の当選フラグを特別役格納ワークに設定し、一般役格納ワークに設定されている当選フラグをクリアする。また、一般役が当選した場合には、当該一般役が当選した旨を示す一般役の当選フラグを一般役格納ワークに設定する。尚、いずれの役及び役の組合せにも当選しなかった場合には、一般役格納ワークのみクリアする。
【００８７】
本実施例では、メインＣＰＵ４１ａが演出制御基板９０に対して、ＢＥＴコマンド、クレジットコマンド、内部当選コマンド、リール回転開始コマンド、リール停止コマンド、入賞判定コマンド、払出開始コマンド、払出終了コマンド、遊技状態コマンド、待機コマンド、打止コマンド、エラーコマンド、復帰コマンド、設定開始コマンド、確認開始コマンド、確認終了コマンド、操作検出コマンドを含む複数種類のコマンドを送信する。
【００８８】
これらコマンドは、コマンドの種類を示す１バイトの種類データとコマンドの内容を示す１バイトの拡張データとからなり、サブＣＰＵ９１ａは、種類データからコマンドの種類を判別できるようになっている。
【００８９】
（スロットマシンの構造）
以下、スロットマシン１の詳細な構造について説明する。図５は、スロットマシンを示す斜視図である。図６は、前面扉の前面に組付けられた各種部材を示す分解斜視図である。図７は、前面扉の背面に組付けられた各種部材を示す分解斜視図である。図８は、前面扉の躯体を示す正面図である。図９は、前面扉の躯体を示す背面図である。
【００９０】
（前面扉）
図１〜図３及び図５に示すように、前面扉１ｂは、正面視縦長長方形状に形成され、上下方向の略中央位置には、前方に突出する突出部５が左右幅方向に延設されており、該突出部５を挟んで前面が上下に区画されている。突出部５の前面には、ストップスイッチ８Ｌ，８Ｃ，８Ｒが並設されている。その左側には、スタートスイッチ７及び精算スイッチ１０が配設されている。右側には、演出等に使用する演出スイッチ５６が配設されているとともに、さらにその右側には、背面側に配設される投入メダルセレクタ１３１内でのメダル詰まりを解除するためのメダル詰まり解除ボタン１１０と、その右側には所定のキーにより前面扉１ｂの施錠及びエラー状態や打止状態を解除するためのドアキー１１７が配設されている。また、突出部５の上面左側には、ＭＡＸＢＥＴスイッチ６が配設されているとともに、その左側には、各種ＬＥＤ１４〜２０及び各種表示器１１，１３が配設された遊技用表示部１２が配設されている。
【００９１】
突出部５の上方位置には、液晶表示器５１の表示領域５１ａを透視可能とする透明で平坦な合成樹脂板により正面視横長長方形状に形成された遊技パネル１１１が設けられている。遊技パネル１１１は、液晶表示器５１の表示領域５１ａを保護するためのパネルであって、後述する表示ユニット６００に予め一体に組み付けられており、前面扉１ｂの背面側から取り付けられている。
【００９２】
また、突出部５の下方位置には、透明な合成樹脂板により正面視横長長方形状に形成された下部パネル１２０が配設されている。下部パネル１２０は、その背面と前面扉１ｂの前面との間に所定前後幅寸法を有する空間部が形成され、前面には、当該スロットマシン１の機種名やタイトル等が表示されており、下部パネル１２０を通して機種名やタイトル等を視認できるようになっている。尚、下部パネル１２０の詳細な構造については後述する。
【００９３】
下部パネル１２０の下方位置には、スピーカ５４Ｌ，５４Ｒに対応する放音部１２２Ｌ，１２２Ｒが左右側に設けられている。これら放音部１２２Ｌ，１２２Ｒ間には、メダル払出口９が形成されているとともに、その左側には、遊技機の型式や製造業者名が表記されたラベル（図示略）及び製造番号、製造年月日等が表記された第三者機関発行のラベル（証紙、図示略）が貼付されたラベル貼着部材１８０が取り付けられている。下部パネル１２０の下方位置には、前方に向けて突設され、メダル払出口９から払い出されたメダルを貯留可能な受皿１２３が左右幅方向に延設されている。
【００９４】
遊技パネル１１１の上方には、後述する天レンズユニット４００が遊技パネル１１１の上辺部に沿うように設けられている。また、遊技パネル１１１の左右側方には、上サイドレンズユニット４５０Ｌ，４５０Ｒが、天レンズユニット４００の左右下端部から下方に向けて延設されている。また、下部パネル１２０の左右側方には、下サイドレンズユニット４５１Ｌ，４５１Ｒが上サイドレンズユニット４５０Ｌ，４５０Ｒの下端から下方に向けて延設されている。そしてこれら天レンズユニット４００、上サイドレンズユニット４５０Ｌ，４５０Ｒ、下サイドレンズユニット４５１Ｌ，４５１Ｒにより、正面視下向き略コ字形をなすメイン発光表示部４５２が形成されている。
【００９５】
さらに、これら天レンズユニット４００、上サイドレンズユニット４５０Ｌ，４５０Ｒ、下サイドレンズユニット４５１Ｌ，４５１Ｒの外側には、後述する複数の導光部材によって、メイン発光表示部４５２の左右幅よりも幅狭な筋状のサイド発光表示部４６０Ｌ，４６０Ｒが、前面扉１ｂの上部から下部にかけて左右側辺に沿うように延設されている。また、天レンズユニット４００の左右側方には、スピーカ５３Ｌ，５３Ｒから出力される音を放出する放音部１２１Ｌ，１２１Ｒが設けられている。
【００９６】
前面扉１ｂの背面におけるメダル投入部４の直下には、投入メダルセレクタ１３１が取り外し自在に設けられている。前面扉１ｂを背面から見て投入メダルセレクタ１３１の右側には、投入メダルセレクタ１３１の側面から流出したメダルをホッパータンク３４ａに誘導するメダルシュート１６０が取り付けられているとともに、投入メダルセレクタ１３１の下方には、投入メダルセレクタ１３１の背面下部から流出したメダルを下方のメダル払出口９に誘導するメダル返却通路１９１及びホッパーユニット３４から払い出されたメダルをメダル払出口９に誘導するメダル払出通路１９２を構成するメダル通路部材１９０が配設されている。
【００９７】
前面扉１ｂの背面における下部パネル１２０に対応する位置の右側には、設定値表示器２４が実装されるとともに、各種スイッチ類が接続される操作部中継基板７１５と、サブ中継基板６１３や下部パネル１２０側からの配線が接続されるドアベース中継基板７１７が配設されているとともに、これら各基板を被覆する基板カバー１９４が取り付けられている。また、放音部１２２Ｌ，１２２Ｒに対応する位置にはスピーカ５３Ｌ，５３Ｒが取り付けられ、ラベル貼着部材１８０に対応する箇所には不正防止部材２２０が取り付けられている。
【００９８】
（筐体）
図２に示すように、筐体１ａは、木製の上板１ｃ、左側板１ｄ、右側板１ｅ、底板１ｆ、背板１ｇと、により前面が開口する箱状に形成されている。背板１ｇの前面上部には、遊技制御基板４０を収納する遊技制御基板ケース２００が取り付けられている。遊技制御基板ケース２００は、遊技制御基板４０を収納した状態で開封不能に封止されているとともに、背板１ｇに対し上下方向を向く回動軸を中心として回動可能に固設された可動ベース２０１に取り外し不能に固着されている。尚、符号２０２は遊技制御基板４０に接続される配線側コネクタの抜脱を規制するコネクタ規制部材である。
【００９９】
背板１ｇの前面における遊技制御基板ケース２００の下方位置には、リールユニット２が取り付けられている。底板１ｆの上部には、電源ボックス１００が背板１ｇの表面に当接するように設置されている。尚、電源ボックス１００の上部には、電源基板１０１に設けられた基板側コネクタ（図示略）に接続される配線側コネクタ（図示略）の抜脱を規制するコネクタ規制部材３２６が取り付けられている。
【０１００】
電源ボックス１００の前面には、前述した設定キースイッチ３７、リセット／設定スイッチ３８、電源スイッチ３９が設けられており、これら設定キースイッチ３７、リセット／設定スイッチ３８、電源スイッチ３９が設けられた前面は、左側辺を中心として開閉可能に設けられた開閉扉１０１ａにより開閉可能とされている。
【０１０１】
上板１ｃの内面前端部には、帯板状の上補強枠板３２１が図示しないネジにより左右方向に向けて取り付けられている。左側板１ｄの内面前端部には、帯板状の左補強枠板３２２が図示しないネジにより上下方向に向けて取り付けられている。この左補強枠板３２２には、前面扉１ｂを回動自在に軸支する上下方向を向く上下一対の一対の軸ピン３２２ａ，３２２ｂが取り付けられている。右側板１ｅの内面前端部には、帯板状の右補強枠板３２３が図示しないネジにより上下方向に向けて取り付けられている。この右補強枠板３２３には、前面扉１ｂを係止する左右方向を向く上下一対の係止ピン３２３ａ，３２３ｂが取り付けられている。底板１ｆの内面には、板状の下補強枠板３２４が図示しないネジにより水平に取り付けられている。
【０１０２】
これら補強枠板３２１、左補強枠板３２２、右補強枠板３２３、下補強枠板３２４は、特に図示しないが互いの端部同士が連結されて四角枠状の補強枠として構成されて筺体１ａを補強するとともに、各補強板の前端が筺体１ａの前端辺よりも前面側に突出するように配置され、前面扉１ｂを閉鎖したときに該前面扉１ｂとの間に形成される隙間を閉塞して不正部材等の進入を防止する。
【０１０３】
リールユニット２は、外周面に複数種類の図柄が配列された円筒状のリール２Ｌ，２Ｃ，２Ｒと、リール２Ｌ，２Ｃ，２Ｒを回転駆動するリールモータ３２Ｌ，３２Ｃ，３２Ｒと、基準位置を検出するリールセンサ３３Ｌ，３３Ｃ，３３Ｒと、これらリール２Ｌ，２Ｃ，２Ｒ、リールモータ３２Ｌ，３２Ｃ，３２Ｒ、リールセンサ３３Ｌ，３３Ｃ，３３Ｒを支持するリール支持板３５０Ｌ，３５０Ｃ，３５０Ｒと、リール２Ｌ，２Ｃ，２Ｒを左右方向に並設した状態で保持する保持部材としてのリールボックス３５１と、から主に構成され、リールボックス３５１の上面にはリール中継基板（図示略）を被覆するリール中継基板ケース３７０が取り付けられている。
【０１０４】
リールボックス３５１は、合成樹脂材により前面が開口する箱状に形成されている。上板の前後幅寸法は下板の前後幅寸法よりも短寸に形成され、前面開口は上方に向けて背面側に傾斜しているとともに、上板の左右幅寸法は下板の左右幅寸法よりも若干短寸に形成され、前面開口は正面視台形状に形成されている。さらに、左右側板の前辺は後辺よりも長寸に形成されているため、前面開口は背板の面積よりも大きく形成されている。上下幅寸法はリール２Ｌ，２Ｃ，２Ｒの直径よりもやや長寸で、各リール２Ｌ，２Ｃ，２Ｒの後半部を収容可能な大きさを有している。
【０１０５】
リール中継基板ケース３７０は、各リール２Ｌ，２Ｃ，２Ｒのリールモータ３２Ｌ，３２Ｃ，３２Ｒ及びリールセンサ３３Ｌ，３３Ｃ，３３Ｒと遊技制御基板４０とを中継するリール中継基板（図示略）と、各リール２Ｌ，２Ｃ，２ＲのリールＬＥＤ５５と演出制御基板９０とを中継するリールＬＥＤ中継基板（図示略）と、を収納する透明な合成樹脂材からなる基板ベース及び基板カバーから構成されている。
【０１０６】
また、リールユニット２は、前面扉１ｂが閉止位置に位置したときに、リール２Ｌ，２Ｃ，２Ｒの前面側に形成される可変表示部が透視窓３Ｌ，３Ｃ，３Ｒに臨むように背板１ｇの内面に取り付けられる。
【０１０７】
（前面扉の構造）
次に、前面扉１ｂの構造について、図６〜図９に基づいて説明する。図６は、前面扉の前面構造を示す分解斜視図である。図７は、前面扉の背面構造を示す分解斜視図である。図８は、前面扉の躯体を示す正面図である。図９は、前面扉の躯体を示す背面図である。尚、以下の説明において、各部材を取り付けるネジは主要なネジのみを図示し、他のネジの図示は省略することがあるものとする。
【０１０８】
図６〜図９に示すように、前面扉１ｂの躯体１ｈは、非透光性の合成樹脂材により正面視縦長長方形状に形成され、上下方向の中央よりも上方位置には、正面視長方形状の表示用開口５００が形成されており、該表示用開口５００を介して液晶表示器５１の表示領域５１ａを前面側に臨ませることができるようになっている。
【０１０９】
躯体１ｈの前面において、表示用開口５００の上部には、天レンズユニット４００を収容可能な横長の収容凹部５０１が形成されており、該収容凹部５０１内には、天レンズユニット４００が複数のネジ４０１ｎ，４０２ｎにより背面側から取り付けられている。
【０１１０】
表示用開口５００の左右側には、上サイドレンズユニット４５０Ｌ，４５０Ｒが複数のネジ４５０ｎにより背面側から取り付けられている。また、上サイドレンズユニット４５０Ｌ，４５０Ｒの下方位置には、下サイドレンズユニット４５１Ｌ，４５１Ｒが複数のネジ４５１ｎにより背面側から取り付けられている。
【０１１１】
表示用開口５００の下方位置には、突出部５を構成する操作台ユニット５０２が複数のネジ５０２ｎにより背面側から取り付けられている。操作台ユニット５０２は、突出部５の前面を構成する透明な合成樹脂材からなるカバーパネル５０３と、カバーパネル５０３の下部に配設され表面にメッキ処理が施された下枠部材５０４と、上面に装飾が印刷により施された透光性を有する装飾シート５０５と、透光性を有する中部材５０６と、突出部５の上面を下方から照らす操作台ＬＥＤ（図示略）が複数設けられたコンパネ前基板５０７を保持する支持部材５０８と、から主に構成されている。
【０１１２】
これら操作台ユニット５０２には、ＭＡＸＢＥＴスイッチ６を有するＭＡＸＢＥＴスイッチユニット６Ａ、スタートスイッチ７を有するスタートスイッチユニット７Ａ、ストップスイッチ８Ｌ，８Ｃ，８Ｒを有するストップスイッチユニット８Ａ、精算スイッチ１０を有する精算スイッチユニット１０Ａ、各種ＬＥＤ及び表示器が搭載された遊技用表示基板１２Ａ、演出スイッチユニット５６Ａがそれぞれ組み付けられている。
【０１１３】
表示用開口５００の下方位置には、パネル取付凹部５１０が凹設されており、パネル取付凹部５１０には、下部パネル１２０を有する下部パネルユニット５５０が複数のネジ５５０ｎにより背面側から取り付けられている。また、パネル取付凹部５１０の右側上部には、投入メダルセレクタ１３１のセレクタ取付凹部７０５が前側に膨出するように形成されている。パネル取付凹部５１０の下方位置には、スピーカ５３Ｌ，５３Ｒとの対向位置に放音口５２０Ｌ，５２０Ｒが形成されている。また、その前面には、パンチングメタルからなる放音口５２２Ｌ，５２２Ｒが形成されるとともに、これら放音口５２２Ｌ，５２２Ｒの間にラベル貼着部材１８０が取り付けられる貼着部材取付凹部５２４及び払出口９を構成する払出孔５２３が形成された金属性の保護プレート５２５が、ネジ５２５ｎにより前面側から取り付けられている。
【０１１４】
保護プレート５２５の前側には、受皿１２３を構成する受皿ユニット５２６がネジ５２６ｎにより背面側から取り付けられ、この受皿ユニット５２６の後端面により保護プレート５２５の下辺部及び左右側辺部の前面が被覆されるようになっている。また、受皿ユニット５２６の左側には、灰皿５２７が回転自在に軸支されている。
【０１１５】
また、左右側辺下部には、受皿ユニット５２６の左右側面を覆うとともに、サイド発光表示部４６０Ｌ，４６０Ｒの下部を形成するサイド装飾部材５３０Ｌ，５３０Ｒが複数のネジ５３０ｎにより背面側から取り付けられている。
【０１１６】
図７及び図９に示すように、躯体１ｈの背面における表示用開口５００の上部における収容凹部５０１に対応する箇所には、中継基板７００が組付けられた基板カバー７０１が複数のネジ７０１ｎにより背面側から取り付けられている。また、基板カバー７０１の左右側には、スピーカ５３Ｌ，５３Ｒがネジ５３ｎにより取り付けられている。左右角部には、上装飾レンズ基板ユニット７０２Ｌ，７０２Ｒが複数のネジ７０２ｎにより取り付けられている。また、表示用開口５００の左右側には、上サイドレンズ基板ユニット７０３Ｌ，７０３Ｒが複数のネジ７０３ｎにより取り付けられているとともに、その下方には、下サイドレンズ基板ユニット７０４Ｌ，７０４Ｒが複数のネジ７０４ｎにより取り付けられている。さらにその下方には、装飾基板ユニット７０７Ｌ，７０７Ｒが複数のネジ７０７ｎにより取り付けられている。
【０１１７】
表示用開口５００の下方左側には、セレクタ取付凹部７０５が形成されており、このセレクタ取付凹部７０５内には、投入メダルセレクタ１３１が取り外し可能に取り付けられるメダルセレクタ取付部材１５０が複数のネジ１５０ｎにより取り付けられている。また、セレクタ取付凹部７０５の下部には、保護板金７２０がネジ７２０ｎにより取り付けられている。セレクタ取付凹部７０５の左側には、操作台ユニット５０２に組付けられた各種スイッチやＬＥＤ基板からの配線を挿通するための横長長方形状の挿通口７０６が形成されている。
【０１１８】
挿通口７０６の下方位置には、取付ベース７１６ａが形成されており、この取付ベース７１６ａには、設定値表示器２４等が実装されるとともに各種スイッチが接続される操作部中継基板７１５がネジ７１５ｎにより背面に取り付けられた基板ケース７１６が着脱可能に取り付けられている。また、その下方には取付ベース７１８ａが形成されており、この取付ベース７１８ａには、ドアベース中継基板７１７がネジ７１７ｎにより背面に取り付けられた基板ケース７１８が着脱自在に取り付けられている。また、取付ベース７１８ａの左側には、下部パネル１２０側からの配線を挿通するための配線孔１９３が形成されている。
【０１１９】
尚、これら操作部中継基板７１５、ドアベース中継基板７１７の背面には、これら基板や配線孔１９３を背面から被覆する透明な合成樹脂材からなる基板カバー１９４がラッチ部材１９４ａ（図２参照）により着脱自在に取り付けられる。
【０１２０】
また、投入メダルセレクタ１３１の下方には、投入メダルセレクタ１３１の背面下部から流出したメダルを下方のメダル払出口９に誘導するメダル返却通路１９１及びホッパーユニット３４から払い出されたメダルをメダル払出口９に誘導するメダル払出通路１９２を構成する前面が開口する横断面視コ字形に形成されたメダル通路部材１９０が複数のネジ１９０ｎにより取り付けられている。
【０１２１】
放音口５２０Ｌ，５２０Ｒの背面には、スピーカ５４Ｌ，５４Ｒが前面から組付けられたスピーカカバー７２４Ｌがネジ７２４ｎにより取り付けられている。尚、スピーカカバー７２４Ｌの背面には、前面扉１ｂを閉塞したときに、筐体１ａに配置された電源ボックス１００の前面を開閉する開閉扉１０１ａの前面に当接して該開閉扉１０１ａの開放を規制する開放規制部材７２５が取り付けられている。
【０１２２】
開放規制部材７２５は、帯状の金属板を平面視略直角三角形をなすように屈曲形成してなり、先端に形成された当接部７２５ａは、前面扉１ｂを閉塞したときに開閉扉１０１ａの前面に当接する。特に図示はしないが、開閉扉１０１ａは電源ボックス１００の前面左側辺を中心として開閉可能とされているため、当接部７２５ａは前面扉１ｂの前面右側、つまり、開放端側に当接するように設けられているとともに、当接部７２５ａは前面扉１ｂの前面に対して直交する直交片７２５ｂにより支持される。
【０１２３】
よって、前面扉１ｂの閉塞時に不正器具などを筐体１ａ内部に進入させて開閉扉１０１ａを無理に開放しようとしても、開閉扉１０１ａの開放端側が当接部７２５ａにより押えられていることで開閉扉１０１ａを撓ませて隙間を形成することも困難となるばかりか、当接部７２５ａは直交片７２５ｂにより開放方向に対して垂直に支持することで開放規制部材７２５が変形しにくくなり、開閉扉１０１ａの開放が困難となるため、リセット／設定スイッチ３８などに対する不正行為を抑制できる。
【０１２４】
放音口５２０Ｒの左側には払出口９が形成されているとともに、その左側には不正防止部材２２０がネジ２２０ｎにより取り付けられている。
【０１２５】
躯体１ｈの上辺部背面には、断面Ｌ字形の上補強板金７５０が複数のネジ（図示略）により左右方向に取り付けられるとともに、下辺部背面には、断面Ｌ字形の下補強板金７５７が複数のネジ（図示略）により左右方向に取り付けられている。また、左辺部には、断面コ字形の左補強板金７５５が複数のネジ（図示略）により上下方向に取り付けられ、右辺部には、断面コ字形の右補強板金７５６が複数のネジ（図示略）により上下幅方向に取り付けられている。また、上補強板金７５０の背面には、後述する取付支柱６３８ａ〜６３８ｃが突設されている。
【０１２６】
尚、上補強板金７５０の左端部と左補強板金７５５の上端とは連結ネジ７５５ｎにより連結されて躯体１ｈの背面右上角部に取り付けられ、上補強板金７５０の右端部と右補強板金７５６の上端とは連結ネジ７５６ｎにより連結されて躯体１ｈの背面左上角部に取り付けられ、下補強板金７５７の左端部と左補強板金７５５の下端とは、連結ネジ７５５ｎにより連結されて躯体１ｈの背面左下角部に取り付けられ、下補強板金７５７の右端部と右補強板金７５６の下端とは、連結ネジ７５６ｎにより連結されて躯体１ｈの背面右下角部に取り付けられる。
【０１２７】
このように各端部同士が連結された上補強板金７５０、左補強板金７５５、右補強板金７５６、下補強板金７５７により四角枠状の補強部が構成され、これにより合成樹脂材からなる躯体１ｈを補強する。
【０１２８】
また、右補強板金７５６には、前面扉１ｂを閉鎖したときに筐体１ａの右補強枠板３２３に設けられる係止ピン３２３ａ，３２３ｂに係止される係止フック７６２ａ，７６２ｂが背面側に向けて配設されているとともに、その前面側にはドアキー１１７（図１参照）が設けられている。係止フック７６２ａ，７６２ｂは、ドアキー１１７を図示しないキーで右回転させることにより回転して係止ピン３２３ａ，３２３ｂへの係止を解除できるようになっている。
【０１２９】
また、ドアキー１１７の近傍には、リセットスイッチ２３及びドア開放検出スイッチ２５が取り付けられるスイッチケース７５９が取り付けられている。ドアキー１１７を図示しないキーで右回転させて係止フック７６２ａ，７６２ｂを回転させると図示しない検出片がドア開放検出スイッチ２５により検出されて前面扉１ｂの開放が検出されるとともに、キーを左回転させることで図示しない検出片がリセットスイッチ２３により検出されてエラー状態がリセットされるようになっている。
【０１３０】
また、表示用開口５００の下辺部には、中補強枠７８０が複数のネジ（図示略）により左右方向に取り付けられている。特にその左右端部は、左補強板金７５５及び右補強板金７５６を取り付けるためのネジ（図示略）により左補強板金７５５及び右補強板金７５６とともに取り付けられている。
【０１３１】
中補強枠７８０の左右側には、表示ユニット６００を取り付ける際にその下端を支持する水平な支持片７８１Ｌ，７８１Ｒが背面側に向けて突設されている。各支持片７８１Ｌ，７８１Ｒには、係止孔７８２がそれぞれ形成されている。また、中補強枠７８０の右側上部には、メダルセレクタ取付部材１５０の上部に取り付けられる投入メダルガイド部材１４０が配設される。
【０１３２】
表示用開口５００の背面側には、後述する表示ユニット６００が取り付けられる。また、表示ユニット６００の背面には、演出制御基板９０が収納された演出制御基板ケース８００が組付けられている。
【０１３３】
（表示ユニット）
次に、表示ユニット６００の詳細な構造について、図１０〜図１７に基づいて説明する。図１０は、（Ａ）は表示ユニットを示す表面図、（Ｂ）は背面図である。図１１は、表示ユニットの前面側の構成を示す分解斜視図である。図１２は、表示ユニットの背面側の構成を示す分解斜視図である。図１３は、（Ａ）はベース部材を示す正面図、（Ｂ）は背面図である。図１４は、図１０（Ａ）のＡ−Ａ断面図である。図１５は、図１０（Ｂ）のＢ−Ｂ断面図である。図１６は、（Ａ）は移動取付枠を示す背面図、（Ｂ）は取付支柱を示す断面図である。図１７は、（Ａ）は緩衝部材を示す斜視図、（Ｂ）は緩衝部材の装着状況を示す斜視図、（Ｃ）は緩衝部材周辺の縦断面図である。
【０１３４】
図１０〜図１２に示すように、表示ユニット６００は、ベース部材６０１と、該ベース部材６０１の前面側に取り付けられる液晶表示器５１、遊技パネル１１１、取付枠６０３、金属板６０４、緩衝部材６０５ａ〜６０５ｄと、ベース部材６０１の背面側に取り付けられる移動取付枠６１０、補強枠６１１Ｌ，６１１Ｒ、バックライト基板ケース６１２、サブ中継基板６１３と、から主に構成されている。
【０１３５】
図１３〜図１５に示すように、ベース部材６０１は、非透光性を有する合成樹脂材により正面視略正方形状に形成され、主に下部に形成される枠状の取付壁部６１６と、上部に形成される板状の離間壁部６１７と、から構成されている。取付壁部６１６は、内側に横長長方形状をなす表示用開口６１５が形成されることにより四角枠状に形成される枠状壁部と、左右上部からベース部材６０１の左右側辺に沿って上方に延びる側壁部６１６ｂと、からなる。側壁部６１６ｂを含む取付壁部６１６の左右側辺の上下幅寸法は液晶表示器５１の左右側辺とほぼ同寸とされているとともに、左右幅寸法は液晶表示器５１の上下辺とほぼ同寸とされている。
【０１３６】
これら側壁部６１６ｂの上部及び取付壁部６１６の下部左右角部には、正面視Ｌ字形をなす支持片６１９ａ〜６１９ｄが突設されている。支持片６１９ａ〜６１９ｄは、例えば図１７（Ｂ）（Ｃ）に示す支持片６１９ｃを一例に説明すると、隣り合う２辺に沿って屈曲形成される屈曲片からなり、それらの内側には、複数の保持片６２０が支持片６１９ａ〜６１９ｄに対し所定の隙間を隔てて立設されており、これら保持片６２０と支持片６１９ａ〜６１９ｄとの間には、ゴム材等からなる緩衝部材６０５ａ〜６０５ｄが取り付けられている。
【０１３７】
図１７（Ａ）に示すように、緩衝部材６０５ａ〜６０５ｄは、支持片６１９ａ〜６１９ｄと同様にＬ字形に形成され、内面側には、各保持片６２０間に差し込まれる前後方向を向くリブ６２１が複数突設されている。これらリブ６２１は、図１７（Ｂ）に示すように、保持片６２０間に差し込まれたときに該保持片６２０間から内側に向けて突出する大きさに形成されており、これら突出した部位にて液晶表示器５１の角部側周面に接触して保持する。つまり、合成樹脂材からなる支持片６１９ａ〜６１９ｄにて直接保持するのではなく、緩衝部材６０５ａ〜６０５ｄを介して液晶表示器５１の角部側周面を保持する。
【０１３８】
また、ベース部材６０１の下辺下面左右側には、係止孔７８２（図７参照）に挿入可能な係止片６０６Ｌ，６０６Ｒが下向きに突設されている。また、ベース部材６０１の上辺左、中、右位置には、切欠部６０７Ｌ，６０７Ｃ，６０７Ｒが形成されている。
【０１３９】
図１１〜図１５に示すように、このように構成された取付壁部６１６には、液晶表示器５１がその背面を前面６１６ａに当接させるように前面側から配置される。前面６１６ａに液晶表示器５１が配置された状態において、該液晶表示器５１の４つの角部の側周面は、緩衝部材６０５ａ〜６０５ｄを介して支持片６１９ａ〜６１９ｄにより支持されるとともに、透過領域５１Ｌ，５１Ｃ，５１Ｒが表示用開口６１５に対応して配置される。また、液晶表示器５１の背面における左右側辺部、下辺部、透過領域５１Ｌ，５１Ｃ，５１Ｒの上方位置が左右方向にわたり前面６１６ａに当接して支持される。
【０１４０】
液晶表示器５１の前面側には、遊技パネル１１１が取付枠６０３を介して取り付けられる。遊技パネル１１１は、表示領域５１ａ全域を前面側から被覆可能な大きさ、かつ、所定肉厚を有する透明なアクリル樹脂板により構成されており、表示領域５１ａを前面側から透視可能とする。遊技パネル１１１は、取付枠６０３に形成された複数の係止爪６２２により上下左右辺所定箇所が弾性係止されることにより該取付枠６０３の前部に取り付けられる。
【０１４１】
取付枠６０３は、四角枠状に形成され、表示領域５１ａの前面周縁部を前側から押えるように周囲に取り付けられる。取付枠６０３の上下左右辺には複数の係止爪６２２が形成されており、これら係止爪６２２をベース部材６０１の所定箇所に弾性係止することによりベース部材６０１に対し着脱可能に取り付けできるようになっている。
【０１４２】
図１１に示すように、取付壁部６１６の前面６１６ａに液晶表示器５１を配置すると、液晶表示器５１の角部側周面が緩衝部材６０５ａ〜６０５ｄを介して支持片６１９ａ〜６１９ｄにより支持される。このように液晶表示器５１を配置した状態で、遊技パネル１１１が取り付けられ一体化された取付枠６０３を、係止爪６２２をベース部材６０１に弾性係止して取り付けると、図１４及び図１５に示すように、液晶表示器５１の表示領域５１ａ周囲が取付枠６０３により前面側から保持され、液晶表示器５１の前面６１６ａからの逸脱が規制される。また、表示領域５１ａに対し遊技パネル１１１が所定の隙間（例えば、約５〜１０ｍｍ程度）を隔てて配置されるので、遊技パネル１１１に対し外力が加わった場合でも衝撃が表示領域５１ａに直接伝達されることがないため、表示領域５１ａの破損が防止される。さらに、液晶表示器５１の４つの角部側周面が緩衝部材６０５ａ〜６０５ｄを介してベース部材６０１に支持されていることで、遊技パネル１１１に対し加えられた外力による衝撃が取付枠６０３に伝わっても液晶表示器５１には伝達されにくいので、液晶表示器５１の破損等が防止される。
【０１４３】
離間壁部６１７は、その前面６１７ａが取付壁部６１６の前面６１６ａよりも背面側に位置するように形成されており、前面６１５ａに配置された液晶表示器５１の上部背面との間に所定の隙間Ｓが形成される。また、離間壁部６１７の前面における左右の支持片６１９ａ，６１９ｂの略中央位置には、正面視横長長方形状の凸部６１８が突設されている。この凸部６１８の前面６１８ａは、取付壁部６１６の前面６１６ａとほぼ前後方向の同位置に配置されているので、前面６１６ａに配置された液晶表示器５１の背面上辺部に当接する。
【０１４４】
液晶表示器５１の背面における表示用開口６１５に対応する部分は背面側に開放されるが、表示用開口６１５の上方位置、つまり、背面上部は離間壁部６１７に対向することで背面側が開放されない。しかし、背面上部と離間壁部６１７との間には隙間Ｓが形成されていることで、液晶表示器５１の駆動により発生する熱を隙間Ｓから上方に逃すことができるようになっている。隙間Ｓの上部には凸部６１８が配設されているが、その左右側は上方に開放されているので、背面上部の放熱が妨げられることはない。
【０１４５】
また、このような放熱用の隙間Ｓ（空間部）が形成されることで、液晶表示器５１の背面上部は左右端部が左右の側壁部６１６ｂにより支持されているだけであるが、液晶表示器５１の背面上辺部の左右方向の略中央位置が凸部６１８の前面６１８ａに当接して背面側から支持されていることで、液晶表示器５１の上辺部が背面側に撓むことによる破損等が防止される。
【０１４６】
離間壁部６１７の前面上部、詳しくは、離間壁部６１７の前面における液晶表示器５１と対向しない領域には、横長長方形状をなす金属板６０４が複数のネジ６０４ｎにより止着されている（図１０（Ａ）、図１１参照）。金属板６０４には、横長長方形状をなす開口６０４ａが左右に形成されている。このように、ベース部材６０１の離間壁部６１７における金属板６０４が取り付けられる領域は、後述する天レンズユニット４００の取付手段を被覆する被覆部６３０を構成する。また、離間壁部６１７における凸部６１８の左斜め上方位置には、配線挿通口６２３が前後に貫通して形成されており、左側の開口６０４ａは配線挿通口６２３を前面側に臨ませている。
【０１４７】
離間壁部６１７の背面には、演出制御基板ケース８００の基板ケース取付部６２４と、サブ中継基板６１３の基板取付部６２５と、が左右に形成されている。基板ケース取付部６２４には、演出制御基板ケース８００に突設された係止片（図示略）が係止される係止溝６２６が４箇所に形成されているとともに、右側にはケースのスライド移動を規制する弾性係止片６２７が形成されている。また、基板ケース取付部６２４の下方位置には配線挿通口６０８が形成されている。
【０１４８】
また、基板ケース取付部６２４における凸部６１８に対応する位置には凹部６１８Ａが形成されている。つまり、凸部６１８は、ベース部材６０１の成型時に離間壁部６１７の一部を前面側に膨出させることにより背面が開口する中空状に形成され、背面には凹部６１８Ａが形成されている。このように離間壁部６１７の背面における凸部６１８に対応する位置には凹部６１８Ａが形成されているので、例えば、手指を挿入可能な取手として機能するため、表示ユニット６００を容易に持ち運びすることが可能となる。
【０１４９】
また、凹部６１８Ａの内部には、上下方向を向く補強用のリブ６２８が、凹部６１８Ａ内を左右方向に３つに区画するように複数形成されている。このようにすることで、中空状の凸部６１８が変形しないように補強されるだけでなく、１つの大きな空間が形成されるよりも挿入した手指が各リブ６２８に引っ掛かりやすくなるので、表示ユニット６００を持ちやすくなる。
【０１５０】
基板取付部６２５は、サブ中継基板６１３の周囲を被覆する周壁６２９を有し、この周壁６２９内には、サブ中継基板６１３が複数のネジ６１３ｎにより止着される。また、周壁６２９の上部及び左下には配線フック６３１，６３２が形成されている。
【０１５１】
離間壁部６１７の背面上辺部には、表示ユニット６００を前面扉１ｂの躯体１ｈに取り付けるための移動取付枠６１０が左右方向に移動可能に取り付けられている。図１２、図１３及び図１６に示すように、移動取付枠６１０は、横長帯状の金属板からなり、長手方向の左、中、右位置には長孔６３２ａ〜６３２ｃが左右方向に形成されており、この長孔６３２ａ〜６３２ｃに挿通した複数の固定ピン６３１ａ〜６３１ｃを離間壁部６１７に形成されたネジ孔に止着することで、後述する係止位置と係止解除位置との間で左右方向にスライド移動可能に支持される。取り付けられた移動取付枠６１０の左右側は、離間壁部６１７に形成された左右一対の上向きのフック片６３３により下方から支持されるとともに、背面側への離脱が規制される。
【０１５２】
また、移動取付枠６１０の右端には操作片６３４が背面側に屈曲形成されており、操作片６３４を介して移動取付枠６１０を左右に移動操作できるようになっている。また、離間壁部６１７の背面右側上部には、規制片６３５が弾性変形可能に形成されている。この規制片６３５は、移動取付枠６１０が係止位置となったときに該移動取付枠６１０の右端に係止されて係止解除位置方向への移動を規制し、前面側に向けて押圧することで該係止状態が解除されて移動取付枠６１０を右側の係止解除位置に向けて移動可能とする。
【０１５３】
移動取付枠６１０における長孔６３２ａの右側及び長孔６３２ｂ，６３２ｃの左側には、取付孔６３６ａ〜６３６ｃが形成されている。取付孔６３６ａ〜６３６ｃは、上補強板金７５０の背面における左、中、右位置にそれぞれ突設される取付支柱６３８ａ〜６３８ｃ（図２２参照）を挿通可能な大きさを有する挿通部６３７ａと、挿通部６３７ａから左側に連設され、取付支柱６３８ａ〜６３８ｃを挿通不能、かつ、取付支柱６３８ａ〜６３８ｃの先端部外周に環状に形成された係止溝６３８ｍを挿通可能な上下幅を有する長孔部６３７ｂと、からなる。
【０１５４】
また、これら取付孔６３６ａ〜６３６ｃは、左右幅寸法は全て同寸とされているが、挿通部６３７ａの左右幅Ｌ１と長孔部６３７ｂの左右幅Ｌ２との比率がそれぞれ異なっている。具体的には、取付孔６３６ａの挿通部６３７ａの左右幅Ｌ１と長孔部６３７ｂの左右幅Ｌ２との比率は約１：１であり、取付孔６３６ｂの挿通部６３７ａの左右幅Ｌ１と長孔部６３７ｂの左右幅Ｌ２との比率は約２：１であり、取付孔６３６ｃの挿通部６３７ａの左右幅Ｌ１と長孔部６３７ｂの左右幅Ｌ２との比率は約２．５：１である。
【０１５５】
尚、このような挿通部６３７ａの左右幅Ｌ１と長孔部６３７ｂの左右幅Ｌ２との比率は種々に変更可能であり、上記比率に限定されるものではない。
【０１５６】
図１６（Ａ）に示すように、移動取付枠６１０を右側の係止解除位置に位置させたとき、各固定ピン６３１ａ〜６３１ｃは長孔６３２ａ〜６３２ｃの左端部に位置する。この状態で後述するように表示ユニット６００を躯体１ｈの背面上部に取り付けると、各取付孔６３６ａ〜６３６ｃの挿通部６３７ａに取付支柱６３８ａ〜６３８ｃが挿入される。そしてこの状態で移動取付枠６１０を左側の係止位置に向けて移動させることで、各取付支柱６３８ａ〜６３８ｃの長孔部６３７ｂに係止溝６３８ｍが挿入される。このとき、各取付孔６３６ａ〜６３６ｃの挿通部６３７ａの左右幅Ｌ１と長孔部６３７ｂの左右幅Ｌ２との比率がそれぞれ異なっていることで、各取付支柱６３８ａ〜６３８ｃの長孔部６３７ｂに係止溝６３８ｍが挿入して係止されるタイミングが各取付孔６３６ａ〜６３６ｃで異なるようになっている。
【０１５７】
具体的には、移動取付枠６１０を左側の係止位置に向けて移動させると、まず、挿通部６３７ａの左右幅Ｌ１が最も短い取付孔６３６ａの長孔部６３７ｂに係止溝６３８ｍが挿入して係止される。次いで、取付孔６３６ｂの長孔部６３７ｂに係止溝６３８ｍが挿入して係止され、最後に、取付孔６３６ｃの長孔部６３７ｂに係止溝６３８ｍが挿入して係止される。このように、複数のうち一の長孔部６３７ｂが対応する係止溝６３８ｍに係止された後に他の長孔部６３７ｂが対応する他の係止溝６３８ｍに順次係止されるようになっている。よって、移動取付枠６１０をスライド移動させることで複数の長孔部６３７ｂを対応する他の係止溝６３８ｍに係止させることができるとともに、複数の長孔部６３７ｂは対応する他の係止溝６３８ｍに順次係止されていくことにより、例えば、成型精度や組付精度によって各長孔部６３７ｂと係止溝６３８ｍとの間に位置ずれなどが生じていても、複数の長孔部６３７ｂを対応する係止溝６３８ｍに一度に係止させるよりも係止の際に生じる摩擦抵抗が小さくなるため、操作性が向上する。
【０１５８】
図１２及び図２５に示すように、取付壁部６１６の背面左右辺部には、金属製の補強枠６１１Ｌ，６１１Ｒが複数のネジ６１１ｎにより左右側辺に沿って止着されている。補強枠６１１Ｌ，６１１Ｒは、取付壁部６１６の背面に当接するベース板６４０ａと、ベース板６４０ａの内辺から前方に屈曲される前片６４０ｂと、ベース板６４０ａの外辺から後方に屈曲される後片６４０ｃと、からなる。ベース板６４０ａにおける上下方向の略中央位置には開口６４１が形成されており、取付壁部６１６の背面に形成された取付部６４２が嵌合されるようになっている。また、後片６４０ｃにおける開口６４１に対応する位置には、長孔６４３が上下方向に形成されている。
【０１５９】
取付部６４２には、ネジ６４４ｎにより係止部材６４４Ｌ，６４４Ｒが回動可能に取り付けられている。係止部材６４４Ｌ，６４４Ｒは、前後方向を向くネジ６４４ｎを中心として軸支された長方形状の係止片６４４ａと、係止片６４４ａの両側辺から後方に向けて屈曲された一対の操作片６４４ｂと、から構成されている。また、図２５（Ａ）（Ｃ）に示すように、係止片６４４ａが上下方向を向く非係止状態と、図２５（Ｂ）（Ｄ）に示すように、係止片６４４ａが左右方向を向く係止状態と、の間の約９０度の範囲内で変化（回動）可能とされている。
【０１６０】
図２５（Ｂ）（Ｄ）に示す係止状態においては、係止片６４４ａの先端がベース板６４０ａよりも左右側方に突出し、躯体１ｈに取り付けられた左補強板金７５５とその前面側に配置される上サイドレンズ基板ユニット７０３Ｌ，７０３Ｒとの間に形成された隙間に挿入して左補強板金７５５の前面に係止されるとともに、他端が長孔６４３内に挿入されるようになっている。他端が長孔６４３内に挿入されることで、回動規制されるとともに、係止片６４４ａの先端が左補強板金７５５に係止されるときに加わる力で係止部材６４４Ｌ，６４４Ｒが変形したり、補強枠６１１Ｌ，６１１Ｒに対し回動軸が曲がらないように支持される。
【０１６１】
また、図２５（Ｂ）（Ｄ）に示す係止状態において、操作片６４４ｂの側端面と左補強板金７５５の側壁７５５ａとの間に後述するケーブルＫ６等の配線を挿通して挟持することが可能な隙間である配線挿通部６４５が形成されるため、この配線挿通部６４５にケーブルＫ６を挿通して挟持することができる。尚、右側の係止部材６４４Ｒは係止部材６４４Ｌと同じ構造であり同様の作用・効果を奏するため、ここでの説明は省略する。
【０１６２】
（天レンズユニット）
次に、天レンズユニット４００の詳細な構造について、図１８及び図１９に基づいて説明する。図１８は、天レンズユニットの内部構造を斜め前から見た状態を示す分解斜視図である。図１９は、天レンズユニットの内部構造を斜め後ろから見た状態を示す分解斜視図である。
【０１６３】
図１８及び図１９に示すように、天レンズユニット４００は、透明な合成樹脂材により前面が開口する箱状に形成されたベース部材４０１と、ベース部材４０１の前面開口を閉止する透明な合成樹脂材からなるカバー部材４０２と、前面が開口する箱状に形成され、表面にメッキ処理が施された反射部材４０３と、透明な合成樹脂材により立体形状に形成されるレンズユニット４０４Ｌ，４０４Ｃ，４０４Ｒ、４０５と、これらレンズユニット４０４Ｌ，４０４Ｃ，４０４Ｒ、４０５を背面側から照らす天レンズ発光ダイオード（ＬＥＤ）４７０が設けられた天レンズＬＥＤ基板４７１と、レンズユニット４０４Ｌ，４０４Ｒを背面側から照らすサイド天レンズ発光ダイオード（ＬＥＤ）４７２が設けられたサイド天レンズＬＥＤ基板４７３Ｌ，４７３Ｒと、から主に構成されている。
【０１６４】
レンズユニット４０４Ｌ，４０４Ｃ，４０４Ｒ、４０５は反射部材４０３に前面側から組み付けられ、反射部材４０３はベース部材４０１に前面側から組み付けられる。また、カバー部材４０２は、複数のネジ４０２ｎを介してベース部材４０１に取り付けられるとともに、複数の取付部材４０６により反射部材４０３に取り付けられる。このように天レンズユニット４００は、ベース部材４０１とカバー部材４０２とにより形成される空間内にレンズユニット４０４Ｌ，４０４Ｃ，４０４Ｒ、４０５及び天レンズＬＥＤ基板４７１やサイド天レンズＬＥＤ基板４７３Ｌ，４７３Ｒが組み付けられて一体のユニットとして構成されている。尚、これらレンズユニット４０４Ｌ，４０４Ｃ，４０４Ｒ、４０５はエッジライト方式にて発光するようになっている。また、レンズユニット４０４Ｌ，４０４Ｒは所定の色（例えば、青色）に着色され、斜め外側に向けて発光可能に配設されている。
【０１６５】
ベース部材４０１の背面には、弾性変形可能な複数（本実施例では４つ）の係止爪４１０ａ〜４１０ｄが突設されているとともに、後述するように躯体１ｈに取り付けるための取付ネジ４０１ｎ（図６参照）が螺入されるネジ孔４１１ａ〜４１１ｄが複数個所（本実施例では４か所）に形成されている。また、係止爪４１０ａ〜４１０ｄの内側には配線挿通口４１２が形成されており、内部に設けられた天レンズＬＥＤ基板４７１やサイド天レンズＬＥＤ基板４７３Ｌ，４７３Ｒに接続される配線を挿通可能とされている。
【０１６６】
また、カバー部材４０２の背面には、後述するように躯体１ｈに取り付けるための取付ネジ４０２ｎが螺入されるネジ孔４１３ａ，４１３ｂが後端に形成された取付用ボス４１４ａ，４１４ｂが背面側に向けて突設されている。尚、取付用ボス４１４ａ，４１４ｂは、ベース部材４０１とカバー部材４０２とが一体化されたときにベース部材４０１の左右下端に挿入されてネジ孔４１３ａ，４１３ｂがベース部材４０１の背面側に露呈するようになっている。
【０１６７】
また、ベース部材４０１の上辺及び左右辺部から前側に向けて形成される側壁４１５の外面及びカバー部材４０２の下辺部から背面側に向けて形成される側壁４１６の外面には、前後２条の段部４１７，４１８が周方向に延設されており、これら前後２条の段部４１７，４１８は、ベース部材４０１とカバー部材４０２とが一体化されたときにそれぞれ連続するようになっている。このような段部４１７，４１８が形成されることで、天レンズユニット４００の周縁に背面側を向く筋状の段部が形成されるようになっている。
【０１６８】
（天レンズユニット及び表示ユニットの取り付け）
次に、天レンズユニット４００及び表示ユニット６００の躯体１ｈの取り付けについて、図２０〜図２８に基づいて説明する。図２０は、躯体の上部を示す正面図である。図２１は、補強板金が取り付けられた躯体を示す背面図である。図２２は、躯体に対する天レンズユニット及び表示ユニットの取付状況を示す斜視図である。図２３は、表示ユニットの躯体への取付状況を示す断面図である。図２４は、（Ａ）〜（Ｃ）は移動取付枠による係止態様を示す説明図である。図２５は、（Ａ）（Ｂ）は左側の係止部材の係止態様の一例を示す斜視図、（Ｃ）（Ｄ）は背面図である。図２６は、躯体に表示ユニットが取り付けられた状態を示す背面図である。図２７は、表示ユニット周辺の配線状況を示す図である。図２８は、表示ユニットとリールユニットとの位置関係を示す断面図である。
【０１６９】
まず、図２０及び図２１に示すように、収容凹部５０１には、天レンズユニット４００の係止爪４１０ａ〜４１０ｄが挿入可能な縦長長方形状の係止孔５３１ａ〜５３１ｄが複数個所に形成されているとともに、これらの内側には配線挿通口５３２が形成されている。また、収容凹部５０１の四隅には、天レンズユニット４００を取り付けるためのネジ４０１ｎ（図２２参照）の取付孔５３３ａ〜５３３ｄが形成されているとともに、収容凹部５０１の左右側下方位置には、天レンズユニット４００を取り付けるためのネジ４０２ｎ（図２２参照）の取付孔５３４ａ，５３４ｂが形成されている。
【０１７０】
このように、天レンズユニット４００を配設するための収容凹部５０１には、係止孔５３１ａ〜５３１ｄ、取付孔５３３ａ〜５３３ｄ、５３４ａ，５３４ｂなどの取付孔が複数形成されている。つまり、天レンズユニット４００は後述するように躯体１ｈに対し取付手段により背面側から取り付けられるものであるため、収容凹部５０１には、係止孔５３１ａ〜５３１ｄ、取付孔５３３ａ〜５３３ｄ、５３４ａ，５３４ｂなどの取付孔が形成される。
【０１７１】
また、天レンズユニット４００の内部には、表示装置としての天レンズＬＥＤ４７０，サイド天レンズＬＥＤ４７２が内蔵されており、このような天レンズＬＥＤ４７０，サイド天レンズＬＥＤ４７２は演出制御基板９０に配線接続されるため、躯体１ｈの前面側に配設される天レンズＬＥＤ基板４７１やサイド天レンズＬＥＤ基板４７３Ｌ，４７３Ｒと躯体１ｈの背面側に配設される演出制御基板９０とを接続するケーブル（図示略）を挿通するための配線挿通口５３２が形成される。尚、成型時に形成される成型孔や部材を背面側に逃がすための開口などが形成されることもある。
【０１７２】
このように収容凹部５０１には、取付孔、配線挿通口などの複数の開口が形成されているため、天レンズユニット４００を取り外しことで、スロットマシン１の前面側からこれら開口に不正器具を進入させることが可能な構造とされている。
【０１７３】
次に、天レンズユニット４００及び表示ユニット６００の取り付けについて、図２２〜図２６に基づいて説明すると、図２２に示すように、天レンズユニット４００及び表示ユニット６００を躯体１ｈに取り付ける場合、まず、天レンズユニット４００を躯体１ｈの前面上部に形成された収容凹部５０１に取り付ける。具体的には、天レンズユニット４００の背面を収容凹部５０１に対向させた状態で、躯体１ｈの前面側から天レンズユニット４００を収容凹部５０１に押し込む。これにより、各係止爪４１０ａ〜４１０ｄが係止孔５３１ａ〜５３１ｄに挿入され、係止孔５３１ａ〜５３１ｄの開口縁に各係止爪４１０ａ〜４１０ｄが背面側にて弾性係止される。これにより天レンズユニット４００は収容凹部５０１に収容された状態で躯体１ｈに係止される。
【０１７４】
このように天レンズユニット４００が躯体１ｈの前面上部に係止された状態で、ネジ４０１ｎを取付孔５３３ａ〜５３３ｄ（図２０，図２１参照）に取り付けて挿通して天レンズユニット４００のネジ孔４１１ａ〜４１１ｄに螺入するとともに、ネジ４０２ｎを取付孔５３４ａ，５３４ｂ（図２０，図２１参照）に取り付けて挿通して天レンズユニット４００のネジ孔４１３ａ，４１３ｂに螺入する。これにより天レンズユニット４００は、躯体１ｈの前面上部に配設された状態で、取付手段としての係止爪４１０ａ〜４１０ｄ及び係止孔５３１ａ〜５３１ｄと、複数のネジ４０１ｎ，４０２ｎ及び取付孔５３３ａ〜５３３ｄ、ネジ孔４１１ａ〜４１１ｄ、４１３ａ，４１３ｂと、により躯体１ｈに背面側から取り付けられる。
【０１７５】
よって、天レンズユニット４００を躯体１ｈから取り外すときには、躯体１ｈの背面側にて係止爪４１０ａ〜４１０ｄを弾性変形させて係止孔５３１ａ〜５３１ｄへの係止状態を解除するとともに、複数のネジ４０１ｎ，４０２ｎをドライバー等の工具を用いてネジ孔４１１ａ〜４１１ｄ、４１３ａ，４１３ｂから取り外さなければならない。つまり、取り外し操作が可能な操作部としての係止爪４１０ａ〜４１０ｄの先端部やネジ４０１ｎ，４０２ｎの頭部が躯体１ｈの背面側に配置されるので、これら係止爪４１０ａ〜４１０ｄやネジ４０１ｎ，４０２ｎなどの取付部材は、躯体１ｈの背面側でのみ被取付部である係止孔５３１ａ〜５３１ｄやネジ孔４１１ａ〜４１１ｄ、４１３ａ，４１３ｂから取り外す、すなわち、取付状態を解除することができるようになっている。
【０１７６】
次いで、図２２に示すように、表示ユニット６００を、躯体１ｈの背面に表示用開口５００を被覆するように取り付ける。具体的には、まず、支持片７８１Ｌ，７８１Ｒ上に表示ユニット６００を載置した状態で、図２３に示すように、表示ユニット６００の下端を中心として上部を躯体１ｈの背面に向けて押し込むように回動させる。このとき、ベース部材６０１の下面に突設された係止片６０６Ｌ，６０６Ｒを中補強枠７８０の支持片７８１Ｌ，７８１Ｒに形成された係止孔７８２にそれぞれ差し込むことで、表示ユニット６００を回動させるときの回動中心が決定されるため、位置ずれが生じることがない。
【０１７７】
表示ユニット６００を躯体１ｈの背面に向けて押し込むと、上補強板金７５０の取付支柱６３８ａ〜６３８ｃが切欠部６０７Ｌ，６０７Ｃ，６０７Ｒを挿通して各取付孔６３６ａ〜６３６ｃの挿通部６３７ａに挿入される（図１６参照）。そして、移動取付枠６１０を係止解除位置から係止位置に向けて左側（図２４中右側）にスライドさせる。
【０１７８】
図２４に示すように、移動取付枠６１０を左側（図２４中右側）の係止位置に向けて移動させると、まず、左側の取付孔６３６ａの長孔部６３７ｂに係止溝６３８ｍが挿入して係止される（図２４（Ａ）参照）。次いで、中央の取付孔６３６ｂの長孔部６３７ｂに係止溝６３８ｍが挿入して係止され（図２４（Ｂ）参照）、最後に、右側の取付孔６３６ｃの長孔部６３７ｂに係止溝６３８ｍが挿入して係止される（図２４（Ｃ）参照）。
【０１７９】
このように、複数のうち一の長孔部６３７ｂが対応する係止溝６３８ｍに係止された後に他の長孔部６３７ｂが対応する他の係止溝６３８ｍに順次係止される。これにより、表示ユニット６００の下部と上部とが躯体１ｈの背面上部に係止されるため、躯体１ｈからの離脱が規制される。
【０１８０】
次いで、図２５に示すように、係止部材６４４Ｌ，６４４Ｒを回動させて非係止状態から係止状態に変化させて、係止片６４４ａの先端を左補強板金７５５及び右補強板金７５６の前面に係止させる。これにより、表示ユニット６００の左右側辺部における上下方向の略中央位置が左補強板金７５５及び右補強板金７５６により背面側から支持されるため、表示用開口５００を介して前面側から遊技パネル１１１に外力が加わったときでも、表示ユニット６００の左右側辺部が前後方向に撓みにくくなる。
【０１８１】
図２６に示すように、表示ユニット６００が躯体１ｈの背面上部に取り付けられると、遊技パネル１１１の前面周縁部が躯体１ｈの背面における表示用開口５００の周縁部に圧接され、表示領域５１ａ全域が表示用開口５００を介して前面側に臨むように配設されるとともに、躯体１ｈの背面における表示用開口５００の上方位置である収容凹部５０１に対応する部分が被覆部６３０（図中斜線領域）により被覆される。
【０１８２】
つまり、天レンズユニット４００を躯体１ｈに取り付けるための係止爪４１０ａ〜４１０ｄやネジ４０１ｎが被覆部６３０により背面側から被覆される。また、ネジ４０２ｎは被覆部６３０により被覆されないが、離間壁部６１７の側部により部分的に被覆される。このように天レンズユニット４００を躯体１ｈに取り付けるための取付手段である係止爪４１０ａ〜４１０ｄやネジ４０１ｎの少なくとも一部が被覆部６３０や離間壁部６１７により背面側から被覆されることで、これら取付手段による取付状態を解除して天レンズユニット４００を躯体１ｈから取り外すことが極めて困難となる。
【０１８３】
また、被覆部６３０における係止爪４１０ａの近傍位置には配線挿通口６２３が形成されている。このような係止爪４１０ａなどの取付手段は、被覆部６３０に形成された配線挿通口６２３等の挿通口に対応する位置とは異なる個所に形成されていることが好ましいが、係止爪４１０ａ全体が配線挿通口６２３等の挿通口に対応する位置に形成されていなければよい。さらに、複数の取付手段の全てが挿通口に対応する位置に形成されていなければ、複数のうちいずれかが挿通口に対応する位置に形成されていてもよい。
【０１８４】
具体的には、図２３に示すように、躯体１ｈにおいて係止孔５３１ａ〜５３１ｄや取付孔５３３ａ〜５３３ｄ、ネジ孔４１１ａ〜４１１ｄなどの被取付部が形成される収容凹部５０１の背面に対し、表示ユニット６００の被覆部６３０が所定の隙間を隔てて近接して配置される。これにより、係止爪４１０ａ〜４１０ｄやネジ４０１ｎが被覆されるので、係止爪４１０ａ〜４１０ｄを背面側から操作したり、ネジ４０１ｎにドライバー等の工具を背面側から差し込むことが困難となることで取付状態の解除が困難となる。また、収容凹部５０１の背面側に係止爪４１０ａ〜４１０ｄを操作したりネジ４０１ｎにドライバー等の工具を差し込むために必要なスペースがなくなって取付状態の解除が困難となる。また、ネジ４０１ｎを背面側に取り外す際に被覆部６３０に接触して取り外しにくくなることにより取付状態の解除が困難となる。
【０１８５】
すなわち、表示ユニット６００は、前面扉１ｂを構成する躯体１ｈに取り付けたときに該表示ユニット６００を取り外さない限り取付手段（係止爪４１０ａ〜４１０ｄと係止孔５３１ａ〜５３１ｄやネジ４０１ｎと取付孔５３３ａ〜５３３ｄ、ネジ孔４１１ａ〜４１１ｄ）による取付状態を解除することができないように該取付手段を背面側から被覆する離間壁部６１７の一部である被覆部６３０を有している。
【０１８６】
また、躯体１ｈの背面における収容凹部５０１の背面に対し被覆部６３０が近接して配置されることで、仮に前面扉１ｂを開放せずに、何らかの不正器具を進入させることなどによってスロットマシン１の前面側から天レンズユニット４００が取り外され、スロットマシン１の前面側からこれら係止孔５３１ａ〜５３１ｄや取付孔５３３ａ〜５３３ｄ、ネジ孔４１１ａ〜４１１ｄに不正器具を前面側から進入されても、係止孔５３１ａ〜５３１ｄや取付孔５３３ａ〜５３３ｄ、ネジ孔４１１ａ〜４１１ｄの背面側に配置された被覆部６３０が邪魔になり、該不正器具を表示ユニット６００の背面や筐体１ａ内部に向けてさらに進入させることができないため、表示ユニット６００の背面にある演出制御基板９０や筐体１ａにある遊技制御基板４０まで進入させることは極めて困難となる。
【０１８７】
このように、躯体１ｈの前面側に配設される天レンズユニット４００を取り外すには、例えば、遊技店所有の特定キー（図示略）などにより前面扉１ｂを開放して、背面側から係止爪４１０ａ〜４１０ｄやネジ４０１ｎによる取付状態を解除しなければならないばかりか、該取付手段による取付状態を解除するには、表示装置としての液晶表示器５１を有する表示ユニット６００を躯体１ｈから取り外して被覆部６３０による被覆状態を解除しなければならず手間がかかるため、スロットマシン１の前面側から天レンズユニット４００を取り外そうとしても、被覆部６３０が邪魔になって係止爪４１０ａ〜４１０ｄやネジ４０１ｎによる取付状態を解除することは困難であるため、筐体１ａ内や前面扉１ｂの背面に搭載された電気部品等に不正な改造等を施すといった不正行為を抑制することができる。
【０１８８】
具体的には、例えば、店員等の目を盗んで筐体１ａ内の電子部品に不正行為を施す場合、前面扉１ｂを開放すると目立つため、前面扉１ｂを開放して短時間のうちに天レンズユニット４００の取付状態を背面側から解除した後に一旦前面扉１ｂを閉塞し、後に前面扉１ｂを開放せずに、天レンズユニット４００のみを部分的に取り外して不正しようとすることが考えられるため、上記のように天レンズユニット４００の取り外しが困難であって時間がかかるようにすれば、こういった不正行為を抑止することができる。
【０１８９】
また、特に本実施例では、表示ユニット６００は、表示用開口５００を介して前面側に臨ませる遊技パネル１１１が一体的に組み付けられていることで、例えば、機種変更などに応じて筐体１ａや前面扉１ｂを使い回すときでも、長期の使用によりキズや破損が生じた遊技パネル１１１は交換する可能性が高いとともに、表示装置である液晶表示器５１も一体化されている。よって、遊技パネル１１１を交換するときや液晶表示器５１などに何らかの不具合が生じたときに、遊技店の営業中においても表示ユニット６００を躯体１ｈから取り外すことがあることで、表示ユニット６００は、移動取付枠６１０を係止解除位置までスライド移動させるとともに、係止部材６４４Ｌ，６４４Ｒを回動して非係止状態に変化させるだけで、工具等を用いることなく簡単に取り外すことができる。また、取付操作も簡単であるため、天レンズユニット４００を躯体１ｈから取り外すよりは簡単に取り外すことができるようになっている。よって、点検や交換作業が容易である。
【０１９０】
このように躯体１ｈに着脱可能に取り付けられた表示ユニット６００を利用して、天レンズユニット４００の取付手段である係止爪４１０ａ〜４１０ｄやネジ４０１ｎを被覆することで、天レンズユニット４００の取り外しに手間がかかるようにしているため、表示ユニット６００の点検や遊技パネル１１１の交換等の作業性は維持しつつ、不正行為を抑制することができる。
【０１９１】
また、演出装置としての天レンズユニット４００は、例えば、機種変更などに応じて内部の導光部材の形状を変更したり、ＬＥＤ以外の可動部材などの演出装置が配設された他のユニットに交換するときに躯体１ｈから取り外すことがあるが、上記のように、機種変更の際には表示ユニット６００及び天レンズユニット４００双方を躯体１ｈから取り外す必要があるため、天レンズユニット４００を取り外す際に先に表示ユニット６００を取り外さなければならなくても、２度手間になることはない。
【０１９２】
また、図２７に示すように、離間壁部６１７の基板ケース取付部６２４には演出制御基板ケース８００が取り付けられ、被覆部６３０の一部である基板ケース取付部６２４が演出制御基板ケース８００により背面側から被覆されることになるため、離間壁部６１７を破壊するなどして取付手段（係止爪４１０ａ〜４１０ｄと係止孔５３１ａ〜５３１ｄやネジ４０１ｎと取付孔５３３ａ〜５３３ｄ、ネジ孔４１１ａ〜４１１ｄ、４１３ａ，４１３ｂなど）にアプローチすることをより困難とすることができる。
【０１９３】
また、凹部６１８Ａは基板ケース取付部６２４に形成されていることで、演出制御基板ケース８００が基板ケース取付部６２４に組付けられることで凹部６１８Ａの開口が閉塞されるので、凹部６１８Ａの背面開口を演出制御基板ケース８００により目立たないように隠蔽することができる。
【０１９４】
また、このように表示ユニット６００が躯体１ｈに取り付けられ、基板ケース取付部６２４に演出制御基板ケース８００が取り付けられると、各基板同士を配線接続することが可能となる。
【０１９５】
図２７に示すように、演出制御基板ケース８００に収納された演出制御基板９０に設けられた基板側コネクタＣＮ１は、遊技制御基板４０に接続されるケーブルＫ１のケーブル側コネクタ（図示略）が接続されるコネクタである。基板側コネクタＣＮ２は、電源基板１０１に接続されるケーブルＫ２のケーブル側コネクタ（図示略）が接続されるコネクタである。基板側コネクタＣＮ３は、サブ中継基板６１３に接続されるケーブルＫ３のケーブル側コネクタ（図示略）が接続されるコネクタである。基板側コネクタＣＮ４は、バックライト基板（図示略）に接続されるケーブルＫ４のケーブル側コネクタ（図示略）が接続されるコネクタである。基板側コネクタＣＮ５は、配線挿通口６０８を挿通して液晶表示器５１ケーブルＫ５のケーブル側コネクタ（図示略）が接続されるコネクタである。
【０１９６】
また、サブ中継基板６１３とドアベース中継基板７１７（図３参照）とはケーブルＫ６により配線接続されている。また、サブ中継基板６１３と天レンズユニット４００に内蔵された各天レンズＬＥＤ基板４７１とはケーブルＫ７により配線接続されている。また、基板側コネクタＣＮ１及び該基板側コネクタＣＮ１に接続されるケーブルＫ１のケーブル側コネクタ（図示略）は、演出制御基板ケース８００に取り外し不能に取り付けられたコネクタ規制部材６５０により被覆されており、基板側コネクタＣＮ１からのケーブル側コネクタ（図示略）の抜脱が規制されている。
【０１９７】
ケーブルＫ６は、上方のサブ中継基板６１３から下方のドアベース中継基板７１７（図３参照）に向けて前面扉１ｂの背面左側辺に沿って配線される。そしてこのケーブルＫ６の所定箇所は、図２５にて説明したように、係止状態である係止部材６４４Ｌの操作片６４４ｂの側端面と左補強板金７５５の側壁７５５ａとの間に形成された配線挿通部６４５に挿通されて保持される。
【０１９８】
このように、回動可能な係止部材６４４Ｌを利用して配線挿通部６４５を形成可能とすることで、表示ユニット６００を取り外すために係止部材６４４Ｌを非係止状態に変化させることによりケーブルＫ６も容易に外すことができる。また、表示ユニット６００を取り付けると係止部材６４４Ｌが係止状態となり配線挿通部６４５が形成されるので、ケーブルＫ６を体裁よく配線することができる。また、前面扉１ｂの回動軸側である左側辺に配線挿通部６４５が形成されるようにすることで、前面扉１ｂの開閉時にケーブルＫ６が暴れて筐体１ａとの間に挟んで断線すること等を防止できる。
【０１９９】
また、図２８に示すように、筐体１ａの前面開口を前面扉１ｂにより閉止した状態において、表示ユニット６００は各リール２Ｌ，２Ｃ，２Ｒの前方に配置されるため、遊技者は透過領域５１Ｌ，５１Ｃ，５１Ｒを透してリール２Ｌ，２Ｃ，２Ｒを視認することが可能となる。また、バックライト基板ケース６１２は、リール２Ｒの右側方に配設されるため、透過領域５１Ｌ，５１Ｃ，５１Ｒを正面から覗いてもバックライト基板ケース６１２は見えないため、バックライト基板ケース６１２を目立ちにくく配設することができる。さらに、バックライト基板ケース６１２のリール２Ｒ側のケースは黒色に着色されているため、より目立ちにくくなっている。
【０２００】
このように、バックライト基板ケース６１２を離間壁部６１７の下方位置である取付壁部６１６に配置しても、邪魔にならないばかりか、躯体１ｈの背面に対し直交するように配置することで、透過領域５１Ｌ，５１Ｃ，５１Ｒの側方など狭いスペースに設置することが可能となる。
【０２０１】
以上説明したように、本発明の実施例としてのスロットマシン１にあっては、表示ユニット６００は、該表示ユニット６００を躯体１ｈに取り付けたときに該表示ユニット６００を取り外さない限り天レンズユニット４００を躯体１ｈ（前面扉１ｂ）に取り付けるための取付手段（係止爪４１０ａ〜４１０ｄと係止孔５３１ａ〜５３１ｄやネジ４０１ｎと取付孔５３３ａ〜５３３ｄ、ネジ孔４１１ａ〜４１１ｄ）による取付状態を解除することができないように該取付手段を背面側から被覆する被覆部６３０を有することで、躯体１ｈの前面側に配設される天レンズユニット４００を取り外すには、前面扉１ｂを開放して背面側から係止爪４１０ａ〜４１０ｄの係止孔５３１ａ〜５３１ｄへの係止状態を解除したり、ネジ４０１ｎを取付孔５３３ａ〜５３３ｄ、ネジ孔４１１ａ〜４１１ｄから取り外すなどしてこれら取付手段による取付状態を解除しなければならないばかりか、該取付手段による取付状態を解除するには、液晶表示器５１を有する表示ユニット６００を躯体１ｈから取り外して被覆部６３０による被覆状態を解除しなければならず、手間がかかる。
【０２０２】
よって、躯体１ｈから天レンズユニット４００を取り外して、例えば、針金やセル板などの不正器具を、躯体１ｈの収容凹部５０１に形成された係止孔５３１ａ〜５３１ｄ、取付孔５３３ａ〜５３３ｄ、５３４ａ，５３４ｂなどの取付孔や配線挿通口５３２等の配線孔や成型時に形成される成型孔といった開口にスロットマシン１の前面側から進入させて、筐体１ａ内部や前面扉１ｂの背面など本体内部に搭載された電気部品（例えば、メインＣＰＵ４１ａやサブＣＰＵ９１ａなど）等に不正な改造等を施すといった不正行為を抑制することができる。
【０２０３】
また、本実施例の液晶表示器５１は、背面側に配置されるリール２Ｌ，２Ｃ，２Ｒの可変表示部を透視可能な透視窓部である透過領域５１Ｌ，５１Ｃ，５１Ｒ及び該透過領域５１Ｌ，５１Ｃ，５１Ｒを含め前面扉１ｂの前面の一部を構成する遊技パネル１１１の全域にわたり設けられる演出表示部としての表示領域５１ａを有するため、透過領域５１Ｌ，５１Ｃ，５１Ｒを含まない液晶表示器に比べて大型で重量がある表示装置とされている。よって、このような大型の液晶表示器５１を有する表示ユニット６００を利用して取付手段（係止爪４１０ａ〜４１０ｄと係止孔５３１ａ〜５３１ｄやネジ４０１ｎと取付孔５３３ａ〜５３３ｄ、ネジ孔４１１ａ〜４１１ｄ）を被覆することで、該表示ユニット６００を躯体１ｈから取り外すのに手間がかかるため、上記したような不正行為をより抑制することができる。
【０２０４】
また、本実施例では、表示ユニット６００の上部に形成された被覆部６３０により取付手段（係止爪４１０ａ〜４１０ｄと係止孔５３１ａ〜５３１ｄやネジ４０１ｎと取付孔５３３ａ〜５３３ｄ、ネジ孔４１１ａ〜４１１ｄ）が被覆されていたが、被覆部６３０は表示ユニット６００の上部以外の部位であってもよい。
【０２０５】
また、本実施例では、天レンズユニット４００を躯体１ｈに取り付けるための複数の取付手段である係止爪４１０ａ〜４１０ｄと係止孔５３１ａ〜５３１ｄや、ネジ４０１ｎ，４０２ｎと取付孔５３３ａ〜５３３ｄ、５３４ａ，５３４ｂ、ネジ孔４１１ａ〜４１１ｄ、４１３ａ，４１３ｂのうち、ネジ４０２ｎと取付孔５３４ａ，５３４ｂ、ネジ孔４１３ａ，４１３ｂ以外が被覆部６３０により被覆されていたが、全ての取付手段（係止爪４１０ａ〜４１０ｄと係止孔５３１ａ〜５３１ｄや、ネジ４０１ｎ，４０２ｎと取付孔５３３ａ〜５３３ｄ、５３４ａ，５３４ｂ、ネジ孔４１１ａ〜４１１ｄ、４１３ａ，４１３ｂ）が被覆部６３０により被覆されるようにしてもよい。このように複数の取付手段が被覆されればより取り外しが困難となるので不正行為を抑制できる。
【０２０６】
また、例えば、ネジ４０２ｎと取付孔５３４ａ，５３４ｂ、ネジ孔４１３ａ，４１３ｂを、表示ユニット６００における被覆部６３０以外の箇所（例えば、離間壁部６１７や取付壁部６１６など）により被覆されるようにしてもよい。
【０２０７】
また、本実施例では、取付手段としての複数の取付手段が被覆部６３０により背面側から被覆されるようになっていたが、複数の取付手段のうち少なくとも一部が被覆されていれば、必ずしも複数の取付手段が被覆されていなくてもよい。
【０２０８】
また、本実施例では、被覆部６３０は板状の壁部にて構成されていたが、取付手段としての係止爪４１０ａ〜４１０ｄやネジ４０１ｎによる取付状態を解除することが困難とされていれば、必ずしも壁部にて被覆されていなくてもよく、例えば、網状部材や柵部材等により被覆されていてもよい。
【０２０９】
また、本実施例では、取付手段の一例として、係止孔５３１ａ〜５３１ｄに係止可能な係止爪４１０ａ〜４１０ｄや、取付孔５３３ａ〜５３３ｄ、ネジ孔４１１ａ〜４１１ｄに取り付け可能なネジ４０１ｎが適用されていたが、係止爪４１０ａ〜４１０ｄまたはネジ４０１ｎのいずれか一方のみにて取り付けられるようになっていてもよい。さらに、表示ユニット６００を躯体１ｈに取り付け可能な手段であれば、上記のように弾性係脱可能な係止部材やネジ部材に限らず、例えば、被係止部に係止可能な係止フックなどの係止部材や、ラッチ部材等の他の取付部材も適用可能である。
【０２１０】
また、本実施例では、演出ユニットの一例として、躯体１ｈの前面上部に配設される天レンズユニット４００が適用されていたが、演出ユニットの配設位置は任意であり、例えば、上サイドレンズユニット４５０Ｌ，４５０Ｒや下サイドレンズユニット４５１Ｌ，４５１Ｒなど他の演出ユニットを演出ユニットの対象としてもよい。
【０２１１】
また、本実施例では、演出装置の一例として、光による演出を実行可能な天レンズＬＥＤ４７０，サイド天レンズ４７２が適用されていたが、演出装置はこのような照明装置に限定されるものではなく、例えば、液晶表示器のように画像を表示可能な表示装置や、駆動手段により駆動する可動装置や、音を出力可能なスピーカなどの他の演出装置も含まれる。また、所定の演出とは、遊技に関連して実行されるものだけでなく、遊技に関連なく実行される（例えば、ＬＥＤを遊技に関連なく装飾として発光させることなど）ものも含まれる。
【０２１２】
また、本実施例では、可変表示装置の一例として、リール２Ｌ，２Ｃ，２Ｒが適用されていたが、識別情報の変動表示が可能な表示装置であれば、例えば、画像を表示可能な表示器を適用してもよい。また、リール２Ｌ，２Ｃ，２Ｒなどの可変表示装置は、筐体１ａに配設されていたが、前面扉１ｂや表示ユニット６００に一体に設けられていてもよい。
【０２１３】
また、表示ユニット６００は、液晶表示器５１と該液晶表示器５１を取り付けるための合成樹脂材からなるベース部材６０１とから構成され、ベース部材６０１は、液晶表示器５１の取付部である取付壁部６１６と被覆部６３０とを有し、該被覆部６３０には金属板６０４が設けられていることで、ベース部材６０１の被覆部６３０が金属板６０４により保護されて不正器具等などによって破壊されにくくなるため、被覆状態の解除を困難化することができるばかりか、被覆部６３０にのみ金属板６０４が設けられるので、ベース部材６０１を極力軽量にすることができる。
【０２１４】
また、液晶表示器５１はベース部材６０１の前面側に取り付けられ、このベース部材は、液晶表示器５１が取り付けられる取付壁部６１６と、液晶表示器５１の上部に対し所定の隙間を隔てて配置される離間壁部６１７と、を有し、離間壁部６１７には、液晶表示器５１の上辺部の一部に当接する凸部６１８が突設されていることで、液晶表示器５１をベース部材６０１の前面に取り付けたときに該液晶表示器５１の少なくとも背面上部とベース部材６０１との間に隙間Ｓが形成されることで、液晶表示器５１の放熱効率を維持しつつ、凸部６１８により上辺部が背面側から支持されるので、液晶表示器５１に前面側から外力を加えて背面側に撓ませることにより表示用開口５００と液晶表示器５１との間に形成された隙間に不正器具を挿入されたり、撓みによる液晶表示器５１の破損等が防止される。
【０２１５】
また、本実施例では、液晶表示器５１の一辺である背面上辺部と離間壁部６１７との間に隙間Ｓが形成されるようになっていたが、液晶表示器５１の他の一辺（縁辺）である左右側辺部などと離間壁部６１７との間に隙間Ｓが形成されるようにしてもよい。
【０２１６】
また、凸部６１８は、離間壁部６１７の一部を前面側に膨出させることにより背面が開口する中空状に形成されていることで、離間壁部６１７の背面における凸部６１８に対応する位置には凹部６１８Ａが形成されているので、手指を挿入することで表示ユニット６００を容易に持ち運びすることが可能となる。尚、本実施例では、凸部６１８は中空状に形成されていたが、非中空状に形成されていてもよい。
【０２１７】
また、凸部６１８の内部には補強用のリブ６１８が複数形成されていることで、凸部６１８が補強され変形が防止されるだけでなく、挿入した手指がリブ６１８に引っ掛かりやすくなるので持ちやすくなる。
【０２１８】
また、液晶表示器５１の制御を行う表示制御手段としてのサブＣＰＵ９１ａが設けられた非透光性の演出制御基板９０を備え、演出制御基板９０は、凸部６１８の背面開口を閉塞するように離間壁部６１７に取り付けられることで、凸部６１８の背面開口を目立たないように隠蔽することができる。
【０２１９】
また、液晶表示器５１は、ベース部材６０１に対し緩衝部材６０５ａ〜６０５ｄを介して取り付けられていることで、ベース部材６０１に生じる衝撃が緩衝部材６０５ａ〜６０５ｄにより吸収され液晶表示器５１に伝わりにくくなくなるので、液晶表示器５１の破損を防止できる。
【０２２０】
また、表示ユニット６００は、前面扉１ｂ、躯体１ｈに取り付けるための所定係止部材としての係止部材６４４Ｌ，６４４Ｒを有し、係止部材６４４Ｌ，６４４Ｒは、前面扉１ｂの被係止部である左補強板金７５５の前面に係止される係止状態（図２５（Ｂ）（Ｄ）参照）と該左補強板金７５５の前面から離脱する非係止状態（図２５（Ａ）（Ｃ）参照）とに変化可能に構成され、係止状態と非係止状態とに切替操作するための係止操作部としての操作片６４４ｂを有し、係止部材６４４Ｌ，６４４Ｒが係止状態であるときに、操作片６４４ｂと左補強板金７５５の側壁７５５ａとの間にケーブルＫ６を挿通可能な配線挿通部６４５が形成される。
【０２２１】
このようにすることで、表示ユニット６００の躯体１ｈへの取り付け作業を係止部材６４４Ｌ，６４４Ｒにより容易に行うことができるばかりか、係止部材６４４Ｌ，６４４Ｒを係止状態にすれば配線挿通部６４５が形成されるので、配線押さえ等の部品を極力共通化して製造コストを低減することができる。
【０２２２】
また、表示ユニット６００を躯体１ｈへ取り付けるための係止部材６４４Ｌ，６４４Ｒを配線押さえとして利用することで、表示ユニット６００を取り外す際に係止部材６４４Ｌ，６４４Ｒを回動させて非係止状態とすれば、配線挿通部６４５が広がってケーブルＫ６を取り外しやすくなるとともに、表示ユニット６００を取り付ける際に係止部材６４４Ｌ，６４４Ｒを回動させて係止状態とすれば、配線挿通部６４５が狭まってケーブルＫ６が外れにくくなるので、ケーブルＫ６の配線作業も容易になる。
【０２２３】
尚、本実施例では、ケーブルＫ６は複数のケーブルを含み、これら複数のケーブルが筒状のケーブルカバー（図示略）にて束ねられている。よって、操作片６４４ｂと左補強板金７５５の側壁７５５ａとの間に形成される配線挿通部６４５に、複数のケーブルからなるケーブルＫ６を束ねた筒状のケーブルカバー（図示略）を挿通して保持することができる。
【０２２４】
また、表示ユニット６００は、前面扉１ｂの躯体１ｈに取り付けるための特定係止部材を有し、該特定係止部材は、ベース部材６０１に対し移動可能に設けられた移動取付枠６１０と、該移動取付枠６１０に形成され、躯体１ｈに形成された複数の開閉部側係止部（例えば、取付支柱６３８ａ〜６３８ｃの係止溝６３８ｍ）それぞれに係止される複数の被係止部（例えば、取付孔６３６ａ〜６３６ｃの長孔部６３７ｂ）と、を含み、移動取付枠６１０をスライド移動することにより長孔部６３７ｂが対応する係止溝６３８ｍに対し係脱されるように設けられ、複数のうち一の長孔部６３７ｂが対応する係止溝６３８ｍに係止された後に他の長孔部６３７ｂが対応する他の係止溝６３８ｍに係止されるように構成される、つまり、移動取付枠６１０を係止位置側に向けてスライド移動すると、取付孔６３６ａの長孔部６３７ｂが取付支柱６３８ａの係止溝６３８ｍに係止され、次いで、取付孔６３６ｂの長孔部６３７ｂが取付支柱６３８ｂの係止溝６３８ｍに係止され、最後に、取付孔６３６ｃの長孔部６３７ｂが取付支柱６３８ｃの係止溝６３８ｍに係止される。
【０２２５】
このようにすることで、移動取付枠６１０を移動させることで複数の長孔部６３７ｂを係止溝６３８ｍに係止させることができるとともに、複数の長孔部６３７ｂは順に係止溝６３８ｍに係止されていくことで係止するために必要な力を分散できるので、係止操作性を向上させることができる。
【０２２６】
また、本実施例では、特定係止部材としての移動取付枠６１０が被覆部６３０に配設されていることで、ベース部材６０１のうち被覆部６３０自体が躯体１ｈに係止されることになる。よって、被覆部６３０に外力が加えられても被覆部６３０が動いたり変形したりしにくくなるため、被覆状態の解除をより困難化することができる。
【０２２７】
（メダルセレクタ及びメダルシュート）
次に、投入メダルセレクタ１３１及びメダルシュート１６０について、図２９〜図３３にもとづいて説明する。図２９は、メダルシュートを示す六面図である。図３０は、（Ａ）は後上方から見たメダルシュートを示す分解斜視図であり、（Ｂ）は後下方から見たメダルシュートを示す分解斜視図である。図３１は、メダルセレクタ及びメダルシュートを示す斜視図である。図３２は、メダルセレクタ及びメダルシュートを示す正面図である。
【０２２８】
（メダルセレクタ）
メダル判別装置としての投入メダルセレクタ１３１は、図３１及び図３２に示すように直方体形状に構成されており、その本体部内には、正面視略Ｌ字状のメダル流下通路１３３が形成されている（図３２中斜線領域）。本体部の上面には、メダル流下通路１３３の上流側に連通するとともに、上方に配置される投入メダルガイド部材１４０に形成された投入口１４０ａから落下されたメダルが流入される流入口１４１が形成され、また、本体部の左側面には、メダル流下通路１３３の下流側に連通するとともに、メダルを流出させるための流出口１４２ａが形成されている。
【０２２９】
図３２に示すように、メダル流下通路１３３は、本体内部に略Ｌ字状に凹設される凹溝（図示略）と、該本体部の後方側に、軸部材１４３を中心に揺動自在に設けられるとともに、バネ１４４により本体部方向に付勢される揺動板１４５との間に形成されており、揺動板１４５は、前面扉１ｂに設けられるメダル詰まり解除ボタン１１０（図１参照）により押圧されることでメダル流下通路１３３を開放するようになっており、これによりメダル流下通路１３３内に詰まったメダルを本体部下方の流出部１４２ｂから排出することができるようになっている。すなわち、揺動板１４５及び前記凹溝が形成された本体部にて、メダル流下通路１３３の側面を形成する流下側壁が形成されている。
【０２３０】
また、流入口１４１は、横長長方形状をなし、本体部上面に左右方向に向けて形成され、流出口１４２ａは、縦長長方形状をなし、本体部側面に上下方向に向けて形成されている。つまり、メダル流下通路１３３の前後の流下側壁は、流入口１４１から流出口１４２ａまで鉛直方向を向いており、メダル投入部４を構成する投入メダルガイド部材１４０の投入口１４０ａから起立姿勢で投入され、流入口１４１から流入したメダルが、その起立姿勢を維持したまま通路内を流下して流出口１４２ａから右側方に流出されるように構成されている。
【０２３１】
メダル流下通路１３３の下方には、本体部の前面側に設けられる流路切替ソレノイド３０（図４参照）の励磁に連係して、メダル流下通路１３３を流下するメダルがメダル流下通路１３３の下流側に設けられる投入メダルセンサ３１ａ〜３１ｃ（図３２参照）に検出される直前にてメダル流下通路１３３から下方に向けて強制的に落下させる流路切替板１４７が揺動自在に設けられている。また、揺動板１４５には、メダル流下通路１３３内を流下するメダルの逆流を防止するための逆流防止部材１４８がバネを介してメダル流下通路１３３方向に付勢された状態で回動自在に設けられている。この逆流防止部材１４８を設けることで、メダル流下通路１３３内における投入メダルセンサ３１ａ〜３１ｃの近傍でメダルを逆流させること等によりメダルを検出させるといった不正が行われることを防止している。
【０２３２】
本体部の左右側面における上部には、係止ピン１５４がそれぞれ外向きに突設されているとともに、本体部の左右側面における下部には軸ピン１５５がそれぞれ外向きに突設されている。
【０２３３】
投入メダルセレクタ１３１は、前面扉１ｂの背面におけるセレクタ取付凹部７０５に固定されるメダルセレクタ取付部材１５０に着脱できるように構成されている。メダルセレクタ取付部材１５０は、図３１に示すように、金属板を折曲げ形成することにより構成され、セレクタ取付凹部７０５にネジ１５０ｎ（図７参照）により固定される。
【０２３４】
メダルセレクタ取付部材１５０の左右の側板１５１下部には、投入メダルセレクタ１３１の軸ピン１５５を回動自在に受支する上向きに開放する軸受部１５２が形成されている。また、側板１５１の上部には、投入メダルセレクタ１３１の係止ピン１５４が係脱される合成樹脂製の係止部材１５３が取り付けられており、該係止部材１５３の下方には、係止ピン１５４が係合される、上向きに開放する半円形状の図示しない位置決め凹部が形成されている。
【０２３５】
投入メダルセレクタ１３１をメダルセレクタ取付部材１５０に装着する場合、投入メダルセレクタ１３１の本体を斜めに傾けた状態で、メダルセレクタ取付部材１５０の軸受部１５２に軸ピン１５５を上方から軸支させた状態で、本体上部を、軸ピン１５５を中心にメダルセレクタ取付部材１５０側に向けて押し当てるように回転させて押し込むと、係止部材１５３が変形して上方の係止ピン１５４が係止部材１５３と前記位置決め凹部との間に入り込んで挟持されるとともに、係止部材１５３の弾性復帰力にて係止ピン１５４が前記位置決め凹部に入り込んだ状態で保持される。
【０２３６】
また、取り外したい場合には、軸ピン１５５を中心に、本体上部を後方側に引き出すように回転させるだけで、係止部材１５３及び前記位置決め凹部による係止ピン１５４の係止作用が解除されるとともに、本体を上昇させるだけで軸ピン１５５を軸受部１５２から簡単に離脱させることができるため、メダルセレクタ取付部材１５０から簡単に取り外すことができる。
【０２３７】
投入メダルガイド部材１４０は、図示しないネジによりメダルセレクタ取付部材１５０と一体化された状態で前面扉１ｂの前面側に配置されるため、それぞれを別々に配置する場合に比べて、このメダルセレクタ取付部材１５０に取り付けられる投入メダルセレクタ１３１の流入口１４１とその直上に配置される投入口１４０ａとの対向位置関係に狂いが生じにくいので、投入メダルガイド部材１４０と流入口１４１との間でのメダル詰まりの発生が防止される。
【０２３８】
メダルセレクタ取付部材１５０における左側の側板１５１の外面には、前述したメダルシュート１６０が図示しないネジを介して固着されている。メダルシュート１６０は、金属板を屈曲形成することにより構成され、流出口１４２ａから流出したメダルを筐体１ａ内に配置されたホッパータンク３４ａ内に誘導する。このようにメダルシュート１６０がメダルセレクタ取付部材１５０に固着されることで、メダルシュート１６０をメダルセレクタ取付部材１５０以外の場所に配設する場合に比べて、投入メダルセレクタ１３１の本体との位置関係に狂いが生じにくいので、メダル流下通路１３３の流出口１４２ａから流出したメダルを落下させることなくメダルシュート１６０に確実に流出させることができる。
【０２３９】
また、図３２に示すように、前面扉１ｂの背面に固定されたメダルセレクタ取付部材１５０に投入メダルセレクタ１３１を取り付け、前面扉１ｂにより筐体１ａの前面開口を閉塞した状態において、メダル流下通路１３３の側面を構成する流下側壁（揺動板１４５及び図示しない凹溝の内面）の内面が、鉛直方向に対してほぼ平行な状態となるように構成されている（図３８参照）。すなわち、投入メダルセレクタ１３１がメダルセレクタ取付部材１５０に取り付けられた状態において、薄型円盤状に形成されたメダルは、前記流下側壁により略鉛直方向を向く姿勢に維持された状態で、メダル流下通路１３３を円周面により回転流下（転動）するように構成されているため、メダル流下通路１３３を流下するメダルが揺動板１４５や前記凹溝の内面に摺接した状態のまま流下し続けることが回避される。これにより、例えばメダルに付着したゴミ、あるいは流入口１４１から入り込んだゴミや塵等が前記流下側壁に付着しにくくなり、摩擦抵抗によるメダル流下速度の低下や、メダル流下通路でのメダル詰まりの発生等を効果的に防止することができるため、投入メダルセンサ３１ａ〜３１ｃによる投入メダルの検出に悪影響が及ぶことを回避される。
【０２４０】
（メダルシュート）
次に、メダルシュート１６０の構造について説明する。図２９及び図３０に示すように、メダルシュート１６０は、流出口１４２ａから流出したメダルが転動するとともに、該流出口１４２ａからメダルの誘導方向、つまり、ホッパータンク３４ａ側に向けて漸次下方に傾斜する転動路面１６１ａ及びその内側縁（他側縁）から連設される補助転動路面１６１ｂを構成する底板１６２と、転動路面１６１ａの外側縁（一側縁）に立設され、該転動路面１６１ａ上を転動するメダルの周縁上部をホッパータンク３４ａ側に向けて摺接誘導する誘導立面１６３を構成するガイド板１６４と、補助転動路面１６１ｂの内側端縁に立設され、該補助転動路面１６１ｂ上を流下（転動）するメダルをホッパータンク３４ａ側に向けて誘導する補助誘導立面１６５を構成する補助ガイド板１６６と、ガイド板１６４の上流側端部から連設される取付片１６７と、転動路面１６１ａ及び補助転動路面１６１ｂの上方を覆う規制部材としてのシュートカバー９００と、から主に構成されている。
【０２４１】
メダルシュート１６０は、展開された１枚の金属板を屈曲及び湾曲させることにより、底板１６２、ガイド板１６４、補助ガイド板１６６、取付片１６７をそれぞれ形成している。底板１６２は、図３３（Ａ）に示すように、平面視略扇状に形成され、その上面には転動路面１６１ａ及び補助転動路面１６１ｂが形成されている。
【０２４２】
図３３（Ａ）に示すように、転動路面１６１ａは、所定の路面幅Ｌ１（本実施例ではメダルの半径Ｌ２（図３２参照）よりも小寸、Ｌ１＜Ｌ２）を有し、底板１６２の円弧状の外縁に沿うように延設される帯状の通路であり、転動方向に向けて平坦状に形成されている。投入メダルセレクタ１３１の本体部側面に形成された流出口１４２ａから左側方に向けて流出したメダルを、後方側、つまり筐体１ａに設置されたホッパータンク３４ａ側に向けて約９０度左方向に方向変換させる円弧状の方向変換部１６８を有している。尚、図３３において、方向変換部１６８を挟んで、転動路面１６１ａの左側端部が上流部１７５、下側端部が下流部１７６とされている。
【０２４３】
補助転動路面１６１ｂは、平面視略円弧状に湾曲する帯状の転動路面１６１ａの内側に向けて、該転動路面１６１ａから連設され、平面視略扇状に形成されている。転動路面１６１ａと補助転動路面１６１ｂとの間（連設部）、つまり転動路面１６１ａの内側縁には、僅かな規制段部１６９（図３２参照）が形成されており、転動路面１６１ａよりも補助転動路面１６１ｂの方が高くなっている。この規制段部１６９は、本実施例では約１ｍｍ程度の段差とされており、転動路面１６１ａ上を転動するメダルが転動路面１６１ａから補助転動路面１６１ｂに乗り上がり可能であり、かつ、補助転動路面１６１ｂ上から転動路面１６１ａ上に復帰可能な高さとされている。
【０２４４】
また、本実施例における規制段部１６９は、図３２に示すように、１枚の底板１６２における転動路面１６１ａの領域を補助転動路面１６１ｂの領域に対して上方から押圧して凹ませることにより、転動路面１６１ａの内側縁に沿って延びるように形成されており、転動路面１６１ａ側から補助転動路面１６１ｂ側に向けて僅かに傾斜する傾斜段部とされている。よって、規制段部１６９の外側には、平坦状の転動路面１６１ａが該規制段部１６９の下部から連設され、規制段部１６９の内側には、平坦状の補助転動路面１６１ｂが該規制段部１６９の上部から連設されている。尚、このような規制段部１６９は、例えば転動路面１６１ａを構成する板材と補助転動路面１６１ｂを構成する板材とを、互いに高さを異ならせるように突き合せることで形成してもよい。
【０２４５】
底板１６２における補助転動路面１６１ｂの内側の前後辺部には、補助誘導立面１６５を構成する補助ガイド板１６６が、前後方向に延びるように立設されている。この補助ガイド板１６６は、メダルが補助転動路面１６１ｂ上を流下する際に、該流下するメダルの落下を防止しつつ、メダルを後方側、つまり、ホッパータンク３４ａ側に向けて誘導するようになっている。また、補助ガイド板１６６の前後幅方向における中央部には、後述する係止片９０２ｂを係止可能な被係止孔１６６ａが形成されている。
【０２４６】
また、底板１６２における左右方向を向く前端縁の長さＬ５（図３２参照）、つまり、転動路面１６１ａ及び補助転動路面１６１ｂにおける下流側の左右幅（補助ガイド板１６６の内面である補助誘導立面１６５と誘導立面１６３との離間幅）は、メダルＭの直径Ｌ３（約２５０ｍｍ）よりも大寸（Ｌ５＞Ｌ３）とされているため、メダルが倒伏したとしても確実に滑らせて流下させることができる。
【０２４７】
ガイド板１６４は、底板１６２の外側端縁に沿うように湾曲形成される１枚の金属板にて構成され、転動路面１６１ａから上方に向けて立設される。また、転動路面１６１ａの上流部１７５付近において底板１６２から連設されており、底板１６２に対して上方に屈曲させることにより立設されている。ガイド板１６４の高さＬ４は、長手方向にわたってメダルＭの直径Ｌ３（図３２参照）よりも大寸に形成され（Ｌ４＞Ｌ３）、後述するように、転動するメダルＭの周縁上部が内側の誘導立面１６３に当接（摺接）されるようになっている。また、図２９に示すように、ガイド板１６４と底板１６２との間には、メダルＭの厚み幅寸法よりも短寸の上下幅寸法を有する隙間９１１が転動路面１６１ａに沿って延設されている。また、ガイド板１６４は、底板１６２から屈曲形成された溶着片１６２ａに溶着固定されている。
【０２４８】
ガイド板１６４の上流側端部からは、メダルセレクタ取付部材１５０の側板１５１に取り付けるための取付片１６７が前方に向けて連設されており、該取付片１６７の上下に形成されたネジ取付孔１７０にネジ（図示略）により側板１５１に取り付けられる。また、取付片１６７には、前述した軸ピン１５５の軸受部１５２が前側に開放するように形成されている（図２９参照）。更に、取付片１６７には、後述するシュートカバー９００に設けられた取付片９０４を取り付けるためのネジ孔１７１が上下に形成されている。また、ガイド板１６４の下流側上端部からは、後述する被係止孔９０１ｄに対して係止可能な係止片１６４ａがメダルシュート１６０の左方に向けて延設されている。
【０２４９】
シュートカバー９００は、透明な合成樹脂材により形成され、図２９及び図３０（Ａ）（Ｂ）に示すように、転動路面１６１ａの全域の直上を被覆する上板部９０１ａと、該上板部９０１ａの右辺から底板１６２に向けて垂下された側板部９０１ｂと、該側板部９０１ｂの下端部から延設され補助転動路面１６１ｂの全域の直上を被覆する上板部９０１ｃと、上板部９０１ｃの右辺から垂下された側板部９０２ａと、上板部９０１ａの左辺から垂下された側板部９０３ａ及び側板部９０３ｂと、から構成されている。このようにシュートカバー９００は、上板部９０１ａ、側板部９０１ｂ、上板部９０１ｃによって上板部９０１ａが上板部９０１ｃよりも上方に位置する段状に形成されている。
【０２５０】
側板部９０２ａは、前後幅寸法がガイド板１６６の前後幅寸法と略同一寸法に形成されており、上板部９０１ｃの右辺からガイド板１６６の右側方に位置するよう垂下されている。また、側板部９０２ａの前後幅方向の中央部には、前述した被係止孔１６６ａに対して係止可能な係止片９０２ｂが設けられている。尚、側板部９０２ａにおけるこの係止片９０２ｂの前部及び後部には、シュートカバー９００の下方に向けて開口し、左右方向に連通する溝部９０２ｃが形成されている。このため、係止片９０２ｂは、これら溝部９０２ｃの間で左右方向に弾性変形可能となっている。
【０２５１】
側板部９０３ａは、上板部９０１ａの左辺後端部からガイド板１６４の左側方に位置するよう垂下されている。また、側板部９０３ａの上下幅寸法は、後述する側板部９０３ｂの上下幅寸法よりも短寸に形成されている。更に、上板部９０１ａから側板部９０３ａにかけては、係止片１６４ａを上下方向に挿通させることで該係止片１６４ａを係止可能な被係止孔９０１ｄが形成されている。尚、上板部９０１ａにおける側板部９０３ａの前部には、左方に向けて開口し、上下方向に連通する溝部９０１ｅが形成されている。このため、上板部９０１ａの溝部９０１ｅよりも後部は、上下方向に弾性変形可能となっている。
【０２５２】
側板部９０３ｂは、上板部９０１ａにおける溝部９０１ｅの前方から上板部９０１ａの後端部にかけて該上板部９０１ａの左辺からガイド板１６４の左側方に位置するよう垂下されている。また、側板部９０３ｂの上下幅寸法は、側板部９０３ａよりも長寸に形成されている。また、側板部９０３ｂの前端部からは、取付片１６７にシュートカバー９００を取り付けるための取付片９０４が前方に向けて連設されており、取付片９０４の上下に形成されたネジ取付孔９０４ａに図示しないネジを取り付け、該ネジをネジ孔１７１に螺入することで、シュートカバー９００を取付片１６７に取り付けできるようになっている。
【０２５３】
シュートカバー９００は、底板１６２に対向した状態で下方に移動させることで、係止片９０２ｂがガイド板１６６により右側方に向けて弾性変形され、上板部９０１ａの後端部を係止片１６４ａにより上方に向けて弾性変形されていく。そして、係止片９０２ｂが弾性復帰することで被係止孔１６６ａに係止されるとともに、上板部９０１ａの後端部が弾性復帰することで係止片１６４ａが被係止孔９０１ｄに係止される。
【０２５４】
このように係止片９０２ｂが被係止孔１６６ａに係止され、係止片１６４ａが被係止孔９０１ｄに係止された状態において、前述したようにネジ取付孔９０４ａに取り付けられたネジ（図示略）をネジ孔１７１に螺入することで、取付片１６７に対してシュートカバー９００が取り付けられる。尚、取付片９０４には、取り付けたときに取付片１６７に形成された軸受部１５２を外側から被覆する被覆凹部９０４ｂが形成されている。
【０２５５】
このようにシュートカバー９００は、転動路面１６１ａ、補助転動路面１６１ｂ、誘導立面１６３、補助誘導立面１６５を構成する金属製のシュート部材とは別個に構成される樹脂製のカバー部材であり、転動路面１６１ａ、補助転動路面１６１ｂ、誘導立面１６３、補助誘導立面１６５の上方を略全長にわたって被覆するように配設される。
【０２５６】
（メダルの流下状況）
次に、投入メダルセレクタ１３１から流出したメダルがメダルシュート１６０によりホッパータンク３４ａに誘導される際の状況を、図３３（Ａ）（Ｂ）に基づいて説明する。尚、図３３（Ａ）において、メダルＭ１〜Ｍ４は同一のメダルを示す。
【０２５７】
図３３（Ａ）に示すように、投入メダルセレクタ１３１のメダル流下通路１３３内を流下してきたメダルは、上下方向を向く流出口１４２ａから起立姿勢のまま、投入メダルセレクタ１３１の右側方に向けて流出する。流出口１４２ａから起立姿勢で流出して転動路面１６１ａの上流部１７５に乗り移ったメダルＭ１は、メダルシュート１６０の右側に向けて転動しようとするが、転動路面１６１ａの上流部１７５は、前述したように、誘導立面１６３側から規制段部１６９側、つまり、前方側から後方側に向けて下方に傾斜する傾斜面であることで、誘導立面１６３から離れる方向にスムースに誘導されるため、メダルが誘導立面１６３に強く接触して摩擦抵抗が大きくなって失速することが防止される。また、メダルの転動方向の後側が流出口１４２ａから完全に抜け出た後は、メダルＭ２の転動方向の前部が傾斜する転動路面１６１ａにより後方側に傾けられ、後側に向けてカーブ（方向変換）することにより、メダルＭ２の周縁上部が遠心力により誘導立面１６３側に傾倒する。
【０２５８】
そして、方向変換部１６８に差し掛かったときに、メダルＭ３の周縁上部が誘導立面１６３に接触し、該誘導立面１６３に摺接した状態で転動する。これにより、メダルが誘導立面１６３との摺接により後側に向けて方向変換（誘導）される。
【０２５９】
また、方向変換部１６８にて方向変換されたメダルＭ３は、その周縁下部が規制段部１６９により当接して横滑りが規制され、周縁上部が誘導立面１６３側に傾倒して摺接する前後方向を向く傾倒姿勢のまま転動する。下流部１７６まで到達したメダルＭ４は、底板１６２の後辺部から後方に向けて落下して、その下方に配設されるホッパータンク３４ａ内に貯留される。
【０２６０】
図３３（Ｂ）には、流出口１４２ａから起立姿勢で流出し、転動路面１６１ａ上を転動するメダルＭ１〜Ｍ４の周縁が通過する軌跡が太実線で示されている。このように、上流部１７５における幅方向の略中央位置に流出したメダルは、上流部１７５から方向変換部１６８に向けて、方向変換部１６８の内側、つまり規制段部１６９側に向けてスムースに誘導された後、該方向変換部１６８を通過して下流部１７６まで傾倒姿勢で転動するため、周縁の軌跡は規制段部１６９に沿って描かれることになる。すなわち、メダルは、平面視円弧状に形成される所定幅の転動路面１６１ａから逸脱することなく、転動路面１６１ａに沿ってスムースに、かつ安定して誘導される。
【０２６１】
また、メダルが流出口１４２ａから起立姿勢で流出して転動路面１６１ａの上流部１７５に流入すると、底板１６２は後側に向けて下方に傾斜しているため、正面視で左側に向けて横向きで流出したメダルの上部が後側に傾倒したり、あるいは、メダルが流出口１４２ａから起立姿勢で流出した時点で、何らかの要因（例えばメダルに付着したゴミ等によりメダル流下通路１３３内で発生した摩擦抵抗や、遊技者によるＭＡＸＢＥＴスイッチ６、スタートスイッチ７等の操作あるいは身体の接触等により生じる前面扉１ｂの振動等）により、通常速度よりも失速してしまったことで、転動路面１６１ａから補助転動路面１６１ｂ側に向けて方向変換された場合でも、メダルの上部が規制段部１６９に沿って設けられた側板部９０１ｂに当接することで、メダルの後側への倒伏や、転動路面１６１ａから逸脱して補助転動路面１６１ｂ上を流下することが防止される。
【０２６２】
また、方向変換部１６８から下流部１７６にかけて流下するメダルの上部が、何らかの要因で補助転動路面１６１ｂ側に倒伏しようとしても、メダルの上部が規制段部１６９に沿って設けられた側板部９０１ｂに当接することで、メダルの補助転動路面１６１ｂ側への倒伏が防止される。
【０２６３】
尚、仮にメダルの下部が滑って規制段部１６９を乗り越えて倒伏して転動路面１６１ａから逸脱した場合でも、補助転動路面１６１ｂ上を滑ってホッパータンク３４ａに向けて誘導される。
【０２６４】
このように、転動路面１６１ａを流下するメダルの上部は、側板部９０１ｂとガイド板１６４とにより挟まれていて倒伏が規制されるようになっているため、メダルは倒伏せずに転動路面１６１ａに沿って転動していくことになるが、側板部９０１ｂの下方は補助転動路面１６１ｂ側に向けて開放されているため、メダル通路の内側面下部が開放されていることになる。すなわち、転動路面１６１ａに沿って側壁を立設してしまうと、メダルの倒伏は防止できるが、側壁が邪魔になって転動路面１６１ａ上に溜まったゴミの除去や清掃がしにくくなるが、側板部９０１ｂの下方は補助転動路面１６１ｂ側に向けて開放されていれば、上板部９０１ｃと補助転動路面１６１ｂとの間に手指を挿入して転動路面１６１ａ上に溜まったゴミの除去や清掃を行うことができる。
【０２６５】
このようにメダルシュート１６０は、流出口１４２ａから起立姿勢で流出して、転動路面１６１ａにおけるメダルの流入路部である上流部１７５を転動するメダルは、転動路面１６１ａが規制段部１６９側に向けて下方に傾斜していることにより、該規制段部１６９側、つまり誘導立面１６３から離れる方向にスムースに誘導されて転動するため、メダルが誘導立面１６３に強く接触して摩擦抵抗が大きくなって失速することが防止されるばかりか、メダルの周縁上部が誘導立面１６３側に傾倒して摺接する傾倒姿勢となった場合には、メダルの周縁下部が規制段部１６９によりガイドされて横滑りが規制され、これにより傾倒姿勢が維持された状態で規制段部１６９に沿って転動するため、メダルが安定した姿勢で誘導されるとともに、該傾倒姿勢で維持されることでメダルが倒伏しにくくなるため、メダルを確実に、かつスムースにホッパータンク３４ａに誘導することができる。
【０２６６】
また、規制段部１６９は、メダルが内側の補助転動路面１６１ｂ側に向けて倒伏可能な高さであるため、例えば上流部１７５においてメダルが失速して該メダルの下部が滑って補助転動路面１６１ｂ側に向けて倒伏してしまった場合でも、ホッパータンク３４ａ側に向けて下方に傾斜する補助転動路面１６１ｂにより、メダルは倒伏したまま滑り落ちる（流下する）ことができる。よって、上流部１７５付近において、メダルが規制段部１６９に傾倒した状態で滞留してしまうことがないので、メダル詰まりの発生が効果的に防止される。
【０２６７】
このように規制段部１６９は、傾倒したメダルの周縁下部と当接して横滑りを規制して該傾倒姿勢を維持可能であるとともに、メダルが転動路面１６１ａから補助転動路面１６１ｂに乗り上がり可能に、かつ、補助転動路面１６１ｂから転動路面１６１ａに復帰可能に構成されていることが好ましい。尚、本実施例では、段差は約１ｍｍ以下に形成されているが、上述のようにメダルを当接規制及び乗り上がり可能な高さであれば、１ｍｍ以上であってもよい。但し、規制段部１６９は、メダルの周縁下部に当接して横滑りを規制して該傾倒姿勢を維持可能な段差であり、ガイド板１６４のように、メダルの側面や該メダルの上部を係止可能な高さ以下であることが好ましく、少なくともメダルの半径Ｌ２以下の高さであることが好ましい。
【０２６８】
また、転動路面１６１ａの内側に、規制段部１６９の上部から連設される平面視略扇状の補助転動路面１６１ｂが連設されているとともに、規制段部１６９も極めて高さが低いことで、転動路面１６１ａは所定深さを有する細凹溝状（Ｕ字状）の通路ではなく、上方に広く開放されているため、転動路面１６１ａ及び補助転動路面１６１ｂ上に付着するゴミ等の清掃を容易に行うことができる。
【０２６９】
また、転動路面１６１ａは単一の板材である１枚の底板１６２にて構成されるとともに、誘導立面１６３は単一の板材であるガイド板１６４にて構成されることで、転動路面１６１ａや誘導立面１６３に、部材同士の継ぎ目等による段差を生じさせることなく、平坦状に形成することができるので、メダルとの摩擦抵抗によるメダルの失速を極力低減できる。
【０２７０】
また、メダルシュート１６０は、使用状態において、誘導立面１６３が鉛直方向を向くように配設されることで、傾倒姿勢となったメダルとの摺接時における安定性が向上する。
【０２７１】
また、転動路面１６１ａの幅寸法Ｌ１は、メダルの直径Ｌ３及び半径Ｌ２よりも小寸（Ｌ１＜Ｌ２，Ｌ３）であるため、メダルが傾倒姿勢となった際に、確実にメダルの周縁上部が誘導立面１６３に接触し、かつ該メダルの周縁下部が規制段部１６９に当接して横滑りが規制されるため、メダルの倒伏が防止される。特に転動路面１６１ａの幅寸法Ｌ１が、メダルの半径Ｌ２よりも小寸とすることで、メダルがより起立した姿勢で維持されるため、誘導立面１６３との摩擦抵抗が効果的に低減される。
【０２７２】
また、メダルシュート１６０は、転動路面１６１ａの内側に、誘導立面１６３とは別個に立設される補助誘導立面１６５をさらに備え、誘導立面１６３と補助誘導立面１６５との間の幅寸法Ｌ５は、メダルの直径Ｌ３よりも大寸であるため（Ｌ５＞Ｌ３）、仮にメダルが流下途中で倒伏しても、補助誘導立面１６５により確実にホッパータンク３４ａに誘導できる。
【０２７３】
また、本実施例では、底板１６２の上面における転動路面１６１ａの内側に補助転動路面１６１ｂが形成されていたが、転動路面１６１ａにおける誘導立面１６３と反対側の側縁に規制段部１６９が形成されていれば、補助転動路面１６１ｂは必ずしも形成されていなくてもよい。
【０２７４】
また、本実施例では、メダルシュート１６０は投入メダルセレクタ１３１の左側に配設されていたが、流出口１４２ａが右側面に形成されている場合には、右側に配設されていてもよい。すなわち、投入メダルセレクタ１３１における流出口１４２ａの形成位置に対応して設けられていればよい。
【０２７５】
（メダル通路部材）
次に、メダル通路部材１９０について、図３４〜図３８に基づいて説明する。図３４は、（Ａ）はメダル通路部材を示す正面図、（Ｂ）は（Ａ）のＣ−Ｃ端面図である。図３５は、（Ａ）はメダル通路部材を示す背面図、（Ｂ）は（Ａ）のＤ−Ｄ断面図、（Ｃ）は（Ｂ）のＥ−Ｅ断面図である。図３６は、（Ａ）はメダル通路部材を斜め前から見た状態を示す斜視図、（Ｂ）はメダル通路部材を斜め後ろから見た状態を示す斜視図である。図３７は、メダル通路部材が前面扉の背面に取り付けられた状態を示す背面図である。図３８は、図３７のＦ−Ｆ断面図である。
【０２７６】
図３４〜図３８に示すように、メダル通路部材１９０は、合成樹脂材により前方に向けて開口する正面視で略Ｙ字形をなす箱状に形成されてなる。メダル通路部材１９０は、投入メダルセレクタ１３１の下方位置に躯体１ｈの背面に複数のネジ１９０ｎにより取り付けられることで、メダル通路部材１９０の右部に、該メダル通路部材１９０と躯体１ｈの背面によってメダル返却通路１９１が構成される。また、このメダル返却通路１９１の上端部には、メダル通路部材１９０と躯体１ｈの背面によって投入メダルセレクタ１３１の背面下部から流出したメダルが通過可能な上端開口１９０ａが形成されている。
【０２７７】
一方、メダル通路部材１９０の左部には、投入メダルセレクタ１３１の下方において躯体１ｈの背面に複数のネジ１９０ｎにより取り付けられることで、該メダル通路部材１９０と躯体１ｈの背面によってホッパーユニット３４から払い出されたメダルをメダル払出口９に誘導するメダル払出通路１９２が構成される。
【０２７８】
また、メダル通路部材１９０の下部は、メダル返却通路１９１とメダル払出通路１９２が合流する構造となっており、該メダル通路部材１９０の下部には、正面視略Ｙ字形状の金属板である保護板３８０が前方から取り付けられる。このように、メダル通路部材１９０の下部は、保護板３８０が前方から取り付けられることで、メダル返却通路１９１とメダル払出通路１９２が合流する合流路１９５を構成する。このように合流路１９５を流下するメダルＭが躯体１ｈの背面に衝突することにより躯体１ｈが破損しないように保護板３８０により保護されている。
【０２７９】
尚、保護板３８０の下部には、前方に向けて開口する開口部３８１が貫通形成されている。この開口部３８１は、メダル通路部材１９０に保護板３８０が取り付けられた状態で躯体１ｈの背面に取り付けられたときにメダル払出口９に連通するようになっている。このため、メダル返却通路１９１またはメダル払出通路１９２を流下してくるメダルＭは、いずれにおいても合流路１９５から開口部３８１を通過してメダル払出口９に誘導されるようになっている。
【０２８０】
メダル返却通路１９１内の上部には、メダル通路部材１９０に一体形成された第１抑制板部１９１ａ及び第２抑制板部１９１ｂが配設されている。このうち、第１抑制板部１９１ａは、メダル返却通路１９１内の上部におけるメダル通路部材１９０の右内壁から左下方に向けて傾斜している。一方、第２抑制板部１９１ｂは、メダル返却通路１９１内の上部におけるメダル通路部材１９０の左内壁から右下方に向けて傾斜している。
【０２８１】
また、図３７に示すように、メダル通路部材１９０が躯体１ｈの背面に取り付けられたときに、第１抑制板部１９１ａと第２抑制板部１９１ｂとの間に保護板金７２０が配置されるようになっている。
【０２８２】
また、図３６（Ａ）（Ｂ）に示すように、メダル通路部材１９０の右上端部には、蓋体３８２が取り付けられている。この蓋体３８２は、上端開口１９０ａの平面視の形状と略同一形状に形成されているとともに、前端部には、前方に向けて開口し、揺動板１４５の左右幅寸法よりも長寸である凹部３８２ａが形成されている。また、蓋体３８２の左右両端部には、メダル通路部材１９０の右上端部の左右外周面に形成された被係止突部１９０ｂに係止するための係止部３８２ｂが下方に向けて突出形成されている。蓋体３８２は、メダル通路部材１９０の右上端部に対して上方から配置されることでこれら係止部３８２ｂを被係止突部１９０ｂに対して係止され、上端開口１９０ａの後半部を被覆するようにメダル通路部材１９０に取り付けられる。
【０２８３】
また、凹部３８２ａは、メダル通路部材１９０が投入メダルセレクタ１３１の下方位置に取り付けられたときに、投入メダルセレクタ１３１の揺動板１４５の後方位置に配置される。このため、メダル詰まり解除ボタン１１０により揺動板１４５が後方に揺動されたときに、該揺動板１４５がメダル通路部材１９０に取り付けられた蓋体３８２の凹部３８２ａ内に収容されることで、蓋体３８２に接触して揺動板１４５の揺動が規制されることがないとともに、通常時は極力上端開口１９０ａを閉塞できるようになっている。
【０２８４】
投入メダルセレクタ１３１の背面下部から落下したメダルＭは、保護板金７２０、第１抑制板部１９１ａ、第２抑制板部１９１ｂのうち少なくともいずれかに落下することで流下速度が減衰されてからメダル返却通路１９１から合流路１９５を経てメダル払出口９に誘導されるようになっているため、投入メダルセレクタ１３１から流出したメダルＭがメダル通路部材１９０に衝突することによりメダル通路部材１９０が破損してしまうことが防止されている。
【０２８５】
メダル通路部材１９０におけるメダル払出通路１９２の背面からは、後方に向けて接続部１９６が突出形成されている。この接続部１９６は、メダル通路部材１９０が躯体１ｈの背面に取り付けられた状態で前面扉１ｂを閉塞したときに、ホッパーユニット３４の排出口３４ｄに接続されるようになっている。この接続部１９６の後端部には、該接続部１９６の全周に亘って接続部１９６の内方に向けて屈曲された屈曲片１９６ａが形成されており、該屈曲片１９６ａの内方は、ホッパーユニット３４から払い出されるメダルＭが通過可能な横長長方形状の連通口１９６ｂが形成されている。
【０２８６】
また、接続部１９６における連通口１９６ｂの後端部における周端縁は、全周に亘って連通口１９６ｂに向けて前方に傾斜をなすテーパー部１９６ｃが形成されている。このため、ホッパーユニット３４の排出口３４ｄから払い出されるメダルＭは、該テーパー部１９６ｃにガイドされて連通口１９６ｂを通過することで、メダル払出通路１９２及び合流路１９５を流下し、メダル払出口９に誘導されるようになっている。また、この連通口１９６ｂの前面側には保護板３８０が配置されているので、排出口３４ｄから払い出されるメダルＭは保護板３８０に衝突されるようになっている。
【０２８７】
また、図３５（Ｂ）及び図３５（Ｃ）に示すように、接続部１９６内における屈曲片１９６ａの上部と接続部１９６の上内面との間、及び屈曲片１９６ａの下部と接続部１９６の下内面との間には、一対のリブ１９６ｄ，１９６ｄが形成されている。このため、接続部１９６内における連通口１９６ｂの上方及び下方には、リブ１９６ｄ、屈曲片１９６ａ、接続部１９６の内面とで囲まれた複数の間隙１９６ｅが形成されている。尚、間隙１９６ｅの横幅は、メダルＭの直径よりも小寸に形成されている。
【０２８８】
また、リブ１９６ｄ，１９６ｄの前端部は、屈曲片１９６ａの前端部よりも前方に形成されている。更に、リブ１９６ｄ，１９６ｄは、双方とも前端部から後方にかけて連通口１９６ｂに向けて傾斜をなすテーパー状に形成されている。このため、受皿１２３内のメダルＭが満杯の状態で排出口３４ｄからメダルＭが払い出され、合流路１９５から上方のメダル払出通路１９２にかけてメダルＭが詰まった状態が発生したとしても、メダルＭはテーパー状に形成されたリブ１９６ｄ，１９６ｄによりガイドされて連通口１９６ｂに向けて誘導され、接続部１９６内においてメダルが間隙１９６ｅ内に入り込んでしまうことがない。
【０２８９】
そして、接続部１９６内において、連通口１９６ｂの周囲に間隙１９６ｅが複数形成されることで、例えば、スロットマシン１の前面側からメダル払出口９に針金等の不正器具を差し込み、メダル払出通路１９２から連通口１９６ｂ内に進入させてホッパーユニット３４に設けられた払出センサ３４ｃなどの筐体１ａ内部の電子部品等にアクセスして不正行為を試みようとしても、該不正器具が複数の間隙１９６ｅのいずれかに差し込まれると、該不正器具をそのままスライドさせて連通口１９６ｂに進入させることはできず、連通口１９６ｂに進入させるには一旦引き戻さなければならないため、不正器具を連通口１９６ｂに進入させ難くなる。よって、メダル払出口９に針金等の不正器具を差し込み、メダル払出通路１９２から連通口１９６ｂ内に進入させることによる筐体１ａ内部の電子部品等に対する不正行為を抑止できる。
【０２９０】
（メダルシュートとその周辺部材との配置位置関係）
次に、投入メダルセレクタ１３１、メダルシュート１６０、メダル通路部材１９０、ホッパータンク３４ａの配置位置関係について、図３２、図３７、図３８にもとづいて説明する。図３７は、メダル通路部材が前面扉の背面に取り付けられた状態を示す一部断面図である。図３８は、図３７のＦ−Ｆ断面図である。
【０２９１】
図３８に示すように、投入メダルセレクタ１３１は、流出口１４２ａがホッパータンク３４ａよりも上方に位置するようにホッパータンク３４ａよりも上方位置に配設されている。
【０２９２】
メダルシュート１６０は、転動路面１６１ａ及び補助転動路面１６１ｂの下流側端部がホッパータンク３４ａよりも上方に位置するようにホッパータンク３４ａよりも上方位置に配設されている。また、図３２に示すように、投入メダルセレクタ１３１の右側面に形成される流出口１４２ａ側に配置され、転動路面１６１ａ及び補助転動路面１６１ｂは筐体１ａに配置されるホッパータンク３４ａに向けて下方に傾斜するように延設されている。
【０２９３】
メダル通路部材１９０は、投入メダルセレクタ１３１の下部から下方のメダル払出口９に向けて下方に延設されている。より詳しくは、メダル通路部材１９０の上端開口１９０ａ、つまり、投入メダルセレクタ１３１の背面下部側に設けられる流出部１４２ｂから流出する不適正メダルを受け入れる受入口は、投入メダルセレクタ１３１の下部を背面側から覆うように収容可能な大きさに形成されるとともに、前述したように投入メダルセレクタ１３１をメダルセレクタ取付部材１５０に対して着脱するときに、投入メダルセレクタ１３１を手前側に傾倒させることができるように手前側に大きく開放されている。したがって、投入メダルセレクタ１３１の下部背面側には、上端開口１９０ａが上方に開放するように設けられるため、メダル通路部材１９０と投入メダルセレクタ１３１の本体との間に形成される上端開口１９０ａからメダルＭを流入させることができるようになっている。
【０２９４】
但し、このメダル通路部材１９０の上端開口１９０ａは、流出口１４２ａ及び転動路面１６１ａ及び補助転動路面１６１ｂの下流側端部の配置位置よりも上方に配置されているため、流出口１４２ａから流出した適正メダルＭをそのまま自然流下させて上端開口１９０ａに流入させたり、あるいは転動路面１６１ａ及び補助転動路面１６１ｂの下流側端部から流出した適正メダルＭをそのまま自然流下させて上端開口１９０ａに流入させて、適正メダルＭをメダル払出口９に返却させるという不正行為を行うことが困難とされている。
【０２９５】
また、近年においては、流出口１４２ａから流出して転動路面１６１ａ及び補助転動路面１６１ｂ上を転動しているメダルＭを、何らかのメダルリフト機構を備える不正装置にて取り込んだ後、上方にリフトしてその上方にある上端開口１９０ａに排出して適正メダルＭをメダル払出口９から返却して使いまわすという不正行為が行われることがある。
【０２９６】
しかしながら、本実施例のメダルシュート１６０にあっては、転動路面１６１ａ及び補助転動路面１６１ｂの上方位置に、シュートカバー９００が取り付けられていることにより、転動路面１６１ａを流下するメダルＭを不正装置にて取り込んだとしても、転動路面１６１ａの上方位置に上板部９０１ａが配置されていることで、上方へリフトして取り出すことが困難となるとともに、この上板部９０１ａを回避して取り出そうとした場合には、取り出したメダルの上端開口１９０ａまでの移送距離が長くなるため、流出口１２４ａから流出したメダルＭをホッパータンク３４ａに貯留させることなくメダル払出口９から返却させて使い回すといった不正行為を抑制することができる。
【０２９７】
また、本実施例の投入メダルセレクタ１３１は、メダルセレクタ取付部材１５０に対して下端を軸にして上部を手前側に傾倒させることにより着脱するものであり、かつ、躯体１ｈに取り付けられた状態において、揺動板１４５が背面側に揺動する構造であるから、メダル通路部材１９０の受入口である上端開口１９０ａを完全に閉鎖できないとともに、メダルシュート１６０は、メダルＭを転動路面１６１ａにより転動にて流下させるため、滑落により流下されるものに比べてメダルを取り出しやすく、また、受入口に不正に戻しやすい。よって、上端開口１９０ａを完全に閉鎖することにより不正にメダルを戻されることを防止するのではなく、シュートカバー９００により流下するメダルＭの上方への取り出しを規制することで、上端開口１９０ａを閉鎖しなくても不正行為を抑制することができる。
【０２９８】
また、転動路面１６１ａを流下するメダルＭを不正装置にて取り込んだとしても、転動路面１６１ａ及び補助転動路面１６１ｂの側方位置、つまり上端開口１９０ａ側に側板部９０２ａが配置されていることで、取り込んだメダルＭを側方に取り出すことが困難となるとともに、この側板部９０２ａを回避して取り出そうとした場合には、取り出したメダルの上端開口１９０ａまでの移送距離が長くなる。
【０２９９】
また、メダルシュート１６０における上端開口１９０ａと反対側の側面に開口部９１０が形成されていることで、転動路面１６１ａ及び補助転動路面１６１ｂの側方から開口部９１０を介してメダルＭにアクセスすることができるため、転動路面１６１ａまたは補助転動路面１６１ｂ上でメダル詰まりが発生したときに、シュートカバー９００を取り外さなくても簡単に対処することができるばかりか、開口部９１０からメダルを不正に取り出しても、上端開口１９０ａまでの移送距離を極力長くすることができる。また、シュートカバー９００は透光性を有しているため、メダル詰まりが発生していることをシュートカバー９００を取り外さなくても確認できるようになっている。
【０３００】
また、取付板部９０２ｂ，９０３ｂはともにガイド板１６４，１６６の外側に配置されることで、取付板部９０２ｂ，９０３ｂの下端面は下向きに配置されるため、該取付板部９０２ｂ，９０３ｂの下端面により形成される段部を利用して不正装置を取り付けること等を防止できる。
【０３０１】
また、本実施例では、シュートカバー９００は透明な合成樹脂材にて構成されていたが、転動路面１６１ａ及び補助転動路面１６１ｂへの上方からのアプローチを規制しうるものであれば、例えば、金属板や金属製のネット等にて構成してもとしてもよい。
【０３０２】
また、本実施例では、シュートカバー９００は取付板部９０２ｂ，９０３ｂを介してガイド板１６４，１６６の上端に取り付けられていたが、上板部９０１を直接取り付けてもよい。
【０３０３】
また、本実施例では、メダルシュート１６０を構成する底板１６２，ガイド板１６４，１６６と別個に成型されたシュートカバー９００とを一体に組み付けることで構成されていたが、予め一体成型されていてもよい。
【０３０４】
また、本実施例では、適正メダルが流出する流出口１４２ａから流出したメダルは、メダルシュート１６０を介して回収部の一例であるホッパータンク３４ａに貯留されることにより回収されるようになっていたが、メダルシュート１６０は、遊技者から不正にメダルを取り出せない回収部にメダルを誘導するものであれば、例えばスロットマシンの外部（例えばスロットマシンを設置する遊技機設置島等）に設けられる回収部やメダルを自動回収する回収装置等にメダルを誘導するものであってもよい。
【０３０５】
（下部パネルユニット）
次に、下部パネルユニット５５０について、図３９及び図４０に基づいて説明する。図３９は、（Ａ）は下部パネルユニットを斜め前下から見上げた状態を示す分解斜視図、（Ｂ）は斜め後ろから見た状態を示す分解斜視図である。図４０は、下部パネルユニットが躯体に組付けられた状態を示す断面図である。
【０３０６】
図３８に示すように、下部パネルユニット５５０は、透明な合成樹脂材にて形成された下部パネル１２０と、下部パネル１２０の背面に配置され、スロットマシン１の機種名やタイトルや演出に登場するキャラクタ等が印刷された透光性を有する装飾シート５６１と、装飾シート５６１の背面側を被覆する透明な合成樹脂材にて形成された保護パネル５６２と、前面に複数の発光ダイオード（ＬＥＤ）が配設された下パネルＬＥＤ基板５６３ａ，５６３ｂと、下面に複数の発光ダイオード（ＬＥＤ）が配設された下パネルＬＥＤ基板５６４と、背面側に配置される取付パネル５６０と、から主に構成され、パネル取付凹部５１０に前面側から取り付けられる（図６、図８参照）。
【０３０７】
取付パネル５６０の背面には、パネル取付凹部５１０に形成された係止孔５６５ａ〜５６５ｄ（図８参照）に挿入して弾性係止可能な係止爪５６６ａ〜５６６ｄが突設されている。上方の係止孔５６５ａ，５６５ｂは縦向き、下方の係止孔５６５ｃ，５６５ｄは横向きに形成されている。また、配線孔１９３に対応する箇所には配線孔５６６が形成されており、下パネルＬＥＤ基板５６３ａ，５６３ｂ、５６４からの配線を躯体１ｈの背面側に挿通できるようになっている。
【０３０８】
また、取付パネル５６０の背面には、複数のネジ孔５６７ａ〜５６７ｄが形成されており、パネル取付凹部５１０に形成された取付孔５６８ａ〜５６８ｄ（図８参照）に躯体１ｈの背面側から取り付けられるネジ５５０ｎ（図６参照）により、パネル取付凹部５１０に取り付けられる。また、取付パネル５６０の背面上部右側には、セレクタ取付凹部７０５を許容する凹部５６９が、前方に膨出するように形成されている。
【０３０９】
図４０に示すように、下部パネルユニット５５０は、パネル取付凹部５１０に取り付けられた状態において突出部５の下方に配置される。内部は中空状に形成され、取付パネル５６０の前面に取り付けられた下パネルＬＥＤ基板５６３ａ，５６３ｂに配設された複数のＬＥＤ（図示略）は前方に向けて光を照射可能とされ、保護パネル５６２、装飾シート５６１、下部パネル１２０を透過して下部パネル１２０全域が発光するようになっている。また、取付パネル５６０における凹部５６９の前面に取り付けられた下パネルＬＥＤ基板５６４に配設された複数のＬＥＤ（図示略）は下方に向けて光を照射可能とされているので、下パネルＬＥＤ基板５６３ａ，５６３ｂに配設された複数のＬＥＤ（図示略）からの光が到達しにくい凹部５６９の前面を照らすようになっている。
【０３１０】
また、下部パネル１２０は、突出部５の下面前端よりもやや後方位置から下方に向けて前側に傾倒するとともに、後側に緩やかに膨出するように湾曲状に形成されている。よって、スロットマシン１において遊技を行う遊技者が下部パネル１２０を上方の目線位置から見下ろすときでも、装飾シート５６１の装飾を視認しやすくなる。
【０３１１】
また、下部パネル１２０の下辺部は、所定の隙間を隔てて下方位置に配置される受皿１２３の前端よりもやや後方に位置しているが、湾曲している下部パネル１２０の前面下辺部における接線Ｐは、受皿１２３の前端よりも若干前側に位置している。よって、遊技者が受皿１２３のメダルに触れるときに下部パネル１２０の下辺部が接触しにくく、かつ、下部パネル１２０の前面に沿って滑り落ちてくる塵やゴミ等は受皿１２３の前端よりも前側に落下しやすくなるので、受皿１２３内に塵やゴミ等が入り込みにくくなる。また、例えば遊技者がメダル投入部４に投入する際に落としたメダルが受皿１２３の先端に落下して受皿１２３が破損すること等が防止される。
【０３１２】
（サイドレンズユニット）
次に、上サイドレンズユニット４５０Ｌ，４５０Ｒ、下サイドレンズユニット４５１Ｌ，４５１Ｒについて、図４１〜図４９に基づいて説明する。図４１は、上サイドレンズユニット及び下サイドレンズユニットを示す六面図及び斜視図である。図４２は、（Ａ）は上サイドレンズユニット及び下サイドレンズユニットの内部構造を斜め前下から見た状態を示す分解斜視図、（Ｂ）は斜め後ろから見た状態を示す分解斜視図である。図４３は、上サイドレンズユニットの躯体への取り付け態様を斜め前から見た状態を示す斜視図である。図４４は、上サイドレンズユニットの躯体への取り付け態様を斜め後ろから見た状態を示す斜視図である。図４５は、上サイドレンズユニットが躯体へ取り付けられたときの態様を示す縦断面図である。図４６は、上サイドレンズユニットが躯体へ取り付けられたときの態様を示す横断面図である。図４７は、下サイドレンズユニットの躯体への取り付け態様を斜め前から見た状態を示す斜視図である。図４８は、下サイドレンズユニットの躯体への取り付け態様を斜め後ろから見た状態を示す斜視図である。図４９は、下サイドレンズユニットが躯体へ取り付けられたときの態様を示す横断面図である。尚、上サイドレンズユニット４５０Ｌ，４５０Ｒ、下サイドレンズユニット４５１Ｌ，４５１Ｒは、正面視形状が左右対称であるだけで構造は同様であるため、以下においては右側の上サイドレンズユニット４５０Ｒ、下サイドレンズユニット４５１Ｒについてのみ説明し、左側の上サイドレンズユニット４５０Ｌ、下サイドレンズユニット４５１Ｌについての説明は省略することとする。
【０３１３】
図４１に示すように、上サイドレンズユニット４５０Ｒ、下サイドレンズユニット４５１Ｒは、躯体１ｈの前面に取り付けられたときに上サイドレンズユニット４５０Ｒの下端に下サイドレンズユニット４５１Ｒが当接され、これら上サイドレンズユニット４５０Ｒ、下サイドレンズユニット４５１Ｒにより１つの細長柱状のレンズユニットをなすように形成されることで、躯体１ｈの上部から下部にかけて連続する帯状のメイン発光表示部４６０Ｒを構成する。また、上サイドレンズユニット４５０Ｒ、下サイドレンズユニット４５１Ｒは、正面視で右側に膨出するように湾曲するとともに、側面視で背面側に膨出するように湾曲形成されている。
【０３１４】
図４２〜図４４に示すように、上サイドレンズユニット４５０Ｒは、躯体１ｈの前面における表示用開口５００の左右辺部に形成された上レンズ取付部８１０Ｌ，８１０Ｒの右側の上レンズ取付部８１０Ｒ（図８、図４３参照）に取り付けられる透明な合成樹脂材からなる取付ベース８１１と、取付ベース８１１の前側に組付けられ表面にメッキ処理が施された反射部材８１２と、反射部材８１２の前側に組付けられ透明な合成樹脂材からなる導光部材８１３と、導光部材８１３の前側に組付けられ取付ベース８１１の前面を被覆する合成樹脂材からなるカバー部材８１４と、から構成されている。
【０３１５】
カバー部材８１４は、ネジ８１４ｎにより前面側から取付ベース８１１に取り付けられ、取付ベース８１１は、ネジ４５０ｎにより背面側から躯体１ｈに取り付けられる。また、取付ベース８１１の上部には、取付用ボス４１４ｂ（図１９参照）が挿通される連結孔８１５が形成されており、天レンズユニット４００を躯体１ｈに取り付けたときに該天レンズユニット４００に連結されるようになっている。
【０３１６】
反射部材８１２は、上下方向に延びる帯板状に形成され、その表面は、前方を向く前反射部８１６ａと右側方を向く右反射部８１６ｂとから構成され、光を前方及び右側方に反射させるようになっている。また、反射部材８１２には、横長のスリット８１７が上下方向に向けて所定間隔おきに複数形成されている。
【０３１７】
導光部材８１３は、反射部材８１２に沿って上下方向に延設されるベース板８２０と、ベース板８２０の前面に上下方向に向けて所定間隔おきに複数形成される前水平片８２１Ｆ及びベース板８２０の背面に上下方向に向けて所定間隔おきに複数形成される後水平片８２１Ｂとが一体に形成されてなる。各前水平片８２１Ｆと後水平片８２１Ｂとはそれぞれ上下方向の同位置に形成されており、側面視で前後方向に直線状に延びる導光部を構成する（図４５参照）。
【０３１８】
前水平片８２１Ｆは、上方から下方に向けて漸次前後幅が短寸となっている。また、前水平片８２１Ｆの前端面及び左右側端面にはローレット加工が施されて凹凸状に形成されており、これにより導光部材８１３の内部の光が前水平片８２１Ｆの前端面及び左右側端面から外方に出射する際に光が拡散するようになっている（図４６参照）。
【０３１９】
後水平片８２１Ｂは、反射部材８１２に形成された複数のスリット８１７を挿通し、さらに取付ベース８１１の背板に上下方向に向けて所定間隔おきに複数形成された横長のスリット８２３を挿通して、後端面が取付ベース８１１の背面側に露呈するようになっている。
【０３２０】
躯体１ｈの背面における上レンズ取付部８１０Ｒに対応する箇所には、上サイドレンズ基板ユニット７０３Ｒが取り付けられる。上サイドレンズ基板ユニット７０３Ｒは、上サイドＬＥＤ８３０ａ，８３０ｂが上下方向に複数配設された上サイドレンズ基板８３１と、透明な合成樹脂材にて形成される導光部材８３２と、上サイドレンズ基板８３１の背面を被覆する基板カバー８３３と、から構成される。導光部材８３２は、ネジ７０３ｎにより背面側から躯体１ｈに取り付けられ、背面カバー８３３は、ネジ８３３ｎにより導光部材８３２に取り付けられる。
【０３２１】
導光部材８３２は、正面視縦長長方形状のベース板８３５と、前面左側に上下方向に向けて複数突設される柱状部８３６と、前面右側に上下方向に複数突設される板状部８３７と、から構成される。柱状部８３６は、上部から下方に向けて漸次前後幅が短寸となっている。板状部８３７は、上方から下方に向けて漸次前後幅が短寸となるように傾斜している。
【０３２２】
柱状部８３６は上サイドＬＥＤ８３０ａに対応して配置され、板状部８３７は上サイドＬＥＤ８３０ｂに対応して配置されており、柱状部８３６及び板状部８３７の後端面は、ベース板８３５の背面に突出して上サイドＬＥＤ８３０ａ，８３０ｂに対向して配置される。つまり、柱状部８３６及び板状部８３７の後端面は、上サイドＬＥＤ８３０ａ，８３０ｂの光の入射面とされている。
【０３２３】
図４５及び図４６に示すように、各柱状部８３６は、躯体１ｈに取り付けられたときに、上レンズ取付部８１０Ｒに複数形成された略円形の導光孔８３８にそれぞれ挿入され、前側に配置された各後水平片８２１Ｂの後端面に当接または近接するようになっている。これにより、柱状部８３６及び後水平片８２１Ｂにより前後に延びる導光部が形成される。つまり、上サイドＬＥＤ８３０ａが発光すると、その光が柱状部８３６の後端面に入射され、柱状部８３６から後水平片８２１Ｂ、前水平片８２１Ｆ内を導光されて前端面及び側端面から出射される。
【０３２４】
また、各板状部８３７は、躯体１ｈに取り付けられたときに、上レンズ取付部８１０Ｒに複数形成された長溝８３９にそれぞれ挿入されて前端面が前面側に臨むようになっている。これにより、板状部８３７の前端面により前後方向に延びるサイド発光表示部４６０Ｒの一部が形成される。つまり、上サイドＬＥＤ８３０ｂが発光すると、その光が板状部８３７の後端面に入射され、該板状部８３７内を導光されてその前端面から出射される。
【０３２５】
このように、上サイドレンズユニット４５１Ｒにあっては、上サイドＬＥＤ８３０ａからの光が導光部材８１３、８３２を導光して導光部材８１３の前端面及び左右側端面が発光するようになっているので、図４５に示すように、カバー部材８１４の前面形状や上レンズ取付部８１０Ｒが背面側に膨出するように上下方向に湾曲する形状であっても、上サイドＬＥＤ８３０ａは上下方向に直線状に配置することができることで、上サイドＬＥＤ８３０ａが複数配設されている上サイドレンズ基板８３１をカバー部材８１４の前面形状に合わせて上下方向に湾曲させて配置する必要がないので、構造が複雑化することを防止できる。
【０３２６】
また、カバー部材８１４や導光部材８１３のみを躯体１ｈの前面側に配設し、導光部材８３２と上サイドレンズ基板８３１を躯体１ｈの背面側に配設していることで、上サイドレンズユニット４５０Ｒ内に上サイドレンズ基板８３１を配設する必要がないので、上サイドレンズ基板８３１に制限されることなく、上サイドレンズユニット４５０Ｒの形状を任意に設計できるため、設計自由度が向上するとともに、カバー部材８１４を透して上サイドレンズ基板８３１が視認されにくくなり、導光部材８１３のみが見えるようになるので、外観体裁が向上する。
【０３２７】
図４２及び図４７〜図４９に示すように、下サイドレンズユニット４５１Ｒは、躯体１ｈの前面におけるパネル取付凹部５１０の左右辺部に形成された下レンズ取付部８５０Ｌ，８５０Ｒの右側の下レンズ取付部８５０Ｒ（図８、図４７参照）に取り付けられる透明な合成樹脂材からなる取付ベース８５１と、取付ベース８５１の前側に組付けられ表面にメッキ処理が施された反射部材８５２と、反射部材８５２の前側に組付けられ透明な合成樹脂材からなる導光部材８５３と、導光部材８５３の前側に組付けられ取付ベース８５１の前面を被覆する合成樹脂材からなるカバー部材８５４と、から構成されている。
【０３２８】
カバー部材８５４は、ネジ８５４ｎにより前面側から取付ベース８５１に取り付けられ、取付ベース８５１は、ネジ４５１ｎにより背面側から躯体１ｈに取り付けられる。
【０３２９】
反射部材８５２は、上下方向に延びる帯板状に形成され、その表面は、前方を向く前反射部８５６ａと右側方を向く右反射部８５６ｂとから構成され、光を前方及び右側方に反射させるようになっている。また、反射部材８５２には、横長のスリット８５７が上下方向に向けて所定間隔おきに複数形成されている。
【０３３０】
導光部材８５３は、反射部材８５２に沿って上下方向に延設されるベース板８６０と、ベース板８６０の前面に上下方向に向けて所定間隔おきに複数形成される前水平片８６１Ｆ及びベース板８６０の背面に上下方向に向けて所定間隔おきに複数形成される後水平片８６１Ｂとが一体に形成されてなる。各前水平片８６１Ｆと後水平片８６１Ｂとはそれぞれ上下方向の同位置に形成されており、側面視で前後方向に延びる直線状の導光部を構成する。
【０３３１】
前水平片８６１Ｆは、上方から下方に向けて漸次前後幅が長寸となっている。また、前水平片８６１Ｆの前端面及び左右側端面にはローレット加工が施されて凹凸状に形成されており、これにより導光部材８５３の内部の光が前水平片８６１Ｆの前端面及び左右側端面から外方に出射する際に光が拡散するようになっている（図４９参照）。
【０３３２】
後水平片８６１Ｂは、反射部材８５２に形成された複数のスリット８５７を挿通し、さらに取付ベース８５１の背板に上下方向に向けて所定間隔おきに複数形成された横長のスリット８６３を挿通して、後端面が取付ベース８５１の背面側に露呈するようになっている。
【０３３３】
躯体１ｈの背面における下レンズ取付部８５０Ｒに対応する箇所には、下サイドレンズ基板ユニット７０４Ｒが取り付けられる。下サイドレンズ基板ユニット７０４Ｒは、下サイドＬＥＤ８７０が上下方向に複数配設された下サイドレンズ基板８７１と、下サイドレンズ基板８７１の背面を被覆する基板カバー８７３と、から構成される。背面カバー８３３は、ネジ７０３ｎにより背面側から躯体１ｈに取り付けられ、下サイドレンズ基板８７１はネジ８７１ｎにより背面カバー８３３に取り付けられる。
【０３３４】
図４９に示すように、各下サイドＬＥＤ８７０は、躯体１ｈに取り付けられたときに、下レンズ取付部８５０Ｒに複数形成された横長の長溝８７８にそれぞれ臨み、前側に配置された各後水平片８６１Ｂの後端面に当接または近接するようになっている。つまり、上サイドＬＥＤ８７０が発光すると、その光が後水平片８６１Ｂの後端面に入射され、前水平片８６１Ｆ内を導通して前端面及び側端面から出射される。
【０３３５】
このように、下サイドレンズユニット４５１Ｒにあっては、下サイドＬＥＤ８７０からの光が導光部材８５３を導光して導光部材８５３の前端面及び左右側端面が発光するようになっているので、カバー部材８５４の前面形状や下レンズ取付部８５０Ｌ，８５０Ｒが背面側に膨出するように上下方向に湾曲する形状であっても、下サイドＬＥＤ８７０は上下方向に直線状に配置することができることで、下サイドＬＥＤ８７０をカバー部材８５４の前面形状に合わせて上下方向に湾曲させて配置する必要がないので、構造が複雑化することを防止できる。
【０３３６】
また、カバー部材８５４や導光部材８５３のみを躯体１ｈの前面側に配設し、下サイドレンズ基板８７１を躯体１ｈの背面側に配設していることで、下サイドレンズユニット４５１Ｒ内に下サイドレンズ基板８７１を配設する必要がないので、下サイドレンズ基板８７１に制限されることなく、下サイドレンズユニット４５１Ｒの形状を任意に設計できるため、設計自由度が向上するとともに、カバー部材８５４を透して下サイドレンズ基板８７１が視認されにくくなり、導光部材８５３のみが見えるようになるので、外観体裁が向上する。
【０３３７】
また、上サイドレンズユニット４５１Ｒにあっては、導光部材８１３における前水平片８２１Ｆの背面側に後水平片８２１Ｂが延設され、下サイドレンズユニット４５１Ｒにあっては、導光部材８５３における前水平片８６１Ｆ背面側に後水平片８６１Ｂが延設されていることで、発光部となる前水平片８２１Ｆ，８６１Ｆに対し上サイドＬＥＤ８３０ａや下サイドＬＥＤ８７０の左右または上下方向の配置位置が制限されることがないので、照明装置である上サイドＬＥＤ８３０ａや下サイドＬＥＤ８７０に制限されることなく、発光部である前水平片８２１Ｆ，８６１Ｆを任意に配置することが可能となるため、設計自由度が向上する。
【０３３８】
よって、例えば、図４９に示すように、下サイドレンズユニット４５１Ｒの背面板となる取付ベース８５１に対し下サイドＬＥＤ８７０を例えば左側に寄せて配置し、取付ベース８５１の背面右側を背面側に開放することができる。これにより、躯体１ｈの前面と取付ベース８５１の背面との間に段部が形成され、下サイドレンズユニット４５１Ｒが躯体１ｈから突出して配設されているように見せることができるため、遊技者に立体感を与えることができる。
【０３３９】
（サイド装飾部材）
次に、サイド装飾部材５３０Ｌ，５３０Ｒについて、図５０及び図５１に基づいて説明する。図５０は、サイド装飾部材の躯体への取り付け態様を斜め前から見た状態を示す分解斜視図である。図５１は、サイド装飾部材の躯体への取り付け態様を斜め後ろから見た状態を示す分解斜視図である。
【０３４０】
図５０及び図５１に示すように、サイド装飾部材５３０Ｌ，５３０Ｒは、躯体１ｈの前面における右下角部に形成されたサイド装飾部材取付部８８０Ｌ，８８０Ｒの右側の装飾部材取付部８８０Ｒ（図８、図５０参照）に取り付けられる装飾部材８８５と、導光部材８８４と、から主に構成される。
【０３４１】
導光部材８８４は、非透光性の合成樹脂材からなるベース部材８８６と、ベース部材８８６における装飾ＬＥＤ８８２に対応する位置に配置され、ベース部材８８６から前方に突出するように設けられた透明な合成樹脂材からなる複数の板状の導光レンズ８８７と、から構成され、導光レンズ８８７の後端面は、サイド装飾部材取付部８８０Ｒに上下方向に複数形成されたスリット８９１を介して背面側に臨むようになっている。また、導光部材８８４はネジ８８５ｎにより装飾部材８８５に取り付けられ、装飾部材８８５はネジ５３０ｎ（図８参照）により背面側から躯体１ｈに取り付けられる。
【０３４２】
導光レンズ８８７の前端面は、装飾部材８８５に上下方向に形成された長溝８８８を介して前方に臨むように設けられる。長溝８８８の前面には帯状のレンズカバー８８９が取り付けられ、筋状のサイド発光表示部４６０Ｒの下部を構成する。また、レンズカバー８８９の左側には、正面視円形の凹部が複数形成された装飾パネル８９０が取り付けられる。
【０３４３】
躯体１ｈの背面におけるサイド装飾部材取付部８８０Ｒに対応する箇所には、装飾基板ユニット７０７Ｒが取り付けられる。装飾基板ユニット７０７Ｒは、躯体１ｈの背面における右下角部に取り付けられる透明な合成樹脂材からなる基板カバー８８１と、前面に装飾ＬＥＤ８８２が上下方向に複数配設された装飾ＬＥＤ基板８８３と、から構成される。また、装飾ＬＥＤ基板８８３は、ネジ８８３ｎにより基板カバー８８１に取り付けられ、基板カバー８８１は、ネジ７０７ｎにより躯体１ｈの背面に取り付けられる。
【０３４４】
このように構成されるサイド装飾部材５３０Ｌ，５３０Ｒは、導光レンズ８８７の後端面がスリット８９１を介して装飾ＬＥＤ８８２に対向して配置される（図４９参照）。つまり、導光レンズ８８７の後端面は装飾ＬＥＤ８８２の光の入射面を構成する。そして、装飾ＬＥＤ８８２の光が導光レンズ８８７内を導光されて該導光レンズ８８７の前端面から出射されることで、サイド発光表示部４６０Ｒの下部が正面視で上下方向に延びる筋状に発光する。
【０３４５】
（上装飾レンズ基板ユニット）
次に、上装飾レンズ基板ユニット７０２Ｌ，７０２Ｒについて、図５２に基づいて説明する。図５２は、（Ａ）は上装飾レンズ基板ユニットの内部構造を斜め前から見た状態を示す分解斜視図、（Ｂ）は斜め後ろから見た状態を示す分解斜視図である。
【０３４６】
図５２に示すように、上装飾レンズ基板ユニット７０２Ｌ，７０２Ｒは、躯体１ｈの背面における右上角部に取り付けられる基板カバー８９３と、前面に上装飾ＬＥＤ８９８が上複数配設されたＬ字形状の上装飾ＬＥＤ基板８９４と、上装飾ＬＥＤ基板８９４の前側に配置される導光部材８９５と、から主に構成される。基板カバー８９３はネジ７０２ｎ（図８参照）により背面側から躯体１ｈに取り付けられる。
【０３４７】
導光部材８９５は、非透光性の合成樹脂材からなるベース部材８９６と、ベース部材８９６における上装飾ＬＥＤ８９８に対応する位置に配置され、ベース部材８９６から前方に突出するように設けられた透明な合成樹脂材からなる板状の導光レンズ８９７と、から構成され、導光レンズ８９７の後端面はベース部材８９６の背面に露呈され、上装飾ＬＥＤ８９８に対向して配置される。つまり、導光レンズ８９７の後端面は上装飾ＬＥＤ８９８の光の入射面を構成する。
【０３４８】
導光レンズ８９７の前端面は、躯体１ｈの右上角部に縁辺に沿うようにＬ字形に形成された長溝８９９を介して前方に臨むように設けられる。このように構成される上装飾レンズ基板ユニット７０２Ｒは、上装飾ＬＥＤ８９８の光が導光レンズ８８７内を導光されて該導光レンズ８９７の前端面から出射されることで、正面視でＬ字形をなす筋状に発光する。
【０３４９】
以上、本発明の実施例を図面により説明してきたが、具体的な構成はこれら実施例に限られるものではなく、本発明の要旨を逸脱しない範囲における変更や追加があっても本発明に含まれる。
【０３５０】
例えば、前記実施例では、本発明の遊技機の一例としてスロットマシン１を適用したが、本発明はこれに限定されるものではなく、遊技用価値としてパチンコ球（遊技媒体）を用いて遊技を行うパチンコ遊技機等にも適用可能である。
【０３５１】
このようなパチンコ遊技機において、開口を有する枠状に形成された本体部としての外枠と、該外枠の開口を開閉可能とするとともに遊技盤が設けられる開閉部としての遊技枠と、からなる場合、前記遊技枠の前面側に演出ユニットが配設され、背面側に表示ユニットが配設される構造とされていればよい。
【符号の説明】
【０３５２】
１        スロットマシン
２Ｌ，２Ｃ，２Ｒ  リール
５１      液晶表示器
５１ａ    表示領域
５１Ｌ，５１Ｃ，５１Ｒ  透過領域
４００    天レンズユニット
４７０    天レンズＬＥＤ
４７２    サイド天レンズＬＥＤ
６００    表示ユニット
６０１    ベース部材
６０４    金属板
６０５ａ〜６０５ｄ  緩衝部材
６１０    移動取付枠
６１６    取付壁部
６１７    離間壁部
【図１】
2014135985.tif 000003
【図２】
2014135985.tif 000004
【図３】
2014135985.tif 000005
【図４】
2014135985.tif 000006
【図５】
2014135985.tif 000007
【図６】
2014135985.tif 000008
【図７】
2014135985.tif 000009
【図８】
2014135985.tif 000010
【図９】
2014135985.tif 000011
【図１０】
2014135985.tif 000012
【図１１】
2014135985.tif 000013
【図１２】
2014135985.tif 000014
【図１３】
2014135985.tif 000015
【図１４】
2014135985.tif 000016
【図１５】
2014135985.tif 000017
【図１６】
2014135985.tif 000018
【図１７】
2014135985.tif 000019
【図１８】
2014135985.tif 000020
【図１９】
2014135985.tif 000021
【図２０】
2014135985.tif 000022
【図２１】
2014135985.tif 000023
【図２２】
2014135985.tif 000024
【図２３】
2014135985.tif 000025
【図２４】
2014135985.tif 000026
【図２５】
2014135985.tif 000027
【図２６】
2014135985.tif 000028
【図２７】
2014135985.tif 000029
【図２８】
2014135985.tif 000030
【図２９】
2014135985.tif 000031
【図３０】
2014135985.tif 000032
【図３１】
2014135985.tif 000033
【図３２】
2014135985.tif 000034
【図３３】
2014135985.tif 000035
【図３４】
2014135985.tif 000036
【図３５】
2014135985.tif 000037
【図３６】
2014135985.tif 000038
【図３７】
2014135985.tif 000039
【図３８】
2014135985.tif 000040
【図３９】
2014135985.tif 000041
【図４０】
2014135985.tif 000042
【図４１】
2014135985.tif 000043
【図４２】
2014135985.tif 000044
【図４３】
2014135985.tif 000045
【図４４】
2014135985.tif 000046
【図４５】
2014135985.tif 000047
【図４６】
2014135985.tif 000048
【図４７】
2014135985.tif 000049
【図４８】
2014135985.tif 000050
【図４９】
2014135985.tif 000051
【図５０】
2014135985.tif 000052
【図５１】
2014135985.tif 000053
【図５２】
2014135985.tif 000054